(57)【要約】【課題】省電力セルが通常動作状態から省電力状態へ切替わることが決定された場合に発生しうる問題を解決する。【解決手段】通信システムは、基地局装置と、基地局装置と無線通信可能な通信端末装置とを備える。基地局装置は、通常動作状態と、通常動作状態よりも消費電力が低い省電力状態とを切替え可能な省電力セル（ＥＳセル）を構成する省電力基地局装置と、省電力セルが省電力状態であるときに、省電力セルの通信可能な範囲であるカバレッジを補償する補償セル（Ｃｏｍｐセル）を構成する補償基地局装置とを含む。省電力セルは、通常動作状態から省電力状態へ切替わることが決定された場合、自セルのカバレッジ内の通信端末装置（ＵＥ）に、自セルが通信対象のセルとして選択不可能であることを示す報知情報を報知する。【選択図】図１７
2018207549.tif 000002
【特許請求の範囲】
【請求項１】
基地局装置と、前記基地局装置と無線通信可能な通信端末装置とを備える通信システムであって、
前記基地局装置は、
通常動作状態と、前記通常動作状態よりも消費電力が低い省電力状態とを切替え可能な省電力セルを構成する省電力基地局装置と、
前記省電力セルが前記省電力状態であるときに、前記省電力セルの通信可能な範囲であるカバレッジを補償する補償セルを構成する補償基地局装置とを含み、
前記省電力セルは、前記通常動作状態から前記省電力状態へ切替わることが決定された場合、自セルのカバレッジ内の前記通信端末装置に、自セルが通信対象のセルとして選択不可能であることを示す報知情報を報知することを特徴とする通信システム。
【発明の詳細な説明】
【技術分野】
【０００１】
本発明は、通信端末装置と基地局装置との間で無線通信を行う通信システムに関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている（例えば、非特許文献１〜１５参照）。この通信方式は３．９Ｇ（3.9 Generation）システムとも呼ばれる。
【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code division Multiple Access）とは異なり、回線交換を含まず、パケット通信方式のみになる。
【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal）が含まれる。同期信号には、第一同期信号（Primary Synchronization Signal：Ｐ−ＳＳ）と、第二同期信号（Secondary Synchronization Signal：Ｓ−ＳＳ）とがある。
【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。
【０００６】
物理報知チャネル（Physical Broadcast channel：ＰＢＣＨ）は、基地局装置（以下、単に「基地局」という場合がある）から、通信端末装置である移動端末装置（以下、単に「移動端末」という場合がある）への下り送信用のチャネルである。ＢＣＨトランスポートブロック（transport block）は、４０ｍｓ間隔中の４個のサブフレームにマッピングされる。４０ｍｓタイミングの明白なシグナリングはない。
【０００７】
物理制御フォーマットインジケータチャネル（Physical Control Format Indicator Channel：ＰＣＦＩＣＨ）は、基地局から移動端末への下り送信用のチャネルである。ＰＣＦＩＣＨは、ＰＤＣＣＨｓのために用いるＯＦＤＭ（Orthogonal Frequency Division Multiplexing）シンボルの数について基地局から移動端末へ通知する。ＰＣＦＩＣＨは、サブフレーム毎に送信される。
【０００８】
物理下り制御チャネル（Physical Downlink Control Channel：ＰＤＣＣＨ）は、基地局から移動端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【０００９】
物理下り共有チャネル（Physical Downlink Shared Channel：ＰＤＳＣＨ）は、基地局から移動端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。
【００１０】
物理マルチキャストチャネル（Physical Multicast Channel：ＰＭＣＨ）は、基地局から移動端末への下り送信用のチャネルである。ＰＭＣＨには、トランスポートチャネルであるマルチキャストチャネル（Multicast Channel：ＭＣＨ）がマッピングされている。
【００１１】
物理上り制御チャネル（Physical Uplink Control Channel：ＰＵＣＣＨ）は、移動端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。
【００１２】
物理上り共有チャネル（Physical Uplink Shared Channel：ＰＵＳＣＨ）は、移動端末から基地局への上り送信用のチャネルである。ＰＵＳＣＨには、トランスポートチャネルの１つである上り共有チャネル（Uplink Shared Channel：ＵＬ−ＳＣＨ）がマッピングされている。
【００１３】
物理ＨＡＲＱインジケータチャネル（Physical Hybrid ARQ Indicator Channel：ＰＨＩＣＨ）は、基地局から移動端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、移動端末から基地局への上り送信用のチャネルである。ＰＲＡＣＨは、ランダムアクセスプリアンブル（random access preamble）を運ぶ。
【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signals：ＣＲＳｓ）、ＭＢＳＦＮ参照信号（MBSFN reference signals）、ＵＥ固有参照信号（UE-specific reference signals）であるデータ復調用参照信号（Demodulation Reference Signals：ＤＭ−ＲＳｓ）、位置決定参照信号（Positioning Reference Signals：ＰＲＳｓ）、チャネル情報参照信号（Channel-State Information Reference Signals：ＣＳＩ−ＲＳｓ）。移動端末の物理レイヤの測定として、リファレンスシグナルの受信電力（Reference Signal Received Power：ＲＳＲＰ）測定がある。
【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。
【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の消費電力の削減のために、移動端末の間欠受信（Discontinuous reception：ＤＲＸ）をサポートする。ＤＬ−ＳＣＨは、物理下り共有チャネル（ＰＤＳＣＨ）へマッピングされる。
【００１７】
ページングチャネル（Paging Channel：ＰＣＨ）は、移動端末の消費電力の削減を可能とするために、移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００１８】
マルチキャストチャネル（Multicast Channel：ＭＣＨ）は、基地局（セル）のカバレッジ全体への報知に使用される。ＭＣＨは、マルチセル送信におけるＭＢＭＳ（Multimedia Broadcast Multicast Service）サービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００２１】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００２４】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００２５】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００２６】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００２７】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００２８】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００２９】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。
【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。
【００３２】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００３３】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００３４】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献３には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。
【００３６】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。
【００３７】
３ＧＰＰでは、全ての物理セル識別子（Physical Cell Identity：ＰＣＩ）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。
【００３８】
非特許文献４は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００３９】
また３ＧＰＰでは、リリース１０として、ロングタームエボリューションアドヴァンスド（Long Term Evolution Advanced：ＬＴＥ−Ａ）の規格策定が進められている（非特許文献５、非特許文献６参照）。ＬＴＥ−Ａは、ＬＴＥの無線区間通信方式を基本とし、それにいくつかの新技術を加えて構成される。
【００４０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。
【００４１】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００４２】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００４３】
一つのＵＥに対して、一つのＰＣｅｌｌと、一つ以上のＳＣｅｌｌからなるサービングセルとの組が構成される。
【００４４】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献７に記載されている。
【００４５】
また、３ＧＰＰにおいて、リリース１２版の規格書の策定が進められている。この中で、将来の膨大なトラフィックに対応するために、スモールセルを構成するスモールｅＮＢを用いることが検討されている。例えば、多数のスモールｅＮＢを設置して、多数のスモールセルを構成することによって、周波数利用効率を高めて、通信容量の増大を図る技術などが検討されている。
【００４６】
モバイルネットワークのトラフィック量は、増加傾向にあり、通信速度も高速化が進んでいる。ＬＴＥおよびＬＴＥ−Ａが本格的に運用を開始されると、さらに通信速度が高速化され、トラフィック量が増加することが見込まれる。
【００４７】
また、持続可能な社会を実現するために、移動体通信システムにおいても消費電力の削減が要求されている。移動体通信システム全体として、消費電力の削減を実現するために、従来から消費電力の削減が要求されてきた移動端末だけでなく、基地局についても消費電力の削減が要求されるようになってきている。
【００４８】
３ＧＰＰにおいては、リリース１２版の規格書の策定が進められている。この中で、基地局の消費電力の削減方法が検討されている（非特許文献１３参照）。例えば、重層化（overlaid）シナリオ、補償ｅＮＢ配置（compensating eNB(s) deployment）シナリオなどがある。
【００４９】
これらのシナリオでは、基地局によって構成されるセルを、通常動作状態から、通常動作状態よりも消費電力が低い省電力状態へ切替えることによって、具体的には基地局によって構成されるセルのスイッチをオフにすることによって、消費電力の削減、すなわちエナジーセービング（Energy Saving：ＥＳ）が行われる。
【００５０】
以下の説明では、エナジーセービングのためにスイッチのオンオフが切替えられるセルを、省電力セル（エナジーセービングセル（Energy Saving cell）；略称：ＥＳセル）という場合がある。
【先行技術文献】
【非特許文献】
【００５１】
【非特許文献１】３ＧＰＰ  ＴＳ３６．３００  Ｖ１１．５．０
【非特許文献２】３ＧＰＰ  ＴＳ３６．３０４  Ｖ１１．１．０
【非特許文献３】３ＧＰＰ  Ｓ１−０８３４６１
【非特許文献４】３ＧＰＰ  Ｒ２−０８２８９９
【非特許文献５】３ＧＰＰ  ＴＲ  ３６．８１４  Ｖ９．０．０
【非特許文献６】３ＧＰＰ  ＴＲ  ３６．９１２  Ｖ１０．０．０
【非特許文献７】３ＧＰＰ  ＴＲ  ３６．８１９  Ｖ１１．１．０
【非特許文献８】３ＧＰＰ  ＴＳ  ３６．１４１  Ｖ１１．１．０
【非特許文献９】３ＧＰＰ  Ｒ１−１３１５３０
【非特許文献１０】３ＧＰＰ  ＴＳ３６．３３１  Ｖ１１．３．０
【非特許文献１１】３ＧＰＰ  ＴＲ３６．８４２  Ｖ０．２．０
【非特許文献１２】３ＧＰＰ  ＴＳ３７．３２０  Ｖ１１．３．０
【非特許文献１３】３ＧＰＰ  ＴＳ３６．８８７  Ｖ０．２．０
【非特許文献１４】３ＧＰＰ  ＴＳ３６．３２１  Ｖ１１．２．０
【非特許文献１５】３ＧＰＰ  ＴＲ３６．８７２  Ｖ１２．０．０
【発明の概要】
【発明が解決しようとする課題】
【００５２】
ＥＳセルがスイッチオン状態からスイッチオフ状態へ、またはスイッチオフ状態からスイッチオン状態へ遷移するとき、ＥＳセルまたはＣｏｍｐセルに接続している接続状態（ＲＲＣ＿Ｃｏｎｎｅｃｔｅｄ状態）のＵＥは、その状態を維持することが望まれる。しかし、以下のような問題がある。
【００５３】
例えば、補償ｅＮＢ配置（compensating eNB(s) deployment）シナリオにおいて、ＥＳセルのスイッチのオンオフが切替わるタイミングと、Ｃｏｍｐセルのカバレッジが増減するタイミングとが、セル間でずれた場合、セル間の干渉およびカバレッジホールが発生してしまうことがある。
【００５４】
このようなセル間の干渉およびカバレッジホールの発生を回避するために、ＥＳセルのスイッチのオンオフを切替えるとき、またはＣｏｍｐセルのカバレッジを増減させるときに、各セルの送信電力を徐々に増減することが提案されている（非特許文献１３参照）。
【００５５】
しかし、セル間で同期がとられていない場合、各セルにおける送信電力の増減のタイミングを完全に合わせることはできない。したがって、ＥＳセルのスイッチのオンオフ、およびＣｏｍｐセルのカバレッジの増減が行われるときに、ＥＳセルとＣｏｍｐセルとの間の干渉、およびカバレッジホールの発生を完全には回避することができず、ＲＲＣ＿Ｃｏｎｎｅｃｔｅｄ状態のＵＥが、その状態を維持できなくなることがある。
【００５６】
また、Ｃｏｍｐセルが、ＥＳセルのカバレッジを補償するために送信電力を増大させた場合、ＥＳセルへの干渉が生じる。ＥＳセルのカバレッジの端に存在するＵＥほど、Ｃｏｍｐセルの送信電力の増大による干渉が大きくなる。
【００５７】
この干渉によって、ＥＳセルと接続しているＵＥの受信品質が劣化し、ＵＥが無線接続を失敗する、いわゆる無線リンク失敗（Radio Link Failure：ＲＬＦ）を生じてしまうことがある。これによって、ＥＳセルがスイッチオン状態からスイッチオフ状態へ遷移するときに、接続状態のＵＥが、新たな接続を確立できず、接続状態を維持できなくなるという問題がある。
【００５８】
ここで、ＥＳセルがスイッチオフすることを決定した場合であっても、ＥＳセルからの下り信号の送信が行われていれば、下り信号を受信可能なＵＥが存在する場合がある。下り信号とは、例えば下り参照信号、下り同期信号などである。下り信号を受信したＵＥは、通常のセル再選択処理を経て、ＥＳセルをセル再選択する可能性がある。また、下り信号を受信したＵＥは、通常のメジャメント処理を経て、サービングセルに、ＥＳセルのメジャメント報告メッセージを通知する可能性がある。
【００５９】
ＵＥが、スイッチオフすることを決定したＥＳセルをセル再選択した場合、以下の問題が発生する。ＥＳセルがスイッチオフしたときは、ＵＥは、再度セル再選択をする必要があるので、ＵＥの処理負荷が高くなるという問題がある。また、制御遅延が発生するという問題がある。また、ＥＳセルへのセル再選択、およびその後の再度のセル再選択がＴＡＵを伴う場合、無駄なＴＡＵが発生し、無線リソースの無駄が発生するという問題がある。
【００６０】
ＵＥが、スイッチオフすることを決定したＥＳセルのメジャメント報告メッセージをサービングセルに通知した場合、以下の問題が発生する。サービングセルが、ＥＳセルをハンドオーバのターゲットセルとして選択する可能性がある。その場合、ＥＳセルは、ハンドオーバ処理において、ハンドオーバ要求を拒絶する、あるいは一旦ハンドオーバしてきたＵＥを自セル以外のセル、例えばＣｏｍｐセルに再度ハンドオーバさせなければならない。このように、セル間のシグナリングの無駄および制御遅延が発生するという問題がある。
【００６１】
また、ＥＳセルが、一旦ハンドオーバしてきたＵＥを自セル以外のセル、例えばＣｏｍｐセルに再度ハンドオーバさせる場合、ＥＳセルがスイッチオフするときのハンドオーバ処理となるので、ハンドオーバ失敗（Handover failure：ＨＯＦ）となる可能性が高くなり、ユーザが安定して通信サービスを受けられないという問題がある。
【００６２】
本発明の目的は、省電力セルが通常動作状態から省電力状態へ切替わることが決定された場合に発生しうる上記の各種問題を解決することが可能な通信システムを提供することである。
【課題を解決するための手段】
【００６３】
本発明の通信システムは、基地局装置と、前記基地局装置と無線通信可能な通信端末装置とを備える通信システムであって、前記基地局装置は、通常動作状態と、前記通常動作状態よりも消費電力が低い省電力状態とを切替え可能な省電力セルを構成する省電力基地局装置と、前記省電力セルが前記省電力状態であるときに、前記省電力セルの通信可能な範囲であるカバレッジを補償する補償セルを構成する補償基地局装置とを含み、前記省電力セルは、前記通常動作状態から前記省電力状態へ切替わることが決定された場合、自セルのカバレッジ内の前記通信端末装置に、自セルが通信対象のセルとして選択不可能であることを示す報知情報を報知することを特徴とする。
【発明の効果】
【００６４】
本発明の通信システムによれば、省電力セルが通常動作状態から省電力状態へ切替わることが決定された場合に発生しうる問題、例えば、省電力セルが省電力状態へ切替わったときに通信端末装置がセル再選択をしなければならないことによって、通信端末装置の処理負荷が高くなる、という問題を解決することができる。
【００６５】
本発明の目的、特徴、態様、および利点は、以下の詳細な説明と添付図面とによって、より明白となる。
【図面の簡単な説明】
【００６６】
【図１】ＬＴＥ方式の通信システムで使用される無線フレームの構成を示す説明図である。
【図２】３ＧＰＰにおいて議論されているＬＴＥ方式の通信システム７００の全体的な構成を示すブロック図である。
【図３】本発明に係る移動端末である図２に示す移動端末７１の構成を示すブロック図である。
【図４】本発明に係る基地局である図２に示す基地局７２の構成を示すブロック図である。
【図５】本発明に係るＭＭＥの構成を示すブロック図である。
【図６】ＬＴＥ方式の通信システムにおいて移動端末（ＵＥ）が行うセルサーチから待ち受け動作までの概略を示すフローチャートである。
【図７】重層化（overlaid）シナリオについて説明するための図である。
【図８】補償ｅＮＢ配置（compensating eNB(s) deployment）シナリオについて説明するための図である。
【図９】補償ｅＮＢ配置（compensating eNB(s) deployment）シナリオについて説明するための図である。
【図１０】本発明の前提技術の通信システムにおけるＥＳ処理のシーケンスの一例を示す図である。
【図１１】本発明の実施の形態１の通信システムにおけるＥＳ処理のシーケンスの一例を示す図である。
【図１２】本発明の実施の形態１の変形例１の通信システムにおけるＥＳ処理のシーケンスの一例を示す図である。
【図１３】本発明の実施の形態１の変形例１の通信システムにおけるＥＳ処理のシーケンスの他の例を示す図である。
【図１４】本発明の実施の形態１の変形例２の通信システムにおけるＥＳ処理のシーケンスの一例を示す図である。
【図１５】本発明の実施の形態１の変形例３の通信システムにおけるＥＳ処理のシーケンスの一例を示す図である。
【図１６】本発明の実施の形態１の変形例３の通信システムにおけるＥＳ処理のシーケンスの他の例を示す図である。
【図１７】本発明の実施の形態２の通信システムにおけるＥＳ処理のシーケンスの一例を示す図である。
【図１８】本発明の実施の形態３の通信システムにおけるＥＳ処理のシーケンスの一例を示す図である。
【図１９】本発明の実施の形態３の通信システムにおけるＥＳ処理のシーケンスの一例を示す図である。
【図２０】本発明の実施の形態３の変形例１の通信システムにおけるＥＳ処理のシーケンスの一例を示す図である。
【図２１】本発明の実施の形態３の変形例２の通信システムにおけるＥＳ処理のシーケンスの一例を示す図である。
【図２２】本発明の実施の形態３の変形例３の通信システムにおけるＥＳ処理のシーケンスの一例を示す図である。
【図２３】本発明の実施の形態４におけるＵＥの送信電力を決定する手順の一例を示す図である。
【図２４】本発明の実施の形態４におけるＵＥの送信電力を決定する手順の一例を示す図である。
【図２５】本発明の実施の形態４におけるＵＥの送信電力を決定する手順の一例を示す図である。
【図２６】本発明の実施の形態４におけるＵＥの送信電力を決定する手順の一例を示す図である。
【図２７】エナジーセービングエリアとして、エナジーセービング（Energy Saving）セットリストと補償（Compensation）セットリストとの組合せが設定された場合のＵＥの動作を説明するための図である。
【図２８】本発明の実施の形態６の通信システムにおけるＥＳ処理のシーケンスの一例を示す図である。
【図２９】本発明の実施の形態６の通信システムにおけるＥＳ処理のシーケンスの一例を示す図である。
【図３０】本発明の実施の形態６の変形例１の通信システムにおけるＥＳ処理のシーケンスの一例を示す図である。
【図３１】本発明の実施の形態６の変形例２の通信システムにおけるＥＳ処理のシーケンスの一例を示す図である。
【図３２】本発明の実施の形態７の通信システムにおけるＥＳ処理のシーケンスの一例を示す図である。
【図３３】本発明の実施の形態７の通信システムにおけるＥＳ処理のシーケンスの一例を示す図である。
【図３４】本発明の実施の形態８の通信システムにおけるＥＳ処理のシーケンスの一例を示す図である。
【図３５】本発明の実施の形態８の通信システムにおけるＥＳ処理のシーケンスの一例を示す図である。
【発明を実施するための形態】
【００６７】
実施の形態１．
図２は、３ＧＰＰにおいて議論されているＬＴＥ方式の通信システム７００の全体的な構成を示すブロック図である。図２について説明する。無線アクセスネットワークは、Ｅ−ＵＴＲＡＮ（Evolved Universal Terrestrial Radio Access Network）７０と称される。通信端末装置である移動端末装置（以下「移動端末（User Equipment：ＵＥ）」という）７１は、基地局装置（以下「基地局（E-UTRAN NodeB：ｅＮＢ）」という）７２と無線通信可能であり、無線通信で信号の送受信を行う。
【００６８】
移動端末７１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局７２で終端するならば、Ｅ−ＵＴＲＡＮは１つあるいは複数の基地局７２によって構成される。
【００６９】
移動端末７１と基地局７２との間の制御プロトコルＲＲＣ（Radio Resource Control）は、報知（Broadcast）、ページング（paging）、ＲＲＣ接続マネージメント（RRC connection management）などを行う。ＲＲＣにおける基地局７２と移動端末７１との状態として、ＲＲＣ＿ＩＤＬＥと、ＲＲＣ＿ＣＯＮＮＥＣＴＥＤとがある。
【００７０】
ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）の測定（メジャメント（measurement））などが行われる。
【００７１】
基地局７２は、ｅＮＢ７６と、Ｈｏｍｅ−ｅＮＢ７５とに分類される。通信システム７００は、複数のｅＮＢ７６を含むｅＮＢ群７２−１と、複数のＨｏｍｅ−ｅＮＢ７５を含むＨｏｍｅ−ｅＮＢ群７２−２とを備える。またコアネットワークであるＥＰＣ（Evolved Packet Core）と、無線アクセスネットワークであるＥ−ＵＴＲＡＮ７０とで構成されるシステムは、ＥＰＳ（Evolved Packet System）と称される。コアネットワークであるＥＰＣと、無線アクセスネットワークであるＥ−ＵＴＲＡＮ７０とを合わせて、「ネットワーク」という場合がある。
【００７２】
ｅＮＢ７６は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７６とＭＭＥ部７３との間で制御情報が通信される。一つのｅＮＢ７６に対して、複数のＭＭＥ部７３が接続されてもよい。ｅＮＢ７６間は、Ｘ２インタフェースにより接続され、ｅＮＢ７６間で制御情報が通信される。
【００７３】
Ｈｏｍｅ−ｅＮＢ７５は、ＭＭＥ部７３とＳ１インタフェースにより接続され、Ｈｏｍｅ−ｅＮＢ７５とＭＭＥ部７３との間で制御情報が通信される。一つのＭＭＥ部７３に対して、複数のＨｏｍｅ−ｅＮＢ７５が接続される。あるいは、Ｈｏｍｅ−ｅＮＢ７５は、ＨｅＮＢＧＷ（Home-eNB GateWay）７４を介してＭＭＥ部７３と接続される。Ｈｏｍｅ−ｅＮＢ７５とＨｅＮＢＧＷ７４とは、Ｓ１インタフェースにより接続され、ＨｅＮＢＧＷ７４とＭＭＥ部７３とはＳ１インタフェースを介して接続される。
【００７４】
一つまたは複数のＨｏｍｅ−ｅＮＢ７５が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００７５】
ＭＭＥ部７３およびＨｅＮＢＧＷ７４は、上位装置、具体的には上位ノードであり、基地局であるｅＮＢ７６およびＨｏｍｅ−ｅＮＢ７５と、移動端末（ＵＥ）７１との接続を制御する。ＭＭＥ部７３は、コアネットワークであるＥＰＣを構成する。基地局７２およびＨｅＮＢＧＷ７４は、Ｅ−ＵＴＲＡＮ７０を構成する。
【００７６】
さらに３ＧＰＰでは、以下のような構成が検討されている。Ｈｏｍｅ−ｅＮＢ７５間のＸ２インタフェースはサポートされる。すなわち、Ｈｏｍｅ−ｅＮＢ７５間は、Ｘ２インタフェースにより接続され、Ｈｏｍｅ−ｅＮＢ７５間で制御情報が通信される。ＭＭＥ部７３からは、ＨｅＮＢＧＷ７４はＨｏｍｅ−ｅＮＢ７５として見える。Ｈｏｍｅ−ｅＮＢ７５からは、ＨｅＮＢＧＷ７４はＭＭＥ部７３として見える。
【００７７】
Ｈｏｍｅ−ｅＮＢ７５が、ＨｅＮＢＧＷ７４を介してＭＭＥ部７３に接続される場合および直接ＭＭＥ部７３に接続される場合のいずれの場合も、Ｈｏｍｅ−ｅＮＢ７５とＭＭＥ部７３との間のインタフェースは、Ｓ１インタフェースで同じである。
【００７８】
基地局装置７２は、１つのセルを構成してもよいし、複数のセルを構成してもよい。各セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【００７９】
図３は、本発明に係る移動端末である図２に示す移動端末７１の構成を示すブロック図である。図３に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００８０】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図３では省略しているが、各部８０１〜８０９と接続している。
【００８１】
図４は、本発明に係る基地局である図２に示す基地局７２の構成を示すブロック図である。図４に示す基地局７２の送信処理を説明する。ＥＰＣ通信部９０１は、基地局７２とＥＰＣ（ＭＭＥ部７３など）、ＨｅＮＢＧＷ７４などとの間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００８２】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００８３】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図４では省略しているが、各部９０１〜９１０と接続している。
【００８４】
図５は、本発明に係るＭＭＥの構成を示すブロック図である。図５では、前述の図２に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００８５】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００８６】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００８７】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【００８８】
ＭＭＥ７３ａは、１つまたは複数の基地局７２に対して、ページング信号の分配を行う。また、ＭＭＥ７３ａは、待受け状態（Idle State）のモビリティ制御（Mobility control）を行う。ＭＭＥ７３ａは、移動端末が待ち受け状態のとき、および、アクティブ状態（Active State）のときに、トラッキングエリア（Tracking Area）リストの管理を行う。ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７５のＣＳＧの管理やＣＳＧ−ＩＤの管理、そしてホワイトリスト管理は、アイドルステートモビリティ管理部１００５−３で行ってもよい。
【００８９】
次に通信システムにおけるセルサーチ方法の一例を示す。図６は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。
【００９０】
Ｐ−ＳＳとＳ−ＳＳとを合わせて、同期信号（Synchronization Signal：ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００９１】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【００９２】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【００９３】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００９４】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００９５】
次にステップＳＴ１２０６で、移動端末は、ステップＳＴ１２０５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００９６】
移動端末は、ステップＳＴ１２０６で比較した結果、ステップＳＴ１２０５で受信したＴＡＣがトラッキングエリアリスト内に含まれるＴＡＣと同じならば、該セルで待ち受け動作に入る。比較して、ステップＳＴ１２０５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００９７】
コアネットワークを構成する装置（以下「コアネットワーク側装置」という場合がある）は、ＴＡＵ要求信号とともに移動端末から送られてくる該移動端末の識別番号（ＵＥ−ＩＤなど）をもとに、トラッキングエリアリストの更新を行う。コアネットワーク側装置は、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【００９８】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００９９】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【０１００】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【０１０１】
以下の説明では、従来のｅＮＢによって構成されるセルのように、比較的広い範囲のカバレッジを構成するセル、すなわちカバレッジエリアが比較的広いセルを「マクロセル」といい、マクロセルを構成するｅＮＢを「マクロｅＮＢ」という。また、小セル化されたセルのように、比較的狭い範囲のカバレッジを構成するセル、すなわちカバレッジエリアが比較的狭いセルを「スモールセル」といい、スモールセルを構成するｅＮＢを「スモールｅＮＢ」という。
【０１０２】
マクロｅＮＢは、例えば、非特許文献８に記載される「ワイドエリア基地局（Wide Area Base Station）」であってもよい。
【０１０３】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ（Remote Radio Head）、ＲＲＵ（Remote Radio Unit）、ＲＲＥ（Remote Radio Equipment）またはＲＮ（Relay Node）であってもよい。また、スモールｅＮＢは、非特許文献８に記載される「ローカルエリア基地局（Local Area Base Station）」または「ホーム基地局（Home Base Station）」であってもよい。
【０１０４】
持続可能な社会を実現するために、移動体通信システムにおいても消費電力の削減が要求されている。移動体通信システム全体として、消費電力の削減を実現するために、従来から消費電力の削減が要求されてきた移動端末だけでなく、基地局についても消費電力の削減が要求されるようになってきている。
【０１０５】
３ＧＰＰにおいては、リリース１２版の規格書の策定が進められている。この中で、基地局の消費電力の削減方法が検討されている（非特許文献１３参照）。例えば、重層化（overlaid）シナリオ、補償ｅＮＢ配置（compensating eNB(s) deployment）シナリオなどがある。
【０１０６】
図７は、重層化（overlaid）シナリオについて説明するための図である。重層化（overlaid）シナリオでは、通信システムは、比較的広範囲のカバレッジを有するセル（以下「カバレッジセル」という場合がある）と、容量増大のために設置される比較的狭範囲のカバレッジを有するセル（以下「キャパシティセル」という場合がある）とによって構成される。
【０１０７】
例えば図７に示す例では、第１および第２のｅＮＢ１１０３，１１０４は、カバレッジセルを構成する。第１のｅＮＢ１１０３によって構成されるカバレッジセルは、第１のカバレッジ１１０１を有する。第２のｅＮＢ１１０４によって構成されるカバレッジセルは、第２のカバレッジ１１０２を有する。
【０１０８】
第３〜第７のｅＮＢ１１０５，１１０６，１１０７，１１０８，１１０９は、キャパシティセルを構成する。第３のｅＮＢ１１０５によって構成されるキャパシティセルは、第３のカバレッジ１１１０を有する。第４のｅＮＢ１１０６によって構成されるキャパシティセルは、第４のカバレッジ１１１１を有する。第５のｅＮＢ１１０７によって構成されるキャパシティセルは、第５のカバレッジ１１１２を有する。第６のｅＮＢ１１０８によって構成されるキャパシティセルは、第６のカバレッジ１１１３を有する。第７のｅＮＢ１１０９によって構成されるキャパシティセルは、第７のカバレッジ１１１４を有する。
【０１０９】
図７に示すように、第１〜第７のｅＮＢ１１０３〜１１０９によって構成される各セルは、第３〜第７のｅＮＢ１１０５〜１１０９によって構成されるキャパシティセルのカバレッジ１１１０〜１１１４が、第１および第２のｅＮＢ１１０３，１１０４によって構成されるカバレッジセルのカバレッジ１１０１，１１０２内に存在するように配置される。
【０１１０】
重層化（Overlaid）シナリオでは、第３〜第７のｅＮＢ１１０５〜１１０９によって構成されるキャパシティセルのスイッチをオフにすることによって、消費電力の削減、すなわちエナジーセービング（Energy Saving：ＥＳ）が行われる。以下の説明では、エナジーセービングのためにスイッチのオンオフが切替えられるセルを、省電力セル（エナジーセービングセル（Energy Saving cell）；略称：ＥＳセル）という場合がある。
【０１１１】
ここで、「ＥＳセルのスイッチをオフにする」とは、ＥＳセルの少なくとも一部の動作を停止することをいい、「ＥＳセルのスイッチをオフにした状態（以下「スイッチオフ状態」という場合がある）」とは、ＥＳセルの少なくとも一部の動作を停止した状態をいう。したがって、ＥＳセルのスイッチオフ状態は、ＥＳセルの全ての動作を停止した状態、およびＥＳセルの一部の動作を停止し、その他の動作を継続している状態を含む。
【０１１２】
ＥＳセルの一部の動作を停止し、その他の動作を継続している状態としては、例えば、ＲＡＮ（Radio Access Network）側の動作を停止し、ネットワーク側とのインタフェースの動作を継続している状態がある。他の例として、ＥＳセルが、予め定める無線信号のみを送信して、ネットワーク側とのインタフェースの動作を継続し、他の動作を停止している状態などがある。これらの状態を「休止（ドーマント（dormant））状態」という。
【０１１３】
ドーマント状態などのスイッチオフ状態は、省電力状態に相当する。省電力状態とは、通常動作状態よりも消費電力が低い状態をいう。また、通常動作状態とは、ＥＳセルの各動作を行っている状態、すなわちＥＳセルの各動作を停止していない状態をいう。ＥＳセルのスイッチをオンにした状態であるスイッチオン状態は、通常動作状態に相当する。したがって、ＥＳセルは、通常動作状態と、省電力状態とを切替え可能である。
【０１１４】
重層化（Overlaid）シナリオの場合、第３〜第７のｅＮＢ１１０５〜１１０９によって構成されるキャパシティセルのスイッチをオフにしても、キャパシティセルのカバレッジ１１１０〜１１１４内に存在していたＵＥは、第１および第２のｅＮＢ１１０３，１１０４によって構成されるカバレッジセルのカバレッジ１１０１，１１０２内に存在することが可能となる。
【０１１５】
図８および図９は、補償ｅＮＢ配置（compensating eNB(s) deployment）シナリオについて説明するための図である。補償ｅＮＢ配置（compensating eNB(s) deployment）シナリオは、消費電力の削減のために、ＥＳセルのスイッチをオフにするとともに、スイッチがオフにされたＥＳセルのカバレッジを補償するために、周辺セルがカバレッジを広げる方法である。ＥＳセルのカバレッジを補償するセルを「補償セル（Compensation cell；略称：Ｃｏｍｐセル)」という。
【０１１６】
図８では、第１のマクロｅＮＢ１２０４によって構成されるセルがＣｏｍｐセルとなり、第２〜第４のマクロｅＮＢ１２０８〜１２１０によって構成されるセルがＥＳセルとなる場合を示す。図８に示す例では、第１のマクロｅＮＢ１２０４は、３つのセルを構成し、その各セルがＣｏｍｐセルとなる。また、第２〜第４のマクロｅＮＢ１２０８〜１２１０は、それぞれ、１つのセルを構成し、その各セルがＥＳセルとなる。
【０１１７】
ＥＳセルを構成する基地局装置、例えば図８に示す例では第２〜第４のマクロｅＮＢ１２０８〜１２１０は、省電力基地局装置に相当する。Ｃｏｍｐセルを構成する基地局装置、例えば図８に示す例では第１のマクロｅＮＢ１２０４は、補償基地局装置に相当する。
【０１１８】
図８（ａ）は、第２〜第４のマクロｅＮＢ１２０８〜１２１０によって構成されるＥＳセルがスイッチオン状態である場合を示す。図８（ｂ）は、第２〜第４のマクロｅＮＢ１２０８〜１２１０によって構成されるＥＳセルがスイッチオフ状態、具体的にはドーマント状態である場合を示す。
【０１１９】
図８（ａ）に示すように、第２〜第４のマクロｅＮＢ１２０８〜１２１０によって構成されるＥＳセルがスイッチオン状態である場合、第１のマクロｅＮＢ１２０４によって構成される各Ｃｏｍｐセルは、例えば楕円形状のカバレッジ１２０１〜１２０３を有する。また、第２〜第４のマクロｅＮＢ１２０８〜１２１０によって構成される各ＥＳセルは、例えば楕円形状のカバレッジ１２０５〜１２０７を有する。Ｃｏｍｐセルのカバレッジ１２０１〜１２０３は、ＥＳセルのカバレッジ１２０５〜１２０７と一部分が重なって形成されている。
【０１２０】
補償ｅＮＢ配置（compensating eNB(s) deployment）シナリオでは、第２〜第４のマクロｅＮＢ１２０８〜１２１０によって構成される各ＥＳセルは、図８（ａ）に示すスイッチオン状態から、図８（ｂ）に示すスイッチオフ状態、具体的にはドーマント状態に遷移する。以下の説明では、ドーマント状態のＥＳセルを、「ドーマントセル（Dormant Cell）」という場合がある。
【０１２１】
第２〜第４のマクロｅＮＢ１２０８〜１２１０によって構成されるＥＳセルがドーマント状態になると、第１のマクロｅＮＢ１２０４によって構成される各Ｃｏｍｐセルのカバレッジ１２０１〜１２０３は、スイッチオン状態におけるＥＳセルのカバレッジ１２０５〜１２０７を包含するように拡大され、例えば円形状になる。
【０１２２】
図９では、第１のマクロｅＮＢ１２０４によって構成されるセルがＥＳセルとなり、第２〜第４のマクロｅＮＢ１２０８〜１２１０によって構成されるセルがＣｏｍｐセルとなる場合を示す。図９に示す例では、第１のマクロｅＮＢ１２０４は、３つのセルを構成し、その各セルがＥＳセルとなる。また、第２〜第４のマクロｅＮＢ１２０８〜１２１０は、それぞれ、１つのセルを構成し、その各セルがＣｏｍｐセルとなる。
【０１２３】
図９（ａ）は、第１のマクロｅＮＢ１２０４によって構成されるＥＳセルがスイッチオン状態である場合を示す。図９（ｂ）は、第１のマクロｅＮＢ１２０４によって構成されるＥＳセルがスイッチオフ状態、具体的にはドーマント状態である場合を示す。
【０１２４】
図９（ａ）に示すように、第１のマクロｅＮＢ１２０４によって構成される各ＥＳセルがスイッチオン状態である場合、各ＥＳセルは、例えば楕円形状のカバレッジ１２０１〜１２０３を有する。また、第２〜第４のマクロｅＮＢ１２０８〜１２１０によって構成される各Ｃｏｍｐセルは、例えば楕円形状のカバレッジ１２０５〜１２０７を有する。ＥＳセルのカバレッジ１２０１〜１２０３は、Ｃｏｍｐセルのカバレッジ１２０５〜１２０７と一部分が重なって形成されている。
【０１２５】
補償ｅＮＢ配置（compensating eNB(s) deployment）シナリオでは、第１のマクロｅＮＢ１２０４によって構成される各ＥＳセルは、図９（ａ）に示すスイッチオン状態から、図９（ｂ）に示すスイッチオフ状態、具体的にはドーマント状態に遷移する。これに伴い、第２〜第４のマクロｅＮＢ１２０８〜１２１０によって構成される各Ｃｏｍｐセルのカバレッジ１２０５〜１２０７は、スイッチオン状態におけるＥＳセルのカバレッジ１２０１〜１２０３を包含するように拡大され、例えば円形状になる。
【０１２６】
図８および図９に示すように、ＥＳセルが、スイッチオン状態からスイッチオフ状態へ、またはスイッチオフ状態からスイッチオン状態へ遷移するとき、ＥＳセルまたはＣｏｍｐセルに接続しているＲＲＣ＿Ｃｏｎｎｅｃｔｅｄ状態のＵＥは、その状態を維持することが望まれる。しかし、以下のような問題がある。
【０１２７】
例えば、補償ｅＮＢ配置（compensating eNB(s) deployment）シナリオにおいて、ＥＳセルのスイッチのオンオフが切替わるタイミングと、Ｃｏｍｐセルのカバレッジが増減するタイミングとが、セル間でずれた場合、セル間の干渉およびカバレッジホールが発生してしまうことがある。
【０１２８】
このようなセル間の干渉およびカバレッジホールの発生を回避するために、ＥＳセルのスイッチのオンオフを切替えるとき、またはＣｏｍｐセルのカバレッジを増減させるときに、各セルの送信電力を徐々に増減することが提案されている（非特許文献１３参照）。
【０１２９】
しかし、セル間で同期がとられていない場合、各セルにおける送信電力の増減のタイミングを完全に合わせることはできない。したがって、ＥＳセルのスイッチのオンオフ、およびＣｏｍｐセルのカバレッジの増減が行われるときに、ＥＳセルとＣｏｍｐセルとの間の干渉、およびカバレッジホールの発生を完全には回避することができず、ＲＲＣ＿Ｃｏｎｎｅｃｔｅｄ状態のＵＥが、その状態を維持できなくなることがある。
【０１３０】
図１０は、本発明の前提技術の通信システムにおけるＥＳ処理のシーケンスの一例を示す図である。図１０では、ＥＳセルがＥＳのために自セルのスイッチをオフにし、Ｃｏｍｐセルが、ＥＳセルのカバレッジを補償するために、自セルのカバレッジを増大させる場合のシーケンスを示している。
【０１３１】
ステップＳＴ２１０１において、ＥＳセルは、スイッチをオフにすること（以下「スイッチオフ」という場合がある）を決定する。図１０に示す例では、ＥＳセルがスイッチオフを決定しているが、他の例として、ＥＳセルが、周辺セルあるいはＯ＆Ｍ（operation and maintenance）などからスイッチオフを指示されてもよい。Ｏ＆Ｍは、ＯＡＭ（operation administration and maintenance）であってもよい。以下の説明では、Ｏ＆ＭとＯＡＭとをまとめて、「Ｏ＆Ｍ」という。
【０１３２】
ステップＳＴ２１２４において、ＥＳセルは、自セルのカバレッジを補償する全てのＣｏｍｐセルに対して、補償要求処理を行う。ステップＳＴ２１２４の補償要求処理は、具体的には、ステップＳＴ２１０２〜ＳＴ２１０７の処理を含む。
【０１３３】
ステップＳＴ２１０２において、ＥＳセルは、Ｃｏｍｐセル１に、カバレッジの補償を要求する補償要求メッセージを通知する。またステップＳＴ２１０３において、ＥＳセルは、Ｃｏｍｐセル２に、補償要求メッセージを通知する。
【０１３４】
ステップＳＴ２１０４において、Ｃｏｍｐセル１は、カバレッジの補償を許可する。ステップＳＴ２１０５において、Ｃｏｍｐセル２は、カバレッジの補償を許可する。ステップＳＴ２１０６において、Ｃｏｍｐセル１は、ＥＳセルに、補償応答メッセージ、具体的には許可メッセージを通知する。ステップＳＴ２１０７において、Ｃｏｍｐセル２は、ＥＳセルに、補償応答メッセージ、具体的には許可メッセージを通知する。
【０１３５】
ＥＳセルから要求されたカバレッジの補償を許可したＣｏｍｐセル１およびＣｏｍｐセル２は、ステップＳＴ２１０９およびステップＳＴ２１１０において、それぞれ、カバレッジの補償を開始する。具体的には、Ｃｏｍｐセル１およびＣｏｍｐセル２は、送信電力を増大させることによって、カバレッジの増大を開始する。このとき、Ｃｏｍｐセル１およびＣｏｍｐセル２は、送信電力を徐々に増大させてもよい。
【０１３６】
ステップＳＴ２１０６およびステップＳＴ２１０７において、ＥＳセルは、全てのＣｏｍｐセル、ここではＣｏｍｐセル１およびＣｏｍｐセル２から、補償応答メッセージ、具体的には許可メッセージを受信する。全てのＣｏｍｐセルから補償応答メッセージとして、許可メッセージを受信したＥＳセルは、ステップＳＴ２１０８において、自セルに接続しているＵＥをＣｏｍｐセルにオフロード（offload）することを決定する。
【０１３７】
ステップＳＴ２１１１において、ＥＳセルは、自セルに接続しているＵＥに、メジャメントを行わせるためのメッセージを通知する。メジャメントを行わせるためのメッセージとしては、ＲＲＣシグナリングのメジャメント設定（measurement configuration）メッセージを用いるとよい。メジャメント設定メッセージの中で、測定するセルをＣｏｍｐセルに設定するとよい。具体的には、Ｃｏｍｐセルのキャリア周波数とセル識別子とを設定するとよい。Ｃｏｍｐセルのキャリア周波数とセル識別子とは、Ｃｏｍｐセルリストとして設定してもよい。図１０に示す例では、ＥＳセルは、自セルに接続しているＵＥに対して、Ｃｏｍｐセルリストを含むメジャメント設定メッセージを通知する。
【０１３８】
ステップＳＴ２１１１においてメジャメント設定メッセージを受信したＵＥは、ステップＳＴ２１１２において、受信したメジャメント設定メッセージに従って、メジャメントを実行する。
【０１３９】
メジャメントイベントが発生した場合、ステップＳＴ２１１３において、ＵＥは、ＥＳセルに、メジャメント報告（Measurement Report）メッセージを通知する。
【０１４０】
ステップＳＴ２１１４において、ＥＳセルは、ＵＥからのメジャメント報告メッセージを用いて、ＨＯを決定する。ここでは、ＨＯ先のセル、すなわちターゲットセルは、Ｃｏｍｐセル１とする。
【０１４１】
ステップＳＴ２１１５において、ＥＳセルは、ターゲットセルであるＣｏｍｐセル１に、ＨＯを要求するＨＯ要求（HO request）メッセージを通知する。ＨＯ要求メッセージを受信したＣｏｍｐセル１は、ステップＳＴ２１１６において、流入制御（admission control）を行う。ステップＳＴ２１１７において、Ｃｏｍｐセル１は、ＥＳセルに、ＨＯ要求に応じることを表すＨＯ要求応答（HO request ack）メッセージを通知する。ステップＳＴ２１１８において、ＥＳセルは、ＵＥに、ＨＯを指示するＨＯ指示（HO command）メッセージを通知する。
【０１４２】
以上のステップＳＴ２１１５〜ステップＳＴ２１１９において、ＥＳセル、Ｃｏｍｐセル１およびＵＥの間で行われるＨＯのための前処理を、「ＨＯプレパレーション処理」という。
【０１４３】
ＨＯプレパレーション処理の後、ステップＳＴ２１１９において、ＥＳセル、Ｃｏｍｐセル１、ＭＭＥ、Ｓ−ＧＷおよびＵＥの間で、ＨＯ処理が行われる。
【０１４４】
ＥＳセルは、自セルに接続している全てのＵＥのオフロードを確認した後、ステップＳＴ２１２０において、自セルのスイッチオフを開始する。ＥＳセルのスイッチオフのときには、送信電力を徐々に減少させてもよい。
【０１４５】
ステップＳＴ２１２１において、ＥＳセルは、スイッチオフを完了し、ドーマント状態になる。
【０１４６】
ステップＳＴ２１２２およびステップＳＴ２１２３において、ＥＳセルは、周辺セルまたはＣｏｍｐセル、ここではＣｏｍｐセル１およびＣｏｍｐセル２に、スイッチオフが完了したことまたはドーマント状態になったことを表すスイッチオフメッセージを通知する。
【０１４７】
以上のようにして、ＥＳセルがＥＳ動作を行う場合の一連のシーケンスが完了する。しかし、本シーケンスの場合、ＥＳセルと接続していた全てのＵＥに対して、ＣｏｍｐセルへのＨＯ処理が正常に完了するとは限らない。
【０１４８】
例えば、ステップＳＴ２１０９またはステップＳＴ２１１０において、Ｃｏｍｐセル１またはＣｏｍｐセル２が、ＥＳセルのカバレッジを補償するために送信電力を増大させた場合、ＥＳセルへの干渉が生じる。ＥＳセルのカバレッジの端に存在するＵＥほど、Ｃｏｍｐセルの送信電力の増大による干渉が大きくなる。
【０１４９】
この干渉によって、ＥＳセルと接続しているＵＥの受信品質が劣化し、ＵＥが無線リンク失敗（Radio Link Failure：ＲＬＦ）を生じてしまうことがある。例えば、ＥＳセルと接続しているＵＥがＥＳセルからメジャメント設定メッセージを受信する前に干渉が大きくなった場合、ＵＥは、メジャメント設定メッセージの受信に失敗してしまい、ＥＳセルとの間で、ＲＬＦを生じてしまうことになる。
【０１５０】
ＲＬＦを生じたＵＥは、ＲＲＣ接続を再度設立するＲＲＣ接続再設立（RRC connection reestablishment）を行うことになる。通常、ＲＲＣ接続再設立は、セル選択の動作と同様に行われるので、セルサーチに多大な時間がかかったり、最適なセルをサーチすることができなかったりして、ＲＲＣ接続再設立の繰返しが生じてしまう場合がある。ＲＲＣ接続再設立の繰返しが生じた場合、ＵＥが、接続状態（ＲＲＣ＿Ｃｏｎｎｅｃｔｅｄ状態）から待ち受け状態（ＲＲＣ＿Ｉｄｌｅ状態）に移行してしまうことがある。
【０１５１】
これによって、通信に大きな遅延が生じたり、データの欠落が生じたりして、通信断となってしまうことがある。これは、ユーザエクスペリエンス（user experience）を劣化させることになる。
【０１５２】
以上のような問題を解決するために、ＥＳセルがスイッチオン状態からスイッチオフ状態へ遷移するときに、接続状態のＵＥが、その状態を維持することができる通信システムが求められる。そこで、本実施の形態では、以下の構成を採用している。
【０１５３】
ＥＳセルを構成するｅＮＢは、ＥＳセルの傘下のＵＥに、自ＥＳセルのＥＳ時に補償するＣｏｍｐセルに関する情報を通知する。すなわち、ＥＳセルは、ＵＥに、Ｃｏｍｐセルに関する情報を通知する。
【０１５４】
Ｃｏｍｐセルに関する情報の例として、以下の（１）〜（５）の５つを開示する。
（１）Ｃｏｍｐセルのセル識別子。
Ｃｏｍｐセルのセル識別子としては、例えば、ＰＣＩ、Ｅ−ＣＧＩがある。Ｃｏｍｐセルが補償のためにカバレッジを増減する前後（以下、増減する前後を「Ｃｏｍｐ前後」といい、増減する前を「Ｃｏｍｐ前」といい、増減した後を「Ｃｏｍｐ後」いう場合がある）で、Ｃｏｍｐセルのセル識別子が変更される場合は、Ｃｏｍｐ後のセル識別子を用いるとよい。あるいは、Ｃｏｍｐ前のセル識別子とＣｏｍｐ後のセル識別子との両方を対応付けて用いてもよい。
【０１５５】
（２）キャリア周波数。
Ｃｏｍｐ前後でＣｏｍｐセルのキャリア周波数が変更される場合は、Ｃｏｍｐ後のキャリア周波数を用いるとよい。あるいは、Ｃｏｍｐ前のキャリア周波数とＣｏｍｐ後のキャリア周波数との両方を対応付けて用いてもよい。
【０１５６】
（３）周波数バンド。
Ｃｏｍｐ前後でＣｏｍｐセルの周波数バンドが変更される場合は、Ｃｏｍｐ後の周波数バンドを用いるとよい。あるいは、Ｃｏｍｐ前の周波数バンドとＣｏｍｐ後の周波数バンドとの両方を対応付けて用いてもよい。
（４）Ｃｏｍｐセルインジケーション。Ｃｏｍｐセルであることを示す情報。
（５）前記（１）〜（４）の組合せ。
【０１５７】
自ＥＳセルのＥＳ時に補償するＣｏｍｐセルが複数の場合、Ｃｏｍｐセルリストとして、複数のＣｏｍｐセルに関する情報を用いてもよい。
【０１５８】
ＥＳセルが、ＵＥに、Ｃｏｍｐセルに関する情報を通知する方法について開示する。ＥＳセルは、傘下のＵＥに、Ｃｏｍｐセルに関する情報を報知する。Ｃｏｍｐセルに関する情報は、システム情報に含めて報知されてもよい。Ｃｏｍｐセルに関する情報は、システム情報の周辺セルリストに含めて報知されてもよい。あるいは、新たな周辺セルリストとしてＣｏｍｐセルリストを設けて、報知されてもよい。Ｃｏｍｐセルに関する情報を報知する場合、ＲＲＣ＿Ｃｏｎｎｅｃｔｅｄ状態のＵＥだけでなく、ＲＲＣ＿Ｉｄｌｅ状態のＵＥにも通知可能となる。ＥＳセルがスイッチオフする場合のセル再選択のときに、通知されたＣｏｍｐセルをサーチするようにしてもよい。
【０１５９】
ＥＳセルが、ＵＥに、Ｃｏｍｐセルに関する情報を通知する他の方法を開示する。ＥＳセルは、対象となるＵＥに、Ｃｏｍｐセルに関する情報を個別シグナリングで通知する。個別シグナリングとしては、ＲＲＣシグナリングを用いるとよい。この場合、例えば、ＲＲＣシグナリングで通知するメッセージに、Ｃｏｍｐセルに関する情報を含めるとよい。Ｃｏｍｐセルに関する情報は、ＲＲＣシグナリングで通知する周辺セルリストに含めて通知されてもよい。あるいは、新たな周辺セルリストとしてＣｏｍｐセルリストを設けて、通知されてもよい。また、ＵＥが接続する場合のＲＲＣ接続設立（RRC connection establishment）処理のときに通知されてもよい。ＥＳセルが、ＵＥのＲＲＣ接続設立時にＣｏｍｐセルに関する情報を通知することによって、ＵＥは、早期にＣｏｍｐセルの存在を認識することが可能となる。
【０１６０】
「ＥＳセルはＵＥにＣｏｍｐセルに関する情報を通知する」としたが、ＥＳセルは、自セルのスイッチオフを決定した場合あるいはスイッチオフを指示された場合に、ＵＥにＣｏｍｐセルに関する情報を通知する、としてもよい。該情報の通知を、スイッチオフを決定した場合あるいはスイッチオフを指示された場合に限定することによって、例えば、ＥＳセルでありながらスイッチオフする機会が少ない場合に、該情報の通知のための無駄なシグナリングを削減することが可能となる。
【０１６１】
ＥＳセルと接続しているＵＥは、ＲＬＦおよびハンドオーバ失敗（Handover failure：ＨＯＦ）の少なくともいずれか一方を生じた場合、Ｃｏｍｐセルに、ＲＲＣ接続再設立を行う。
【０１６２】
ＵＥが、自ＵＥのサービングセルがＥＳセルか否かを判断する方法を開示する。ＵＥは、例えば、Ｃｏｍｐセルに関する情報を通知されたか否かに基づいて判断すればよい。ＵＥは、サービングセルから、Ｃｏｍｐセルに関する情報を通知された場合、該サービングセルはＥＳセルであると判断し、Ｃｏｍｐセルに関する情報を通知されない場合、該サービングセルはＥＳセルではないと判断すればよい。
【０１６３】
ＥＳセルは、対象となるＵＥに、自セルがＥＳセルであることを認識させたい場合、その対象となるＵＥに、Ｃｏｍｐセルに関する情報を通知するとよい。
【０１６４】
ＵＥが、自ＵＥのサービングセルがＥＳセルか否かを判断する他の方法として、ＥＳセルは、対象となるＵＥに、自セルがＥＳセルであること、あるいは自セルがＥＳセルか否かを通知してもよい。これによって、ＵＥは、明示的に自ＵＥのサービングセルがＥＳセルか否かを認識することができる。また、ＵＥは、ＥＳセルから通知される情報を用いて、サービングセルがＥＳセルか否かを判断することができる。この方法では、先に開示した方法に比べて、ＥＳセルからＵＥに通知する情報量は多くなるが、明示的にＥＳセルであることをＵＥに通知するので、システムとして誤動作を少なくすることが可能となる。
【０１６５】
以上の方法を用いることによって、仮に、ＥＳセルがスイッチオン状態からスイッチオフ状態へ遷移するときに、ＥＳセルに接続していたＵＥがＲＬＦあるいはＨＯＦを生じたとしても、それに続くＲＲＣ接続再設立をＣｏｍｐセルに対して行うことが可能となる。
【０１６６】
ＥＳセルがスイッチオン状態からスイッチオフ状態へ遷移するとき、Ｃｏｍｐセルは、ＥＳセルのカバレッジを補償する。これによって、Ｃｏｍｐセルに対してＲＲＣ接続再設立を行ったＵＥが、Ｃｏｍｐセルと接続できる可能性は高くなる。したがって、ＥＳセルに接続していたＲＲＣ＿Ｃｏｎｎｅｃｔｅｄ状態のＵＥが、その状態を維持できる可能性は高くなる。
【０１６７】
図１１は、本発明の実施の形態１の通信システムにおけるＥＳ処理のシーケンスの一例を示す図である。図１１に示すシーケンスは、図１０に示すシーケンスと類似しているので、図１０に対応するステップについては、同一のステップ番号を付して、共通する説明を省略する。
【０１６８】
ステップＳＴ２２０１において、ＥＳセルは、ＵＥに、Ｃｏｍｐセルに関する情報を通知する。具体的には、ＥＳセルは、ＵＥに、Ｃｏｍｐセルに関する情報として、Ｃｏｍｐセルリスト（Comp cell list）を通知する。Ｃｏｍｐセルリストは、例えば、システム情報として報知するとよい。
【０１６９】
その後、ＥＳセルは、ステップＳＴ２１０１において、スイッチオフを決定し、ステップＳＴ２１２４において、自セルのカバレッジを補償する全てのＣｏｍｐセルに対して、補償要求処理を行う。
【０１７０】
ＥＳセルは、ステップＳＴ２１０１においてスイッチオフを決定する前、あるいはステップＳＴ２１２４においてＣｏｍｐセルに補償を開始させるためのメッセージを通知する前に、Ｃｏｍｐセルに関する情報をＵＥに通知しておくことが好ましい。したがって、本実施の形態では、前述のようにステップＳＴ２２０１において、ＥＳセルは、ＵＥに、Ｃｏｍｐセルに関する情報を通知している。前述のステップＳＴ２１２４におけるＣｏｍｐセルに補償を開始させるためのメッセージは、ここでは、補償要求メッセージとなる。
【０１７１】
ＥＳセルは、ステップＳＴ２１０８において、ＥＳセルが接続しているＵＥに対してオフロードを決定した後、ステップＳＴ２２０２において、ＵＥに、メジャメント設定のためのメッセージを通知する。ここでは、Ｃｏｍｐセルからの干渉によって、メジャメント設定メッセージがＵＥにおいて正常に受信できず、ＲＬＦを生じる場合について説明する。
【０１７２】
ステップＳＴ２２０２においてメジャメント設定メッセージの受信に失敗したＵＥは、予め定める期間の経過後、ステップＳＴ２２０３において、ＲＬＦを発生する。ＲＬＦを発生したＵＥは、ステップＳＴ２２０７において、ＲＲＣ接続再設立（RRC connection reestablishment）処理のためにセル選択処理を開始し、そのためのメジャメントを行う。このメジャメントにおいて、ＵＥは、ステップＳＴ２２０１で通知されたＣｏｍｐセルに関する情報を用いる。具体的には、Ｃｏｍｐセルリストに含まれるＣｏｍｐセルのキャリア周波数とセル識別子とを用いて、該セルのメジャメントを行う。
【０１７３】
メジャメントによってＣｏｍｐセルリスト内でベストセルを選択したＵＥは、ステップＳＴ２２０４において、ベストセルに、ＲＲＣ接続再設立要求（RRC connection reestablishment request）メッセージを通知する。ここでは、Ｃｏｍｐセル１をベストセルとする。
【０１７４】
ステップＳＴ２２０４でＲＲＣ接続再設立要求メッセージを受信したＣｏｍｐセル１は、ＵＥに対してＲＲＣ接続の再構成を行う。Ｃｏｍｐセル１は、ステップＳＴ２２０５において、ＵＥに、ＲＲＣ接続の再構成パラメータを含むＲＲＣ接続再設立（RRC connection reestablishment）メッセージを通知する。
【０１７５】
ステップＳＴ２２０５でＲＲＣ接続再設立メッセージを受信したＵＥは、ＲＲＣ接続再設立処理を行う。ＵＥは、ステップＳＴ２２０６において、Ｃｏｍｐセル１に、ＲＲＣ接続再設立完了（RRC connection reestablishment complete）メッセージを通知する。これによって、ＲＲＣ接続再設立処理が完了し、ＵＥとＣｏｍｐセル１との間で通信が行われる。ＲＲＣ接続再設立処理が成功した場合、ＵＥは、ＲＲＣ＿Ｉｄｌｅ状態に移行することなく、ＲＲＣ＿Ｃｏｎｎｅｃｔｅｄ状態を維持することになる。
【０１７６】
ステップＳＴ２２０７のメジャメントにおいて、ＵＥは、ＥＳセルのカバレッジを補償するＣｏｍｐセルをサーチすることが可能となるので、早期にベストセルを検出することができる。また、ＥＳセルがスイッチオフした後に確実に接続できるセルを検出することが可能となる。
【０１７７】
これによって、セルサーチの時間の短縮を図ることができ、ＲＲＣ接続再設立の繰返しの発生を抑制することが可能となる。また、ＲＲＣ接続再設立の成功の可能性を向上させることが可能となる。したがって、ＵＥは、ＲＲＣ＿Ｉｄｌｅ状態に移行することなく、ＲＲＣ＿Ｃｏｎｎｅｃｔｅｄ状態を維持することが可能となる。また、遅延時間を低減させることが可能となり、データの欠落および通信断の発生確率を低減させることが可能となる。これは、ユーザエクスペリエンスの劣化を抑えることになる。
【０１７８】
以上のように本実施の形態によれば、ＥＳセルを構成する基地局装置は、Ｃｏｍｐセルによってカバレッジの補償が開始される前に、ＥＳセルと接続状態にあるＵＥに、ＥＳセルがスイッチオフ状態であるときにＥＳセルのカバレッジを補償するＣｏｍｐセルに関する情報を通知する。これによって、ＥＳセルがスイッチオン状態からスイッチオフ状態へ遷移するときに、ＥＳセルに接続していたＵＥが、ＥＳセルと通信できない状態になった場合でも、ＵＥは、予め通知されていたＣｏｍｐセルに関する情報を用いて、Ｃｏｍｐセルと通信を確立することが可能となる。したがって、ＥＳセルがスイッチオン状態からスイッチオフ状態へ遷移するときに、接続状態のＵＥが、その状態を維持することができる。
【０１７９】
ＥＳセルのカバレッジを補償する前のＣｏｍｐセルのカバレッジは、ＥＳセルのカバレッジの補償を開始した後のＣｏｍｐセルのカバレッジよりも狭い。これによって、ＣｏｍｐセルがＥＳセルのカバレッジを補償する前の状態では、ＥＳセルのカバレッジの中央付近に存在するＵＥは、ＣｏｍｐセルにＲＲＣ接続再設立を行っても失敗する可能性が高い。ＵＥがＣｏｍｐセルにＲＲＣ接続再設立を行うのは、ＣｏｍｐセルがＥＳセルのカバレッジを補償するために増大している状態、あるいは増大過程の状態である方がよい。ＥＳセルが通常（ノーマル（normal））動作状態（以下「通常（ノーマル）状態」という場合がある）のときには、ＵＥは、従来のＲＲＣ接続再設立動作を行うようにした方がよい。
【０１８０】
したがって、ＥＳセルがドーマント状態へ遷移する場合に、ＵＥは、ＣｏｍｐセルにＲＲＣ接続再設立を行うようにするとよい。ＥＳセルがドーマント状態に遷移する場合以外は、ＵＥは、Ｃｏｍｐセルに限定せずにＲＲＣ接続再設立を行うようにする。
【０１８１】
ＵＥが、ＣｏｍｐセルがＥＳセルのカバレッジを補償するために増大している状態、あるいは増大過程の状態であることを、どのようにして認識するかが課題となる。この課題を解決するための方法を、以下に開示する。
【０１８２】
ＵＥがＥＳセルの状態を認識する。具体的には、新たに、ＥＳセルの状態情報を設ける。ＥＳセルの状態情報としては、通常（ノーマル）状態、すなわちスイッチオン状態か、またはＥＳ遷移状態、すなわちノーマル状態からドーマント状態への遷移状態かを含む情報とするとよい。ＥＳ遷移状態は、ＥＳセルがスイッチオフを決定してからスイッチオフを開始するまでの状態としてもよい。
【０１８３】
また、ＥＳセルの状態情報としては、ＥＳ遷移状態か否かを示す情報としてもよい。これによって、ＵＥに通知する情報が、少ない情報量で済む。
【０１８４】
ＥＳセルの状態情報は、ＥＳセルによって、ＵＥに通知される。ＥＳセルが自セルの状態情報をＵＥに通知する方法を開示する。ＥＳセルは、自セルの状態情報を傘下のＵＥに報知する。ＥＳセルの状態情報は、システム情報に含めて報知されてもよい。ＥＳセルの状態情報の変更は、システム情報の変更処理で行うとよい。ＥＳセルの状態情報の変更は、ＥＳセルがスイッチオフを決定したこと、あるいは、ＥＳセルがスイッチオフ指示を受けたことを契機に行ってもよい。
【０１８５】
ＥＳセルが自セルの状態情報をＵＥに通知する他の方法を開示する。ＥＳセルは、ＵＥに、自セルの状態情報を個別シグナリングで通知する。ＥＳセルの状態情報のＵＥへの最初の通知は、ＲＲＣ接続設立（RRC connection establishment）時にＲＲＣ接続設立メッセージに含めて行われてもよい。ＥＳセルの状態情報は、ＲＲＣ接続再設定（RRC connection reconfiguration）メッセージに含めて通知されてもよい。ＥＳセルの状態情報を通知するために、新たなＲＲＣシグナリングメッセージを設けてもよい。この場合、新たなＲＲＣシグナリングメッセージは、ＥＳセルの状態が変更されたときに、個別シグナリングで通知されればよい。
【０１８６】
前述の「ＵＥが、ＣｏｍｐセルがＥＳセルのカバレッジを補償するために増大している状態、あるいは増大過程の状態であることを、どのようにして認識するか」という課題を解決するための他の方法を以下に開示する。ＵＥがＣｏｍｐセルの状態を認識する。
【０１８７】
具体例として、ＥＳセルがＣｏｍｐセルの状態情報をＵＥに通知するとよい。通知方法は、前述のＥＳセルが自セルの状態情報をＵＥに通知する方法を適用すればよい。
【０１８８】
他の具体例として、ＵＥが、Ｃｏｍｐセルに関する情報に基づいて、Ｃｏｍｐセルの状態を認識するようにしてもよい。
【０１８９】
Ｃｏｍｐセルに関する情報は、ＥＳセルがスイッチオフを決定した後に、ＥＳセルからＵＥに通知するようにする。また、Ｃｏｍｐセルに関する情報は、Ｃｏｍｐセルに補償を開始させるためのメッセージを通知するときに、ＥＳセルからＵＥに通知するようにする。
【０１９０】
以上のようにすることによって、ＵＥは、ＥＳセルから該Ｃｏｍｐセルに関する情報を受信した場合、ＣｏｍｐセルがＥＳセルのカバレッジを補償するために送信電力を増大し、カバレッジの増大を開始することを認識することができる。
【０１９１】
したがって、ＵＥは、ＥＳセルからＣｏｍｐセルに関する情報が通知された場合に、ＣｏｍｐセルにＲＲＣ接続再設立を行うことによって、ＲＲＣ接続再設立の失敗を低減させることができる。
【０１９２】
この方法によれば、ＥＳセルの状態情報をＵＥに通知する必要が無いので、シグナリング情報量の増大、シグナリング負荷の増大、およびシステムとしての制御の複雑化を抑制することが可能となる。
【０１９３】
実施の形態１  変形例１．
本変形例では、実施の形態１で述べた問題を解決する他の方法を開示する。ＥＳセルを構成するｅＮＢは、ＥＳセルがスイッチオフを決定した場合、あるいは、ＥＳセルがスイッチオフの指示を受けた場合、接続しているＵＥに、メジャメントのためのメッセージでＣｏｍｐセルを設定して通知する。具体的には、ＥＳセルを構成するｅＮＢは、メジャメントのためのメッセージにＣｏｍｐセルの設定を含ませてＵＥに通知することによって、ＵＥにＣｏｍｐセルを設定して通知する。Ｃｏｍｐセルの設定は、Ｃｏｍｐセルに関する情報に相当する。
【０１９４】
メジャメントのためのメッセージとしては、ＲＲＣシグナリングのメジャメント設定（measurement configuration）メッセージを用いるとよい。Ｃｏｍｐセルの設定としては、例えば、Ｃｏｍｐセルのキャリア周波数とセル識別子とを設定するとよい。Ｃｏｍｐセルの設定は、Ｃｏｍｐセルリストとして設定されてもよい。Ｃｏｍｐ前後でＣｏｍｐセルの設定が変更される場合は、Ｃｏｍｐ後のＣｏｍｐセルの設定を用いるとよい。あるいは、Ｃｏｍｐ前のＣｏｍｐセルの設定とＣｏｍｐ後のＣｏｍｐセルの設定との両方を対応付けて用いてもよい。メジャメントのためのメッセージは、Ｃｏｍｐセルに補償を開始させるためのメッセージを通知する前に通知しておくことが好ましい。
【０１９５】
前述したように、ＲＲＣ接続再設立の起動は、セル選択（セルセレクション）で始まる。通常、ＲＲＣ接続再設立におけるセル選択では、記憶された情報に基づいたセル選択（以下「記憶情報セル選択（Stored Information Cell Selection）」という場合がある）が用いられる。記憶情報セル選択（Stored Information Cell Selection）では、以前にメジャメントのためのメッセージで受信したキャリア周波数およびセル識別子などのＣｏｍｐセルの設定について、あるいは以前に検出したセルについて、セル選択が行われる（非特許文献２参照）。
【０１９６】
メジャメントのためのメッセージで受信したキャリア周波数およびセル識別子などのＣｏｍｐセルの設定、あるいは以前に検出したセルについての情報の記憶は、ＲＬＦ発生時にＵＥで行われる。ＵＥは、記憶されたキャリア周波数およびセル識別子などのＣｏｍｐセルの設定、あるいは以前に検出したセルについての情報を用いて、ＲＲＣ接続再設立のための記憶情報セル選択（Stored Information Cell Selection）を行う。
【０１９７】
以上のように、本変形例では、ＥＳセルがスイッチオフを決定した場合、あるいは、ＥＳセルがスイッチオフの指示を受けた場合、ＥＳセルを構成するｅＮＢは、ＥＳセルに接続しているＵＥに、メジャメントのためのメッセージでＣｏｍｐセルを設定して通知する。これによって、その後、ＵＥにおいてＥＳセルとの間でＲＬＦが発生した場合に、ＵＥが記憶情報セル選択（Stored Information Cell Selection）によって、Ｃｏｍｐセル、あるいはＣｏｍｐセルのうち、メジャメントで検出したセルに対して、ＲＲＣ接続再設立処理が行われることになる。
【０１９８】
したがって、たとえＥＳセルがスイッチオン状態からスイッチオフ状態へ遷移する場合に、ＥＳセルに接続していたＵＥでＲＬＦあるいはＨＯＦが生じたとしても、それに続くＲＲＣ接続再設立をＣｏｍｐセルに対して行うことが可能となる。
【０１９９】
また、ＥＳセルがスイッチオン状態からスイッチオフ状態に遷移する場合、Ｃｏｍｐセルは、ＥＳセルのカバレッジを補償するので、Ｃｏｍｐセルに対してＲＲＣ接続再設立を行ったＵＥが、該Ｃｏｍｐセルと接続できる可能性が高くなる。したがって、ＥＳセルに接続していたＲＲＣ＿Ｃｏｎｎｅｃｔｅｄ状態のＵＥが、その状態を維持できる可能性を高めることができる。
【０２００】
図１２は、本発明の実施の形態１の変形例１の通信システムにおけるＥＳ処理のシーケンスの一例を示す図である。図１２に示すシーケンスは、図１０および図１１に示すシーケンスと類似しているので、図１０および図１１に対応するステップについては、同一のステップ番号を付して、共通する説明を省略する。
【０２０１】
ＥＳセルは、ステップＳＴ２１０１において、スイッチオフを決定すると、ステップＳＴ２３０１において、ＵＥに、メジャメントのためのメッセージを通知する。図１２に示す例では、メジャメントのためのメッセージは、メジャメント設定（measurement configuration）メッセージとする。ＥＳセルは、メジャメント設定メッセージに、メジャメント対象セルとしてＣｏｍｐセルを設定する。図１２に示す例では、ＥＳセルは、メジャメント設定メッセージに、一つまたは複数のＣｏｍｐセルを含むＣｏｍｐセルリストを設定する。Ｃｏｍｐセルリストには、ＥＳセルがＥＳした場合にカバレッジの補償を行うＣｏｍｐセルが含まれる。
【０２０２】
ＥＳセルは、Ｃｏｍｐセルの設定情報をメジャメント設定メッセージに含ませることによって、メジャメント設定メッセージにＣｏｍｐセルを設定する。ＣｏｍｐセルがＣｏｍｐセルリストとしてメジャメント設定メッセージに設定される場合、ＥＳセルは、Ｃｏｍｐセルに含まれる各Ｃｏｍｐセルの設定情報をメジャメント設定メッセージに含ませることによって、メジャメント設定メッセージにＣｏｍｐセルリストを設定する。Ｃｏｍｐセルの設定情報としては、Ｃｏｍｐセルのキャリア周波数およびセル識別子とするとよい。
【０２０３】
ステップＳＴ２３０１においてメジャメントのためのメッセージ、具体的にはＣｏｍｐセルリストが設定されたメジャメント設定メッセージを受信したＵＥは、ステップＳＴ２３０２において、Ｃｏｍｐセルリストに含まれるＣｏｍｐセルのメジャメントを行う。メジャメントによるイベントは、多くの場合、Ｃｏｍｐセルがカバレッジを補償するために送信電力の増大を開始してから発生する。図１２に示す例では、ステップＳＴ２１０９およびステップＳＴ２１１０の処理が実行されてからとなる。この場合、同時に、ＣｏｍｐセルがＥＳセルに干渉を与えることになる。
【０２０４】
したがって、ＵＥは、たとえメジャメントイベントが発生したとしても、ステップＳＴ２３０３においてメジャメント報告用の上りスケジューリングを受信することができず、メジャメント報告をＥＳセルに通知できなくなる場合が生じる。この場合、ＥＳセルは、該ＵＥをＣｏｍｐセルにオフロードするためのＨＯを起動することができない。
【０２０５】
さらにＣｏｍｐセルからの干渉によって、ステップＳＴ２２０３において、ＵＥは、ＥＳセルとの間でＲＬＦを発生する場合がある。この場合、ＵＥは、ステップＳＴ２３０１で受信したメジャメントのためのメッセージ内のメジャメント対象セル、ここではＣｏｍｐセルリストの情報を記憶する。あるいは、ＵＥは、ステップＳＴ２３０２で行ったメジャメントによって検出したＣｏｍｐセルの情報を記憶する。
【０２０６】
ステップＳＴ２３０４において、ＵＥは、情報を記憶したセルに対して、ＲＲＣ接続再設立のための記憶情報セル選択（Stored Information Cell Selection）を行う。したがって、ＵＥは、ステップＳＴ２３０４のセル選択のためのメジャメントにおいて、Ｃｏｍｐセルの中からベストセルを選択することになる。
【０２０７】
ステップＳＴ２２０４〜ステップＳＴ２２０６において、ＵＥは、ベストセルであるＣｏｍｐセル、図１２に示す例ではＣｏｍｐセル１に対して、ＲＲＣ接続再設立処理を行うことになる。具体的には、ステップＳＴ２２０４において、ＵＥは、Ｃｏｍｐセル１に、ＲＲＣ接続再設立要求（RRC connection reestablishment request）メッセージを通知する。ステップＳＴ２２０５において、Ｃｏｍｐセル１は、ＵＥに、ＲＲＣ接続再設立（RRC connection reestablishment）メッセージを通知する。
【０２０８】
ＵＥは、ステップＳＴ２２０５でＣｏｍｐセル１からＲＲＣ接続再設立メッセージを通知されると、ＲＲＣ接続再設立処理を実行し、ステップＳＴ２２０６において、Ｃｏｍｐセル１に、ＲＲＣ接続再設立完了（RRC connection reestablishment complete）メッセージを通知する。
【０２０９】
これによって、Ｃｏｍｐセル１とのＲＲＣ接続再設立処理が成功した場合、ＵＥは、ＲＲＣ＿Ｉｄｌｅ状態に遷移することなく、ＲＲＣ＿Ｃｏｎｎｅｃｔｅｄ状態を維持することになる。
【０２１０】
本変形例で開示した方法を用いることによって、ステップＳＴ２３０４のメジャメントにおいて、ＵＥは、ＥＳセルのカバレッジを補償するＣｏｍｐセルをサーチすることが可能となる。これによって、早期にベストセルを検出することができる。また、ＥＳセルがスイッチオフした後に確実に接続できるセルを検出することが可能となる。したがって、前述の実施の形態１と同様の効果を得ることができる。
【０２１１】
また、前述の実施の形態１では、別途、ＥＳセルからＵＥに対してＣｏｍｐセルリストの通知が必要であったが、本変形例ではその必要がない。本変形例では、メジャメントのためのメッセージの通知を早期に行うだけでよい。これによって、通信システムにおける制御を簡易にすることができる。
【０２１２】
さらに、本変形例では、前述の実施の形態１で開示したＥＳセルの状態情報を新たに設ける必要がなく、また該情報をＵＥに通知する必要もない。したがって、通信システムにおける制御をより容易に行うことができる。
【０２１３】
図１３は、本発明の実施の形態１の変形例１の通信システムにおけるＥＳ処理のシーケンスの他の例を示す図である。図１３に示すシーケンスは、図１０〜図１２に示すシーケンスと類似しているので、図１０〜図１２に対応するステップについては、同一のステップ番号を付して、共通する説明を省略する。
【０２１４】
図１３では、ＥＳセルは、ステップＳＴ２１０８において、自セルに接続しているＵＥに対してオフロードすることを決定すると、ステップＳＴ２４０１およびステップＳＴ２４０２において、Ｃｏｍｐセルに、補償を開始させるためのメッセージとして、補償開始要求メッセージを通知する。
【０２１５】
補償開始要求メッセージを受信したＣｏｍｐセルは、ステップＳＴ２１０９およびステップＳＴ２１１０において、カバレッジの補償を開始する。具体的には、Ｃｏｍｐセルは、カバレッジを補償するために、送信電力の増大を開始する。
【０２１６】
以上のように、ＥＳセルは、オフロードすることを決定した場合に、Ｃｏｍｐセルに補償開始要求メッセージを通知してもよい。これによって、全てのＣｏｍｐセルが補償許可をしない状態で、ＵＥのオフロードを開始することを防ぐことが可能になる。また、ＥＳセルがスイッチオフを開始してしまうことを防ぐことを可能とする。
【０２１７】
Ｃｏｍｐセルは、補償を許可しない場合は、ＥＳセルに、補償応答メッセージとして、不許可メッセージを通知するとよい。Ｃｏｍｐセルは、ステップＳＴ２１２４の補償要求処理、具体的には図１０に示すステップＳＴ２１０６またはステップＳＴ２１０７において、補償応答メッセージ、具体的には不許可メッセージをＥＳセルに通知するとよい。
【０２１８】
図１３に示す例では、ＥＳセルは、ステップＳＴ２４０１およびステップＳＴ２４０２においてＣｏｍｐセルに補償開始要求を通知する前に、ステップＳＴ２３０１において、オフロード対象のＵＥに、メジャメントのためのメッセージを通知する。ステップＳＴ２３０１のメジャメントのためのメッセージを通知する処理は、ステップＳＴ２１０８のＥＳセルがオフロードすることを決定する処理と、ステップＳＴ２４０１およびステップＳＴ２４０２のＣｏｍｐセルに補償開始要求メッセージを通知する処理との間に実行されてもよい。
【０２１９】
以上のようにすることによって、ＵＥは、たとえ、ステップＳＴ２３０３において、Ｃｏｍｐセルからの干渉によってＥＳセルの下り品質が劣化して、上りスケジューリングなどの下り信号を受信できずに、ステップＳＴ２２０３においてＲＬＦを発生したとしても、ステップＳＴ２３０４におけるメジャメントにおいて、記憶情報セル選択（Stored Information Cell Selection）を行うことが可能となる。また、ＥＳセルのカバレッジを補償するＣｏｍｐセルをサーチすることが可能となる。
【０２２０】
また、ＨＯＦの場合にも、ここで開示した方法を適用してもよい。ここで開示した方法を適用することによって、ＨＯＦの場合も、記憶情報セル選択（Stored Information Cell Selection）を行うことが可能となる。また、ＥＳセルのカバレッジを補償するＣｏｍｐセルをサーチすることが可能となる。
【０２２１】
これによって、ＵＥは、早期にベストセルを検出することができる。また、ＵＥは、ＥＳセルがスイッチオフした後に、確実に接続できるセルを検出することが可能となる。したがって、前述の図１２に示すシーケンスを実行した場合の効果と同様の効果を得ることができる。
【０２２２】
実施の形態１  変形例２．
ＲＲＣ接続再設立は、ＲＲＣ接続再設立を行うセルがプリペアされている場合にのみ成功する。ここで、「プリペアされている」とは、有効なＵＥコンテキスト（UE context）を有していることをいう。
【０２２３】
従来のＨＯにおいて、対象となるＵＥのＵＥコンテキストは、ＨＯ元のｅＮＢからＨＯ先のｅＮＢへのＨＯ要求メッセージに含めて通知される。したがって、例えば、ＥＳセルが、Ｃｏｍｐセルに、オフロードするＵＥのＨＯ要求メッセージを通知する前に、該ＵＥがＲＬＦになった場合は、ＣｏｍｐセルにはＵＥコンテキストが通知されない。この場合、ＵＥがＣｏｍｐセルにＲＲＣ接続再設立を要求したとしても、ＲＲＣ接続再設立は成功せず、ＲＲＣ＿Ｃｏｎｎｅｃｔｅｄ状態を維持できなくなる。
【０２２４】
本変形例では、この問題を解決する方法を開示する。ＥＳセルを構成するｅＮＢは、該ＥＳセルと接続したＵＥのＵＥコンテキストを、Ｃｏｍｐセルに通知する。これによって、ＥＳセルが、オフロードするＵＥのＨＯ要求メッセージをＣｏｍｐセルに通知する前に、該ＵＥがＲＬＦになったとしても、Ｃｏｍｐセルは該ＵＥのＵＥコンテキストを既に取得しているので、ＵＥがＣｏｍｐセルにＲＲＣ接続再設立を要求した場合に、ＲＲＣ接続再設立が成功することになる。したがって、ＲＲＣ＿Ｃｏｎｎｅｃｔｅｄ状態を維持することが可能となる。
【０２２５】
ＵＥコンテキストの通知タイミングの具体例を以下に開示する。ＥＳセルを構成するｅＮＢは、ＥＳセルがスイッチオフを決定した場合、あるいはＥＳセルがスイッチオフの指示を受けた場合、Ｃｏｍｐセルに、ＥＳセルと接続しているＵＥのＵＥコンテキストを通知する。
【０２２６】
また、ＥＳセルは、自セルを完全にスイッチオフする前に、Ｃｏｍｐセルに、ＥＳセルと接続しているＵＥのＵＥコンテキストを通知するようにしてもよい。
【０２２７】
また、ＥＳセルは、Ｃｏｍｐセルに補償を開始させるためのメッセージを通知する前に、Ｃｏｍｐセルに、ＥＳセルと接続しているＵＥのＵＥコンテキストを通知するようにしてもよい。
【０２２８】
ＵＥコンテキストを通知する方法の具体例として、ＵＥコンテキストは、ＥＳセルからＣｏｍｐセルに通知する補償要求メッセージに含ませて、あるいは補償要求メッセージと一緒にして、通知するとよい。ＥＳセルは、Ｃｏｍｐセルに、自セルに接続しているＵＥのＵＥコンテキストを通知する。
【０２２９】
ＵＥコンテキストを通知する方法の他の具体例として、ＵＥコンテキストは、ＥＳセルからＣｏｍｐセルに通知する補償開始要求メッセージに含ませて、あるいは補償開始要求メッセージと一緒にして、通知するとよい。ＥＳセルは、Ｃｏｍｐセルに、自セルに接続しているＵＥのＵＥコンテキストを通知する。
【０２３０】
通知するＵＥコンテキストは、ＲＲＣコンテキスト（RRC context）、ＡＳ設定（AS-configuration）など、従来のＨＯ要求メッセージで通知するＵＥコンテキストと同じとするとよい。あるいは、従来のＨＯ要求メッセージのＵＥコンテキストのうち、ＲＬＦリカバリのための情報を、通知するＵＥコンテキストとしてもよい。
【０２３１】
図１４は、本発明の実施の形態１の変形例２の通信システムにおけるＥＳ処理のシーケンスの一例を示す図である。図１４に示すシーケンスは、図１０および図１１に示すシーケンスと類似しているので、図１０および図１１に対応するステップについては、同一のステップ番号を付して、共通する説明を省略する。
【０２３２】
ステップＳＴ２１０１においてスイッチオフを決定したＥＳセルは、自セルに接続しているＵＥのＵＥコンテキストを、ステップＳＴ２５０１およびステップＳＴ２５０２において、Ｃｏｍｐセル、具体的にはＣｏｍｐセル１，２に通知する。ＵＥコンテキストは、ＥＳセルからＣｏｍｐセルに通知される補償要求メッセージに含ませて、あるいは補償要求メッセージと一緒にして、通知されてもよい。本実施の形態では、ＥＳセルは、補償要求メッセージとＵＥコンテキストとを一緒にして、Ｃｏｍｐセルに通知する。
【０２３３】
このようにステップＳＴ２５０１およびステップＳＴ２５０２でＵＥのＵＥコンテキストをＣｏｍｐセルに通知することによって、Ｃｏｍｐセルは、ＥＳセルのカバレッジを補償するための送信電力の増大を開始する前に、オフロードされてくる可能性のあるＵＥのＵＥコンテキストを取得することができる。これによって、Ｃｏｍｐセルは、たとえＥＳセルからＨＯ要求を受信できなくても、ＥＳセルと接続していたＵＥのＵＥコンテキストを取得することができる。
【０２３４】
したがって、ＵＥがＥＳセルとの間でＲＬＦを発生して、ＣｏｍｐセルにＲＲＣ接続再設立を行った場合に、ＲＲＣ接続再設立を成功させることが可能となる。また、ＵＥがＨＯＦを発生して、ＣｏｍｐセルにＲＲＣ接続再設立を行った場合に、ＲＲＣ接続再設立を成功させることが可能となる。
【０２３５】
したがって、ＵＥは、たとえＲＬＦまたはＨＯＦを発生したとしても、ＣｏｍｐセルにＲＲＣ接続再設立を行うことによって、ＲＲＣ＿Ｉｄｌｅ状態に遷移することなく、ＲＲＣ＿Ｃｏｎｎｅｃｔｅｄ状態を維持することができる。
【０２３６】
図１４に示す例では、ＥＳセルは、自セルのカバレッジを補償する全てのＣｏｍｐセルに、ＵＥコンテキストを通知する。他方、ＵＥがＲＬＦを発生したときにＲＲＣ接続再設立を行うＣｏｍｐセル、あるいは、ＵＥがＨＯを行うＣｏｍｐセルは、このうちの１つとなる。したがって、他のＣｏｍｐセルにＲＲＣ接続再設立を行った、あるいはＨＯされた、ＵＥのＵＥコンテキストは、使用されないまま、Ｃｏｍｐセルに記憶される。
【０２３７】
ＥＳセルのＥＳ動作が行われる度に、この無駄なＵＥコンテキストの記憶が行われることになるので、ＣｏｍｐセルにおけるＵＥコンテキストを記憶するための記憶容量は増大する。これによって、新たなＵＥコンテキストの記憶が妨げられるという問題がある。また、膨大な記憶容量が必要となるという問題がある。これらの問題を解決するための方法を、以下に開示する。
【０２３８】
Ｃｏｍｐセルは、ＥＳセルからＵＥコンテキストを受信してから、予め定める期間内にＵＥと接続しなかった場合、ＵＥのＵＥコンテキストを廃棄する。Ｃｏｍｐセルは、ＵＥのＵＥコンテキストを記憶部から消去するようにしてもよい。
【０２３９】
予め定める期間は、タイマとして設定されてもよい。Ｃｏｍｐセルは、ＵＥのＵＥコンテキストの受信を契機として、タイマを開始し、タイマの期間内にＵＥと接続した場合は、ＵＥのＵＥコンテキストを廃棄せず、タイマの期間内にＵＥと接続せずにタイマが満了した場合は、ＵＥのＵＥコンテキストを廃棄する。
【０２４０】
このようにすることによって、不要なＵＥコンテキストを廃棄することができるので、新たなＵＥコンテキストの記憶が妨げられることを回避することができる。また、膨大な記憶容量が必要になることを回避することができる。
【０２４１】
前述の新たなＵＥコンテキストの記憶が妨げられるという問題、および膨大な記憶容量が必要となるという問題を解決するための他の方法を、以下に開示する。Ｃｏｍｐセル間で、接続したＵＥに関する情報を通知する。Ｃｏｍｐセル間で、接続したＵＥに関する情報を通知する方法として、Ｃｏｍｐセルは、他のＣｏｍｐセルあるいは周辺セルに、予め定めるＵＥのＵＥコンテキストの廃棄を要求する廃棄要求メッセージを通知してもよい。予め定めるＵＥは、自セルが接続したＵＥとする。
【０２４２】
廃棄要求メッセージには、予め定めるＵＥに関する情報を含めるとよい。ＵＥに関する情報は、ＥＳセルからＣｏｍｐセルに通知されたＵＥコンテキストの情報の一部であってもよいし、全てであってもよい。あるいは、ＵＥに関する情報は、該ＵＥコンテキスト情報のうち、ＵＥを識別するための情報であってもよい。このようにすることによって、Ｃｏｍｐセルは、他のＣｏｍｐセルあるいは周辺セルが接続したＵＥを認識することができる。
【０２４３】
予め定めるＵＥに関する情報あるいは廃棄要求メッセージを受信したＣｏｍｐセルは、他のＣｏｍｐセルあるいは周辺セルが接続したＵＥのＵＥコンテキストを廃棄する。
【０２４４】
以上のようにすることによって、Ｃｏｍｐセルは、不要なＵＥコンテキストを廃棄することができるので、新たなＵＥコンテキストの記憶が妨げられることを回避することができる。また、膨大な記憶容量が必要となることを回避することができる。
【０２４５】
Ｃｏｍｐセルが接続したＵＥに関する情報の通知は、ＣｏｍｐセルからＣｏｍｐセルあるいは周辺セルに行うのではなく、ＥＳセルを介して行ってもよい。あるいはＯ＆Ｍを介して行ってもよい。
【０２４６】
前述の新たなＵＥコンテキストの記憶が妨げられるという問題、および膨大な記憶容量が必要となるという問題を解決するためのさらに他の方法を、以下に開示する。Ｃｏｍｐセル間で、Ｃｏｍｐオン（Comp on）完了、すなわち補償のためのカバレッジの増大完了を通知する。Ｃｏｍｐセルは、他のＣｏｍｐセルに、Ｃｏｍｐオン完了を通知してもよい。
【０２４７】
予め定めるＥＳセルのＣｏｍｐセルリスト内の全てのＣｏｍｐセルからＣｏｍｐオン完了を受信したＣｏｍｐセルは、自セルが接続したＵＥではないＵＥのＵＥコンテキストを廃棄する。Ｃｏｍｐセルは、予め定めるＥＳセルのＣｏｍｐセルリスト内の全てのＣｏｍｐセルからＣｏｍｐオン完了を受信してから予め定める期間が経過した後に、自セルが接続したＵＥではないＵＥのＵＥコンテキストを廃棄するようにしてもよい。
【０２４８】
このようにすることによって、不要なＵＥコンテキストを廃棄することができるので、新たなＵＥコンテキストの記憶が妨げられることを回避することができる。また、膨大な記憶容量が必要となることを回避することができる。
【０２４９】
Ｃｏｍｐオン完了の通知は、ＣｏｍｐセルからＣｏｍｐセルに行うのではなく、ＥＳセルを介して行ってもよい。あるいはＯ＆Ｍを介して行ってもよい。
【０２５０】
本変形例によれば、Ｃｏｍｐセルは、予め定めるＥＳセルのＣｏｍｐセルリストを認識する必要が無い。
【０２５１】
実施の形態１  変形例３．
前述の実施の形態１、実施の形態１の変形例１および変形例２では、ＲＲＣ接続再設立の成功率を向上させて、ＲＲＣ＿Ｃｏｎｎｅｃｔｅｄ状態を維持させる方法を開示した。しかし、ＲＲＣ接続再設立は、ＵＥにおいてＲＬＦあるいはＨＯＦが発生した場合に行う処理である。そこで、本変形例では、ＲＬＦあるいはＨＯＦが生じにくくする方法を開示する。
【０２５２】
ＥＳセルを構成するｅＮＢは、ＥＳセルがスイッチオフを決定した場合、あるいは、ＥＳセルがスイッチオフの指示を受けた場合、Ｃｏｍｐセルに対して、ＥＳセルと接続しているＵＥのＨＯプレパレーション処理を開始する。
【０２５３】
また、ＥＳセルは、自セルを完全にスイッチオフする前に、Ｃｏｍｐセルに対して、ＥＳセルと接続しているＵＥのＨＯプレパレーション処理を開始するようにしてもよい。
【０２５４】
また、ＥＳセルは、補償を開始させるためのメッセージとともに、あるいは補償を開始させるためのメッセージを通知する前に、Ｃｏｍｐセルに対して、ＥＳセルと接続しているＵＥのＨＯプレパレーション処理を開始するようにしてもよい。
【０２５５】
ＨＯプレパレーション処理の開始方法の一例として、ＥＳセルからＣｏｍｐセルへの補償要求処理とともに、ＨＯ要求処理を行ってもよい。また、ＣｏｍｐセルからＥＳセルへの補償要求応答とともに、ＨＯ要求応答を行ってもよい。
【０２５６】
あるいは、ＥＳセルからＣｏｍｐセルへの補償開始要求処理とともに、ＨＯ要求処理を行ってもよい。また、ＣｏｍｐセルからＥＳセルへの補償開始要求応答とともに、ＨＯ要求応答を行ってもよい。
【０２５７】
ＨＯ先のセルは１つであることが望ましい。したがって、ＥＳセルは、ＨＯプレパレーション処理を開始する前に、ＵＥにメジャメントを実行させてもよい。ＥＳセルは、接続するＵＥに対して、Ｃｏｍｐセルのメジャメントを実行させる。実施の形態１の変形例１で開示した方法と同様に、ＥＳセルは、メジャメントのためのメッセージで、Ｃｏｍｐセルを設定して通知する。メジャメントのためのメッセージとしては、ＲＲＣシグナリングのメジャメント設定（measurement configuration）メッセージを用いるとよい。Ｃｏｍｐセルの設定としては、Ｃｏｍｐセルのキャリア周波数とセル識別子とを設定するとよい。Ｃｏｍｐセルリストとして設定してもよい。
【０２５８】
ここで、メジャメントのためのメッセージを通知した時点では、Ｃｏｍｐセルは、まだＥＳセルのカバレッジを補償するための送信電力の増大を開始していないことになる。したがって、Ｃｏｍｐセルは、補償前のカバレッジを有することになるので、Ｃｏｍｐセルのメジャメントを行ったＵＥにおけるＣｏｍｐセルの受信電力は小さい。
【０２５９】
このことを考慮して、イベント発生のための隣接セルの受信電力あるいは受信品質の閾値を小さくするとよい。例えば、設定可能な最低値に設定しておくとよい。あるいは、規格で定義されたＵＥの受信感度となる受信電力あるいは受信品質を閾値に設定しておいてもよい。または、その規格で定義されたＵＥの受信感度となる受信電力あるいは受信品質の値にオフセットを与えて閾値に設定してもよい。
【０２６０】
このようにすることによって、ＵＥに、補償前のＣｏｍｐセルからの受信電力に基づいてイベントを発生させて、ＥＳセルに、メジャメント報告を通知させることが可能となる。これによって、ＥＳセルは、Ｃｏｍｐセルが補償前の段階でも、ＨＯさせるＵＥに対して、ＨＯ先のセルを決定することが可能となる。
【０２６１】
また、メジャメント報告に、Ｃｏｍｐセルの受信電力あるいは受信品質の値を含めて通知するとよい。これによって、イベントが発生したＣｏｍｐセルが複数存在した場合に、それぞれの受信電力あるいは受信品質の値を用いて、ＨＯさせるＵＥに対して、ＨＯ先のセルを１つ決定することが可能となる。したがって、ＨＯさせるＵＥに対して、ＨＯ先セルを一つにすることができる。また、ＥＳセルは、一つのＨＯ先セルに対して、ＨＯプレパレーション処理を開始することが可能となる。
【０２６２】
本変形例では、イベント発生のための隣接セルの受信電力あるいは受信品質の閾値を、設定可能な最低値に設定しておくとよいことなどを開示した。他の方法として、閾値を、予め定める値に設定しておき、受信電力あるいは受信品質の値が閾値以上になった場合、ＵＥは、セルを検出することができ、かつ受信電力あるいは受信品質を測定できたと判断して、イベント発生として、メジャメント報告を行うようにしてもよい。この場合でも、イベント発生のための隣接セルの受信電力あるいは受信品質の閾値を、設定可能な最低値に設定する場合と同様の効果を得ることができる。
【０２６３】
図１５は、本発明の実施の形態１の変形例３の通信システムにおけるＥＳ処理のシーケンスの一例を示す図である。図１５に示すシーケンスは、図１０に示すシーケンスと類似しているので、図１０に対応するステップについては、同一のステップ番号を付して、共通する説明を省略する。
【０２６４】
ＥＳセルは、ステップＳＴ２１０１において、スイッチオフを決定すると、ステップＳＴ２６０１において、接続しているＵＥに、メジャメントのためのメッセージを通知する。図１５に示す例では、メジャメントのためのメッセージとして、ＲＲＣシグナリングのメジャメント設定（measurement configuration）メッセージを用いる。Ｃｏｍｐセルの設定としては、Ｃｏｍｐセルリストとし、Ｃｏｍｐセルのキャリア周波数とセル識別子とを設定する。また、イベント発生のための隣接セルの受信電力あるいは受信品質の閾値を、設定可能な最低値に設定する。
【０２６５】
メジャメントのためのメッセージを受信したＵＥは、ステップＳＴ２６０２において、Ｃｏｍｐセルのメジャメントを行う。メジャメントイベント発生のための閾値は、最低値に設定されているので、Ｃｏｍｐセルがまだ補償前でも、イベントが発生しやすい。
【０２６６】
イベントが発生した場合、ＵＥは、ステップＳＴ２６０３において、ＥＳセルに、メジャメント報告メッセージを通知する。
【０２６７】
メジャメント報告メッセージを受信したＥＳセルは、ステップＳＴ２６０４において、メジャメント報告メッセージ内のＣｏｍｐセルの情報を用いて、メジャメント報告を行ったＵＥに対してＨＯを決定し、ＨＯ先のセルを決定する。図１５に示す例では、ＨＯ先のセルを、Ｃｏｍｐセル１とする。ＥＳセルに接続しているＵＥ毎に、ＨＯ先のＣｏｍｐセルは異なってもよい。
【０２６８】
ステップＳＴ２６０４において、対象となるＵＥに対してＨＯおよびＨＯ先のＣｏｍｐセルを決定したＥＳセルは、該ＵＥに対して、ＨＯプレパレーション処理を開始する。
【０２６９】
ＨＯプレパレーション処理では、まず、ステップＳＴ２６０５において、ＥＳセルは、Ｃｏｍｐセル１に、補償要求メッセージとともに、ＨＯ要求メッセージを通知する。これらは同一のメッセージとして通知されてもよい。例えば、補償要求メッセージの中に、ＨＯ要求メッセージに含まれる情報を含めて通知してもよい。あるいは逆に、ＨＯ要求メッセージに、補償要求メッセージに含まれる情報を含めて通知してもよい。
【０２７０】
Ｃｏｍｐセル２は、ＨＯ先ではないので、ステップＳＴ２１０３において、ＥＳセルは、Ｃｏｍｐセル２に、補償要求メッセージのみを通知する。
【０２７１】
補償要求メッセージとＨＯ要求メッセージとを受信したＣｏｍｐセル１は、ステップＳＴ２１０４において、ＥＳセルのカバレッジ補償を許可する。さらに、Ｃｏｍｐセル１は、ステップＳＴ２６０６において、ＨＯのためのアドミッション制御（流入制御）を行い、ＵＥのＨＯ受入を許可する。
【０２７２】
ステップＳＴ２６０７において、Ｃｏｍｐセル１は、ＥＳセルに、補償要求応答（許可）メッセージとともにＨＯ要求応答（Ａｃｋ）メッセージを通知する。これらは同一のメッセージとして通知されてもよい。例えば、補償要求応答メッセージの中に、ＨＯ要求応答メッセージに含まれる情報を含めて通知してもよい。あるいは逆に、ＨＯ要求応答メッセージに、補償要求応答メッセージに含まれる情報を含めて通知してもよい。
【０２７３】
ステップＳＴ２６０７においてＵＥに対する補償要求応答（許可）メッセージとＨＯ要求応答（Ａｃｋ）メッセージとを受信したＥＳセルは、ステップＳＴ２１１８において、ＨＯ要求応答メッセージで受信した情報を用いて、ＵＥに、ＨＯ指示（HO command）メッセージを通知する。
【０２７４】
ＨＯ指示メッセージを受信したＵＥは、ステップＳＴ２１１９において、ＥＳセル、Ｃｏｍｐセル１、ＭＭＥおよびＳ−ＧＷとの間で、ＨＯ処理を行う。
【０２７５】
ステップＳＴ２１０５においてＥＳセルのカバレッジ補償を許可したＣｏｍｐセル２は、ステップＳＴ２１０７において、ＥＳセルに、補償要求応答（許可）メッセージを通知する。
【０２７６】
ステップＳＴ２６０７およびステップＳＴ２１０７において補償要求応答（許可）メッセージを通知したＣｏｍｐセル１とＣｏｍｐセル２は、ステップＳＴ２１０９およびステップＳＴ２１１０において、補償を開始する。具体的には、カバレッジを補償するために、送信電力の増大を開始する。
【０２７７】
このように、ＥＳセルは、Ｃｏｍｐセルに補償を開始させるためのメッセージを通知するとともに、Ｃｏｍｐセルに対して、ＥＳセルと接続しているＵＥのＨＯプレパレーション処理を開始することによって、ＵＥに対して早期にＨＯを開始することが可能となる。これによって、Ｃｏｍｐセルがカバレッジの補償を開始して送信電力の増大を行うことで生じる干渉による影響を抑えることが可能となる。したがって、ＵＥがＨＯ指示メッセージを受信し易くなり、ＨＯ処理を正常に行うことが可能となる。したがって、ＲＬＦおよびＨＯＦの少なくともいずれか一方を低減させることができる。
【０２７８】
図１６は、本発明の実施の形態１の変形例３の通信システムにおけるＥＳ処理のシーケンスの他の例を示す図である。図１６に示すシーケンスは、図１０および図１５に示すシーケンスと類似しているので、図１０および図１５に対応するステップについては、同一のステップ番号を付して、共通する説明を省略する。
【０２７９】
ステップＳＴ２７０１において、ＥＳセルは、ステップＳＴ２６０７およびステップＳＴ２１０７で自セルのカバレッジを補償する全てのＣｏｍｐセルからの補償応答（許可）メッセージを受信した場合に、接続しているＵＥのオフロードを決定する。
【０２８０】
ステップＳＴ２７０１においてオフロードを決定したＥＳセルは、ステップＳＴ２１１８において、接続するＵＥに、ＨＯ指示メッセージを通知する。ステップＳＴ２７０２およびステップＳＴ２７０３において、ＥＳセルは、全てのＣｏｍｐセルに、補償開始要求メッセージを通知する。補償開始要求メッセージを受信したＣｏｍｐセルは、ステップＳＴ２１０９およびステップＳＴ２１１０において、補償を開始する。具体的には、カバレッジを補償するために、送信電力の増大を開始する。
【０２８１】
このようにすることによって、ＥＳセルは、Ｃｏｍｐセルに補償を開始させるためのメッセージより前に、Ｃｏｍｐセルに対して、ＥＳセルと接続しているＵＥのＨＯプレパレーション処理を開始することができる。また、ＵＥに対して早期にＨＯ指示メッセージを通知することが可能となる。
【０２８２】
これによって、Ｃｏｍｐセルがカバレッジの補償を開始して送信電力の増大を行うことで生じる干渉による影響を最低限に抑えることが可能となる。したがって、ＵＥがさらにＨＯ指示メッセージを受信し易くなり、ＨＯ処理を正常に行うことが可能となる。また、ＲＬＦおよびＨＯＦの少なくともいずれか一方を低減させることができる。
【０２８３】
以上のように本変形例で開示した方法を用いることによって、早期にＨＯプレパレーション処理を行うことが可能となるので、ＲＬＦあるいはＨＯＦを生じにくくさせることができる。これによって、ＥＳセルと接続しているＵＥのオフロードのためのＨＯ成功率を向上させることができ、ＵＥのＲＲＣ＿Ｃｏｎｎｅｃｔｅｄ状態を維持させることが可能となる。
【０２８４】
したがって、ＲＲＣ接続再設立のための遅延時間を削減することが可能となるとともに、データの欠落および通信断の発生を低減させることが可能となる。これは、ユーザエクスペリエンスの劣化を抑えることになる。
【０２８５】
また、ＵＥが、たとえ何らかの原因でＲＬＦあるいはＨＯＦを生じたとしても、ＥＳセルは、Ｃｏｍｐセルを設定したメジャメントのためのメッセージを早期に通知しているので、ＵＥがＣｏｍｐセルに対して、ＲＲＣ接続再設立を成功させる可能性を高めることができる。その場合も、ユーザエクスペリエンスの劣化を抑えることになる。
【０２８６】
前述の実施の形態１および実施の形態１の変形例１〜変形例３では、ＥＳセルのスイッチオフとＣｏｍｐセルのカバレッジ増（補償実行）とが行われる場合について説明した。これらで開示した方法は、ＥＳセルのスイッチオンとＣｏｍｐセルのカバレッジ減（補償終了）とが行われる場合にも、適用可能である。この場合、スイッチオフするＥＳセルを、カバレッジ補償を終了するＣｏｍｐセルに対応させ、カバレッジ補償を実行するＣｏｍｐセルを、スイッチオンするＥＳセルに対応させて適用すればよい。
【０２８７】
これによって、仮に、Ｃｏｍｐセルがカバレッジ補償状態からカバレッジ補償終了状態へ遷移するときに、Ｃｏｍｐセルに接続していたＵＥがＲＬＦあるいはＨＯＦを生じたとしても、それに続くＲＲＣ接続再設立をＥＳセルに対して行うことが可能となる。また、ＲＲＣ接続再設立のための遅延時間を削減することができる、データの欠落および通信断の発生確率を低減させることができる、ＲＲＣ接続再設立を成功させる可能性を高めることができるなど、実施の形態１および実施の形態１の変形例１〜変形例３と同様の効果を得ることができる。
【０２８８】
実施の形態２．
実施の形態２で解決する課題について、以下に説明する。エナジーセービング（Energy Saving）セル（ＥＳセル）がスイッチオフすることを決定した場合であっても、ＥＳセルからの下り信号の送信が行われていれば、下り信号を受信可能なＵＥが存在する場合がある。下り信号とは、例えば下り参照信号、下り同期信号などである。下り信号を受信したＵＥは、通常のセル再選択処理を経て、ＥＳセルをセル再選択する可能性がある。また、下り信号を受信したＵＥは、通常のメジャメント処理を経て、サービングセルに、ＥＳセルのメジャメント報告メッセージを通知する可能性がある。
【０２８９】
ＵＥが、スイッチオフすることを決定したＥＳセルをセル再選択した場合、以下の問題が発生する。ＥＳセルがスイッチオフしたときは、ＵＥは、再度セル再選択をする必要があるので、ＵＥの処理負荷が高くなるという問題がある。また、制御遅延が発生するという問題がある。また、ＥＳセルへのセル再選択、およびその後の再度のセル再選択がＴＡＵを伴う場合、無駄なＴＡＵが発生し、無線リソースの無駄が発生するという問題がある。
【０２９０】
ＵＥが、スイッチオフすることを決定したＥＳセルのメジャメント報告メッセージをサービングセルに通知した場合、以下の問題が発生する。サービングセルが、ＥＳセルをハンドオーバのターゲットセルとして選択する可能性がある。その場合、ＥＳセルは、ハンドオーバ処理において、ハンドオーバ要求を拒絶する、あるいは一旦ハンドオーバしてきたＵＥを自セル以外のセル、例えばＣｏｍｐセルに再度ハンドオーバさせなければならない。このように、セル間のシグナリングの無駄および制御遅延が発生するという問題がある。
【０２９１】
また、ＥＳセルが、一旦ハンドオーバしてきたＵＥを自セル以外のセル、例えばＣｏｍｐセルに再度ハンドオーバさせる場合、ＥＳセルがスイッチオフするときのハンドオーバ処理となるので、ハンドオーバ失敗（Handover failure：ＨＯＦ）となる可能性が高くなり、ユーザが安定して通信サービスを受けられないという問題がある。
【０２９２】
実施の形態２における解決策を以下に示す。ＥＳセルがスイッチオフすることを決定した場合、待ち受け状態のＵＥ（以下「待ち受けモードＵＥ（Idle mode UE）」という場合がある）がＥＳセルにキャンプオンすることを防ぐ。また、接続状態のＵＥ（以下「接続モードＵＥ（Connected mode UE）」という場合がある）がＥＳセルをターゲットセルとしてハンドオーバしてくることを拒絶する。
【０２９３】
この動作は、ＥＳセルが、エナジーセービング（Energy Saving）することを決定した場合、あるいは下り信号の送信電力を徐々に下げることを決定した場合に行われてもよい。下り信号の具体例としては、下り参照信号、下り同期信号、ＰＢＣＨ、ＰＣＦＩＣＨ、ＰＤＣＣＨなどがある。
【０２９４】
待ち受けモードＵＥがＥＳセルにキャンプオンすることを防ぐ方法の具体例を、以下に開示する。スイッチオフすることを決定したＥＳセルは、カバレッジ内のＵＥに、自セルがキャンプオン不可であることを通知する。
【０２９５】
キャンプオン不可であることの通知方法の具体例を、以下に開示する。報知情報内の「cellBarred」パラメータを「barred」に変更する（非特許文献１０参照）。
【０２９６】
ＵＥが通常（normal）サービスを受けるためにキャンプオン（Camp ON）するセルとしては、バード（barred）セルでないこととの条件がある(非特許文献２参照)。したがって、本実施の形態の解決策において、スイッチオフすることを決定したＥＳセルが「cellBarred」パラメータを「barred」に変更することによって、ＵＥが通常（normal）サービスを受けるためにキャンプオンすることを防ぐことができる。また、既存のパラメータを用いることによって、通信システムが複雑化することを回避することができる。また、後方互換性（backward compatibility：バックワードコンパチビリティ）に優れた通信システムを構築することが可能となる。
【０２９７】
接続モードＵＥがＥＳセルをターゲットとしてハンドオーバしてくることを拒絶する方法の具体例を、以下に開示する。スイッチオフすることを決定したＥＳセルは、周辺セルに、自セルをハンドオーバのターゲットセルとして選択不可であることを通知する。
【０２９８】
ハンドオーバのターゲットセルとして選択不可であることの通知方法の具体例として、以下の（１）〜（３）の３つを開示する。
【０２９９】
（１）周辺セルに、スイッチオフすることを決定したことを通知する。この通知を受信した周辺セルは、ハンドオーバ決定（Handover decision）をするときに、ＥＳセルをターゲットセルとして選択しない。ＥＳセルが周辺セルに通知する通知内容は、以下の内容であってもよい。スイッチオフ処理が進行中（Switch Off Ongoing）であること、あるいは下り信号の送信電力を徐々に下げること、あるいは下り信号の送信電力を徐々に下げていること。
【０３００】
通知には、Ｘ２インタフェース、Ｓ１インタフェースを用いればよい。従来においてもＸ２インタフェースのｅＮＢ設定アップデート（ENB CONFIGURATION UPDATE）メッセージの中に、「Deactivation Indication」のパラメータがある（３ＧＰＰ  ＴＳ３６．４２３参照）。「Deactivation Indication」パラメータは、セルがスイッチオフされていることを示すインジケータである。したがって、従来のパラメータ「Deactivation Indication」では、スイッチオフすることを決定してからスイッチオフされるまでの通知には用いることができない。元々、スイッチオフされているセルから下り信号は送信されない。したがって、従来のパラメータ「Deactivation Indication」は、実施の形態２で解決する課題を想定して設けられたものではない。
【０３０１】
（２）周辺セルに、スイッチオフすることを決定したことを通知する。この通知を受信した周辺セルは、カバレッジ内のＵＥに、ＥＳセルが測定対象外、あるいはイベント評価対象外、あるいは測定報告対象外であることを通知する。
【０３０２】
測定対象外であることの通知方法の具体例を、以下に開示する。周辺セルは、ブラックリスト（BlackList）にＥＳセルを追加し、ＲＲＣメッセージとして、あるいは報知情報として、傘下のＵＥに通知する。
【０３０３】
ブラックリストとは、イベント評価、測定報告で考慮されないセルのリストである。したがって、本実施の形態の解決策において、周辺セルのブラックリストに、スイッチオフすることを決定したＥＳセルを追加することによって、周辺セルの傘下のＵＥの測定対象などからＥＳセルを外すことができる。
【０３０４】
これによって、周辺セルにおいてＥＳセルがハンドオーバのターゲットセルとして選択されることを防ぐことができる。また、既存のパラメータを用いることによって、通信システムが複雑化することを回避することができる。また、後方互換性（backward compatibility）に優れた通信システムを構築することが可能となる。
【０３０５】
前記方法（２）は、ターゲットセルとして選択しない前記方法（１）と比較して、ＵＥにおけるＥＳセルを対象とする測定を削減すること、およびＵＥから周辺セルへのＥＳセルを対象とする測定報告を削減することなどが可能となる。これによって、ＵＥの処理負荷を軽減することができるとともに、無線リソースを有効に活用することができる。
（３）前記（１），（２）の組合せ。
【０３０６】
図１７は、本発明の実施の形態２の通信システムにおけるＥＳ処理のシーケンスの一例を示す図である。
【０３０７】
ステップＳＴ３１０１において、ＥＳセル１は、スイッチオフすることを決定する。ステップＳＴ３１０２において、ＥＳセル１は、報知情報内の「cellBarred」パラメータを「barred」に変更する。
【０３０８】
ＥＳセル１をサービングセルとするＵＥ１と、ＥＳセルの周辺セルをサービングセルとするＵＥ２とが存在した場合について説明する。ステップＳＴ３１０３およびステップＳＴ３１０４において、ＥＳセル１は、傘下のＵＥ１およびＵＥ２に、システム情報が変更されたことを通知、すなわちＳＩ変更通知を行う。
【０３０９】
ステップＳＴ３１０３においてＳＩ変更通知を受信したＵＥ１は、報知情報内、すなわちシステム情報内の「cellBarred」パラメータが「barred」に変更されたことを認識する。ＵＥ１は、ＥＳセル１が通常（normal）サービスを受けるためにキャンプオン（Camp ON）するセルではなくなったことを認識する。これによって、ステップＳＴ３１０５において、ＵＥ１は、ＥＳセル１以外のセルにキャンプオンし直すために、セル再選択処理を行う。
【０３１０】
ステップＳＴ３１０４においてＳＩ変更通知を受信したＵＥ２は、報知情報内、すなわちシステム情報内の「cellBarred」パラメータが「barred」に変更されたことを認識する。ＵＥ２は、ＥＳセル１が通常（normal）サービスを受けるためにキャンプオン（Camp ON）するセルではなくなったことを認識する。これによって、ステップＳＴ３１０６において、ＵＥ２は、ＥＳセル１以外のセルを対象にセル再選択処理を行う。
【０３１１】
ステップＳＴ３１０７において、ＥＳセル１は、周辺セルに、スイッチオフすることを決定したことを通知する。周辺セルをCompensationセル１（Ｃｏｍｐセル１）とした場合を具体例として説明する。
【０３１２】
Ｃｏｍｐセル１をサービングセルとするＵＥ３と、ＵＥ４とが存在した場合について説明する。
【０３１３】
ステップＳＴ３１０８において、ＵＥ３は、Ｃｏｍｐセル１に、ＥＳセル１を対象とするメジャメント報告（Measurement Report）メッセージを通知する。
【０３１４】
ステップＳＴ３１０７においてＥＳセル１からスイッチオフすることを決定したことの通知を受信しているＣｏｍｐセル１は、ステップＳＴ３１０８においてＵＥ３から、ＥＳセル１を対象とするメジャメント報告メッセージを受信した場合であっても、ステップＳＴ３１０９において、ＥＳセル１をハンドオーバのターゲットセルとして選択しない。
【０３１５】
ステップＳＴ３１１０において、Ｃｏｍｐセル１は、「Black List」にＥＳセル１を追加する。
【０３１６】
ステップＳＴ３１１１およびステップＳＴ３１１２において、Ｃｏｍｐセル１は、傘下のＵＥ３およびＵＥ４に、「Black List」を通知する。
【０３１７】
ステップＳＴ３１１１において「Black List」を受信したＵＥ４は、ＥＳセル１がイベント評価、測定報告で考慮されないセルとなったことを認識し、ステップＳＴ３１１３において、ＥＳセル１をイベント評価の対象としない。ステップＳＴ３１１３では、ＥＳセル１を測定対象としない、あるいはＥＳセル１を測定報告の対象としないとしてもよい。
【０３１８】
ステップＳＴ３１１２において「Black List」を受信したＵＥ３は、ＥＳセル１がイベント評価、測定報告で考慮されないセルとなったことを認識し、ステップＳＴ３１１４において、ＥＳセル１をイベント評価の対象としない。ステップＳＴ３１１４では、ＥＳセルを測定対象としない、あるいはＥＳセルを測定報告の対象としないとしてもよい。
【０３１９】
実施の形態２によって、以下の効果を得ることができる。待ち受けモードＵＥ（Idle mode UE）がスイッチオフすることを決定したＥＳセルにキャンプオンすること防ぎ、接続モードＵＥ（Connected mode UE）が該セルをターゲットセルとしてハンドオーバしてくることを拒絶する。これによって、ＵＥの処理負荷の軽減、無線リソースの有効活用、セル間のシグナリング増加の抑制、および制御遅延の防止を図ることができる。
【０３２０】
実施の形態３．
ドーマント状態のＥＳセルのスイッチオンは、Ｃｏｍｐセルの負荷が増大した場合に行われる。したがって、ＥＳセルのスイッチオンとＣｏｍｐセルのカバレッジ減の遷移時に、ＣｏｍｐセルからＥＳセルにオフロードされるＵＥの数が多数存在する場合がある。この場合、ＥＳセルにオフロードされた多数のＵＥが一斉にＥＳセルと接続しようとする場合、シグナリングの衝突および混雑状況が生じてしまう。したがって、オフロードされたＵＥがＥＳセルと接続するときに多大な遅延が生じてしまう場合がある。ＵＥが行うサービスのサービス品質（Quality of Service：ＱｏＳ）要求によっては、要求される遅延量を超えてしまう場合がある。このように、要求される遅延量を超えると、データの欠落などを引き起こし、ユーザエクスペリエンス（user experience）を劣化させてしまう。本実施の形態では、この問題を解決するための方法を開示する。
【０３２１】
ＥＳセルを構成するｅＮＢは、ＥＳセルがスイッチオンを開始した後、ＨＯ要求を受信したＵＥの優先順位を決定するための指標に応じて、アクセス優先順位を決定する。
【０３２２】
ＥＳセルがスイッチオンを開始した後の予め定める期間、あるいは、ＥＳセルがスイッチオンを完了するまで、ＨＯ要求を受信したＵＥの優先順位を決定するための指標に応じて、アクセス優先順位を決定するようにしてもよい。
【０３２３】
優先順位を決定するための指標の具体例としては、ＱｏＳがある。ＱｏＳは、ＱｏＳクラス識別子（QoS Class Identifier：ＱＣＩ）であってもよい。また、ＱｏＳの指標のうち、遅延量に応じてアクセスの優先順位を決定するようにしてもよい。これによって、高いＱｏＳ要求のＵＥの優先順位をあげ、早期にＥＳセルにアクセス可能とし、オフロードを可能とすることができる。したがって、オフロード時に、サービスのＱｏＳ要求を満たさなくなってしまうこと、およびデータの欠落などを引き起こしてしまうことを抑えることができ、ユーザエクスペリエンスの劣化を低減させることができる。
【０３２４】
優先順位を決定するための指標の他の具体例としては、データ量がある。データ量を指標として用いる場合、ＥＳセルは、ＵＥに対して未送信および未受信の少なくともいずれか一方のデータ量に応じて、アクセス優先順位を決定する。例えば、ＥＳセルは、オフロードするＵＥに対する未送信の下りパケットデータ量および未受信の上りパケットデータ量の少なくともいずれか一方に応じて、アクセス優先順位を決定する。
【０３２５】
データ量としては、パケット数、バイト数、ビット数などとするとよい。上りデータ量としては、バッファ状態報告（Buffer Status Report：ＢＳＲ）情報を用いてもよい。ＢＳＲ情報から、既に割当てたデータ量を減じたものでもよい。
【０３２６】
前述のようにデータ量を指標として用いることによって、未送信あるいは未受信のデータ量が多いＵＥの優先順位を上げ、早期にＥＳセルにアクセス可能とすることができる。これによって、早期にＥＳセルにそれらのデータを転送（フォワーディング（forwarding））することで、データの欠落などを引き起こしてしまうことを抑えることができる。したがって、ユーザエクスペリエンスの劣化を低減させることができる。データ量を指標として用いる場合、ＱｏＳとデータ量とを組合せて用いて、アクセス優先順位を決定してもよい。
【０３２７】
優先順位を決定するための指標のさらに他の具体例としては、オペレータのアクセス優先順位、ＵＥがＭＴＣ（Machine Type Communication）用か否か、およびＵＥのＥＡＢ（Extended Access Barring）設定などがある。これらを指標として用いることによって、各設定に応じた優先順位とすることが可能となる。
【０３２８】
アクセスを優先させる方法について開示する。ＥＳセルは、ＨＯ要求を受信したＵＥの優先順位を決定するための指標に応じて、ＵＥの優先順位を決定し、優先順位の高いＵＥから、個別ＲＡＣＨ構成を割当てる。
【０３２９】
個別ＲＡＣＨ構成としては、ＰＲＡＣＨに用いるプリアンブル構成のインデックスを示すプリアンブルＩＤ、ＰＲＡＣＨを送信するリソースを示すＰＲＡＣＨマスクＩＤがある。プリアンブルＩＤとしては、「ra-PreambleIndex」、「Preamble Index」がある。ＰＲＡＣＨマスクＩＤとしては、「ra-PRACH-MaskIndex」、「PRACH Mask Index」がある。
【０３３０】
個別ＲＡＣＨ構成が明白に通知されたＵＥは、個別ＲＡＣＨ構成を用いて、ＰＲＡＣＨを送信することになっている（非特許文献１４参照）ので、ＥＳセルにおいてＰＲＡＣＨの衝突は生じない。いわゆる非衝突ベース（non-contention based）のＲＡ処理を行うことができる。これによって、多数のＵＥがＥＳセルにアクセスを開始した場合でも、ＰＲＡＣＨの衝突によるアクセスの遅延を防ぐことが可能となる。
【０３３１】
ＥＳセルは、ＵＥの優先順位を決定するために、ＣｏｍｐセルからオフロードされるＵＥの優先順位を決定するための指標を認識する必要がある。ＣｏｍｐセルからオフロードされるＵＥの優先順位を決定するための指標を認識する方法として、Ｃｏｍｐセルは、予めＥＳセルにオフロードを行うＵＥのＵＥ−ＩＤと優先順位を決定するための指標とを通知する。通知手段として、オフロードのためのＨＯ要求とともに、あるいはＨＯ要求に含ませるとよい。
【０３３２】
ＥＳセルは、ＵＥの優先順位に応じて、個別ＲＡＣＨ構成を割当てるが、ＵＥは、個別ＲＡＣＨ構成を認識する必要がある。ＵＥが個別ＲＡＣＨ構成を認識する方法として、ＥＳセルは、Ｃｏｍｐセルを介して、ＵＥに、割当てた個別ＲＡＣＨ構成を通知する。ＥＳセルは、先に受信したＨＯ要求に対するＨＯ要求応答メッセージとともに、あるいはＨＯ要求応答メッセージに含ませて、個別ＲＡＣＨ構成をＣｏｍｐセルに通知するとよい。ＨＯ要求応答メッセージで個別ＲＡＣＨ構成を受信したＣｏｍｐセルは、ＨＯ指示（HO command）メッセージとともに、あるいはＨＯ指示メッセージに含ませて、ＵＥに、個別ＲＡＣＨ構成を通知するとよい。以上のようにすることによって、ＥＳセルは、個別ＲＡＣＨ構成を割当てたＵＥに、個別ＲＡＣＨ構成を通知することが可能となる。
【０３３３】
個別ＲＡＣＨ構成を受信したＵＥは、ＨＯのために、個別ＲＡＣＨ構成を用いて、ＰＲＡＣＨをＥＳセルに送信することが可能となる。
【０３３４】
Ｃｏｍｐセルが、ＵＥに、個別ＲＡＣＨ構成を通知する他の方法として、ＵＥがＨＯのためのＰＲＡＣＨを送信する前に、Ｃｏｍｐセルは、ＰＤＣＣＨに個別ＲＡＣＨ構成情報を含めて、ＵＥに通知するようにしてもよい。
【０３３５】
図１８および図１９は、本発明の実施の形態３の通信システムにおけるＥＳ処理のシーケンスの一例を示す図である。図１８と図１９とは、境界線ＢＬ１の位置で、つながっている。ＵＥ１は、Ｃｏｍｐセル１の傘下のＵＥとする。ＵＥ２は、Ｃｏｍｐセル２の傘下のＵＥとする。
【０３３６】
ステップＳＴ４１０１において、Ｃｏｍｐセル１は、負荷の増大などによって、ＥＳセルのスイッチオンを決定する。
【０３３７】
ステップＳＴ４１０２において、Ｃｏｍｐセル１は、ＥＳセルに、スイッチオン要求メッセージを通知する。一つのＣｏｍｐセルからスイッチオン要求メッセージを受信したＥＳセルは、他のＣｏｍｐセル、ここではＣｏｍｐセル２に、自セルのカバレッジの補償終了要求メッセージを通知する。
【０３３８】
補償終了要求メッセージを受信したＣｏｍｐセル２は、自セルがＥＳセルのカバレッジの補償を終了してもよいと判断すると、ステップＳＴ４１０４において、補償終了を許可する。
【０３３９】
ステップＳＴ４１０５において、Ｃｏｍｐセル２は、ＥＳセルに、補償終了応答（Ａｃｋ）メッセージを通知する。これによって、ＥＳセルは、自セルのカバレッジを補償する全てのＣｏｍｐセルの状況を確認した上で、スイッチオンを決定するか否かを判断することが可能となる。
【０３４０】
Ｃｏｍｐセルから補償終了応答（Ａｃｋ）メッセージを受信したＥＳセルは、ステップＳＴ４１０６において、スイッチオンを決定する。
【０３４１】
ステップＳＴ４１０７およびステップＳＴ４１０８において、ＥＳセルは、全てのＣｏｍｐセル、ここではＣｏｍｐセル１およびＣｏｍｐセル２に、スイッチオン要求応答（Ａｃｋ）メッセージを通知する。スイッチオン要求応答メッセージではなく、補償終了処理開始要求メッセージであってもよい。補償終了処理開始要求メッセージを受信したＣｏｍｐセルは、補償終了処理を開始する。
【０３４２】
補償終了処理として、ステップＳＴ４１１０およびステップＳＴ４１１１において、Ｃｏｍｐセル１およびＣｏｍｐセル２は、傘下のＵＥのオフロード処理を開始する。傘下のＵＥのうち、ＥＳセルにＨＯできるＵＥを認識するために、Ｃｏｍｐセル１およびＣｏｍｐセル２は、ステップＳＴ４１１３およびステップＳＴ４１１４において、傘下のＵＥに、メジャメントのためのメッセージを通知する。このメジャメントためのメッセージに、測定対象として、ＥＳセルのセル識別子とキャリア周波数情報とを設定するとよい。ＥＳセルリストとしてもよい。
【０３４３】
ステップＳＴ４１１５およびステップＳＴ４１１６において、ＵＥ１およびＵＥ２は、メジャメントを行う。
【０３４４】
ＥＳセルに対してイベントが発生した場合、ステップＳＴ４１１７およびステップＳＴ４１１８において、ＵＥ１およびＵＥ２は、Ｃｏｍｐセル１およびＣｏｍｐセル２に、メジャメント報告（Measurement Report）メッセージを通知する。これによって、Ｃｏｍｐセルは、ＥＳセルにＨＯ可能なＵＥの情報を取得することが可能となる。
【０３４５】
ＥＳセルにＨＯ可能なＵＥの情報を取得したＣｏｍｐセル１およびＣｏｍｐセル２は、ステップＳＴ４１１９およびステップＳＴ４１２１において、ＵＥをＥＳセルにＨＯさせることを決定する。
【０３４６】
ステップＳＴ４１２０およびステップＳＴ４１２２において、Ｃｏｍｐセル１およびＣｏｍｐセル２は、ＥＳセルに、ＨＯ要求メッセージを通知する。ＨＯ要求メッセージに、ＵＥの識別子（ＵＥ−ＩＤ）と、優先順位を決定するための指標とを含ませる。優先順位を決定するための指標は、ここではＱｏＳとする。これによって、ＥＳセルは、ＨＯを要求されたＵＥと、そのＱｏＳを認識することが可能となる。
【０３４７】
ステップＳＴ４１０７およびステップＳＴ４１０８において、全てのＣｏｍｐセル、ここではＣｏｍｐセル１およびＣｏｍｐセル２にスイッチオン要求応答（Ａｃｋ）メッセージを通知したＥＳセルは、ステップＳＴ４１０９において、スイッチオンを開始する。また、ステップＳＴ４１１２において、予め定める期間を有するタイマを開始する。ステップＳＴ４１２３において、ＥＳセルは、タイマを終了する。ＥＳセルは、ステップＳＴ４１２３においてタイマが終了するまでの期間に受信したＨＯ要求メッセージを記憶する。
【０３４８】
このようにすることによって、ＥＳセルは、自セルのカバレッジを補償するＣｏｍｐセルからのオフロードさせるＵＥのためのＨＯ要求メッセージを受信した上で、優先順位を決定することが可能となる。
【０３４９】
ステップＳＴ４１２３においてタイマを終了したＥＳセルは、図１９のステップＳＴ４１２４において、タイマ内の予め定める期間に受信したＨＯ要求メッセージ、ＨＯ要求対象のＵＥ、およびＵＥのＱｏＳについての情報を用いて、ＨＯ受入れの優先順位を決定する。例えば、高いＱｏＳを有するＵＥに対しては、優先順位を高くする。
【０３５０】
またＥＳセルは、ステップＳＴ４１２５において、ＨＯ要求に対する流入制御を行う。ステップＳＴ４１２５の流入制御の処理を終了した後に、ステップＳＴ４１２４の優先順位を決定する処理を行ってもよい。また、ＥＳセルのＨＯ流入制御に優先順位決定機能を設けて、流入制御とともに優先順位決めを行うようにしてもよい。
【０３５１】
ステップＳＴ４１２４において優先順位を決定したＥＳセルは、優先順位の高いＵＥから、個別ＲＡＣＨ構成を割当てる。ここでは、ＵＥ１は、優先順位が高く、個別ＲＡＣＨ構成を割当てることとする。ＵＥ２は、優先順位が低く、個別ＲＡＣＨ構成を割当てないこととする。個別ＲＡＣＨ構成の数は、予め決められているので、割当可能なＵＥの数は制限される。
【０３５２】
ステップＳＴ４１２６において、ＥＳセルは、Ｃｏｍｐセル１に、優先順位の高いＵＥ１に対して割当てた個別ＲＡＣＨ構成とＵＥの識別子（ＵＥ−ＩＤ）とを通知する。ここでは、ＨＯ要求応答（Ａｃｋ）メッセージとともに、あるいはＨＯ要求応答（Ａｃｋ）メッセージに含めて通知する。個別ＲＡＣＨ構成としては、プリアンブルＩＤ、ＰＲＡＣＨマスクＩＤとする。
【０３５３】
ステップＳＴ４１２７において、ＥＳセルは、Ｃｏｍｐセル２に、優先順位の低いＵＥ２の識別子を、ＨＯ要求応答（Ａｃｋ）メッセージとともに、あるいはＨＯ要求応答（Ａｃｋ）メッセージに含めて通知する。
【０３５４】
ステップＳＴ４１２８において、Ｃｏｍｐセル１は、ＵＥ１に、ＵＥに割当てられている個別ＲＡＣＨ構成を通知する。ここでは、ＨＯ指示（HO command）メッセージとともに、あるいはＨＯ指示メッセージに含めて通知する。
【０３５５】
ステップＳＴ４１２９において、Ｃｏｍｐセル２は、ＵＥ２に、ＨＯ指示（HO command）メッセージを通知する。
【０３５６】
以上のようにすることによって、ＥＳセルによって優先順位を高く設定されたＵＥ、すなわちＵＥ１は、個別ＲＡＣＨ構成を取得することが可能となる。
【０３５７】
ステップＳＴ４１２８およびステップＳＴ４１２９において、ＵＥ１およびＵＥ２は、ＨＯ指示（HO command）メッセージを受信したので、ＥＳセルにアクセスを開始する。具体的には、ＲＡ（Random Access）処理を開始する。ＲＡ処理は、ＰＲＡＣＨの送信で開始される。
【０３５８】
ステップＳＴ４１３０において、ＵＥ１は、個別ＲＡＣＨ構成を用いて、ＥＳセルに、ＰＲＡＣＨの送信を行う。したがって、衝突の生じない非衝突（non-contention）ベースのＰＲＡＣＨとなり、ＥＳセルは、他のＵＥと衝突をすることなく、ＵＥ１からのＰＲＡＣＨを受信することができる。
【０３５９】
これによって、ＥＳセルは、ステップＳＴ４１３２において、ＵＥ１に、予め定めるタイミング内に早期にランダムアクセス応答（Random Access Response；略称：ＲＡＲ）メッセージを通知することが可能となる。ステップＳＴ４１３２において、ＵＥ１は、予め定めるタイミング内でＲＡＲメッセージを受信することができる。ステップＳＴ４１３３において、引続き、ＵＥ１は、ＥＳセルへのＨＯ処理が実行される。ステップＳＴ４１３９において、Ｃｏｍｐセル１は、補償終了を行う。
【０３６０】
ＵＥ２は、個別ＲＡＣＨ構成を用いることができないので、ステップＳＴ４１３１において、共通のＲＡＣＨ構成から選択して、ＰＲＡＣＨの送信を行う。したがって、衝突が生じる可能性のある衝突（contention）ベースのＰＲＡＣＨとなる。ＥＳセルでは、他のＵＥからのＰＲＡＣＨとの衝突によって、ＰＲＡＣＨを受信できない可能性がある。ＥＳセルは、ステップＳＴ４１３４において、ＲＡＲメッセージをＵＥ２に通知する。ＵＥ２は、ステップＳＴ４１３５において、ＥＳセルに、メッセージ３（Msg3）を通知する。
【０３６１】
仮に、ＥＳセルでＵＥからのＲＡ処理が失敗に終わった場合、ＥＳセルは、メッセージ４（Msg4）をＵＥ２に通知しない。したがって、ステップＳＴ４１３６において、ＵＥ２は、メッセージ４（Msg4）を受信することができなくなる。したがって、ＵＥ２は、ステップＳＴ４１３７において、ＰＲＡＣＨの再送から再度ＲＡ処理を開始しなければならない。
【０３６２】
ＵＥ２は、ＥＳセルに対してＲＡ処理が成功した場合、ステップＳＴ４１３８において、ＲＡ処理以降のＨＯ処理が実行される。ステップＳＴ４１４０において、Ｃｏｍｐセル２は、補償終了を行う。
【０３６３】
ＵＥ２に対するＨＯ処理は、衝突（contention）ベースのＰＲＡＣＨであるので、多数のＵＥがアクセスするような場合、衝突によって、ＰＲＡＣＨの再送、ＲＡ処理の再実行の可能性が高くなる。したがって、遅延が生じる可能性が高くなる。しかし、衝突（contention）ベースのＰＲＡＣＨの実行は、ステップＳＴ４１２４において、ＥＳセルによって、ＵＥ２のＱｏＳに応じた優先順位によって決定されている。したがって、遅延の影響は殆ど無い。
【０３６４】
このような方法とすることで、オフロードされたＵＥがＥＳセルと接続する場合に、ＵＥに、サービスのＱｏＳ要求によって優先順位を与えることが可能となる。これによって、優先順位の高いものは低遅延でアクセスを可能とし、優先順位の低いものは高遅延を許してアクセスさせるといった、優先順位に応じた遅延量の制御を実行することが可能となる。したがって、ユーザエクスペリエンスの劣化を低減させることが可能となる。
【０３６５】
実施の形態３  変形例１．
実施の形態３では、個別ＲＡＣＨ構成を割当てたＵＥが全て優先される場合について開示した。しかし、個別ＲＡＣＨ構成を割当てられたＵＥが多数あった場合、たとえ多数のＵＥが非衝突（non-contention）ベースのＰＲＡＣＨをＥＳセルに送信したとしても、ＥＳセルにおいて、ＰＲＡＣＨに対する応答であるＲＡＲを予め定める期間（ウインドウ）内にＵＥに対して送信することができない場合が発生する。ＲＡＲを予め定める期間に受信できないＵＥは、ＰＲＡＣＨの再送処理を行わなくてはならず、遅延が生じることになる。本変形例では、このような問題を解決するための方法を開示する。
【０３６６】
実施の形態１と同様に、ＥＳセルは、ＨＯ要求を受信したＵＥのＱｏＳに応じて、ＵＥの優先順位を決定し、優先順位の高いＵＥから、個別ＲＡＣＨ構成を割当てる。ＥＳセルは、優先順位と個別ＲＡＣＨ構成とを関連付けて記憶する。割当てたＵＥ識別子も併せて関連付けて記憶してもよい。
【０３６７】
ＥＳセルは、個別ＲＡＣＨ構成を割当てたＵＥから、個別ＲＡＣＨ構成を用いて送信されたＰＲＡＣＨを受信する。ＥＳセルは、個別ＲＡＣＨ構成を割当てたＵＥの全てのＰＲＡＣＨを受信した後、受信したＰＲＡＣＨの個別ＲＡＣＨ構成と、記憶している優先順位と個別ＲＡＣＨ構成との関連付けを用いて、ＵＥの優先順位を判定する。
【０３６８】
したがって、ＥＳセルは、どのＵＥを優先すればよいかを認識することが可能となる。個別ＲＡＣＨ構成を割当てたＵＥの全てのＰＲＡＣＨを受信した後ではなく、ＨＯ要求応答メッセージをＣｏｍｐセルに通知してから予め定める期間が経過した後、あるいは、割当てた個別ＲＡＣＨ構成を用いたＰＲＡＣＨの最初の受信から予め定める期間が経過した後としてもよい。これによって、電波環境の急変によってＰＲＡＣＨが届かない場合に、ＥＳセルが次の処理に進めなくなることを回避することができる。
【０３６９】
ＥＳセルは、ＲＡＲを予め定める期間内でＵＥの優先順位の順に、ＲＡＲを送信する。ＲＡＲを予め定める期間内で送信できないＵＥに関しては、ＵＥからのＰＲＡＣＨの再送を待つ。
【０３７０】
ＵＥは、ＲＡＲを予め定める期間内で受信すると直ちに、ＲＡ処理以降のＨＯ処理を行う。ＲＡＲを予め定める期間内で受信できなかった場合は、次のＰＲＡＣＨの送信タイミングで、ＰＲＡＣＨの再送を行う。
【０３７１】
このようにすることによって、ＥＳセルは、ＵＥの優先順位の順にＲＡＲを送信できるので、優先順位の高いＵＥから、可及的速やかにＨＯ処理を行うことが可能となる。したがって、ＣｏｍｐセルからＥＳセルにオフロードされるＵＥにおいて、優先順位の高いＵＥから、ＥＳセルへのアクセス時の遅延を少なくすることが可能となる。これによって、ユーザエクスペリエンスの劣化を低減させることができる。
【０３７２】
図２０は、本発明の実施の形態３の変形例１の通信システムにおけるＥＳ処理のシーケンスの一例を示す図である。図２０に示すシーケンスは、図１８および図１９に示すシーケンスと類似しているので、図１８および図１９に対応するステップについては、同一のステップ番号を付して、共通する説明を省略する。
【０３７３】
ステップＳＴ４１００のＨＯプレパレーション処理におけるステップＳＴ４１２３において、タイマを終了したＥＳセルは、ステップＳＴ４１２４において、タイマ内の予め定める期間に受信したＨＯ要求、ＨＯ要求対象のＵＥ、ＵＥのＱｏＳについての情報を用いて、ＨＯ受入れの優先順位を決定する。例えば、高いＱｏＳを有するＵＥに対しては、優先順位を高くする。
【０３７４】
ステップＳＴ４１２４において優先順位を決定したＥＳセルは、優先順位の高いＵＥから、個別ＲＡＣＨ構成を割当てる。ここでは、ＵＥ１の優先順位を１番とし、ＵＥ２の優先順位を２番とする。ＵＥ１およびＵＥ２のどちらにも個別ＲＡＣＨ構成を割当てることとする。ＥＳセルは、ＵＥの優先順位と、該ＵＥに割当てた個別ＲＡＣＨ構成とを関連付けて記憶する。
【０３７５】
ステップＳＴ４１２６において、ＥＳセルは、Ｃｏｍｐセル１に、ＵＥ１に割当てた個別ＲＡＣＨ構成とＵＥの識別子（ＵＥ−ＩＤ）とを通知する。ここでは、ＨＯ要求応答（Ａｃｋ）メッセージとともに、あるいはＨＯ要求応答（Ａｃｋ）メッセージに含めて通知する。
【０３７６】
ステップＳＴ４２０１において、ＥＳセルは、Ｃｏｍｐセル２に、ＵＥ２に割当てた個別ＲＡＣＨ構成とＵＥの識別子（ＵＥ−ＩＤ）とを通知する。ここでは、ＨＯ要求応答（Ａｃｋ）メッセージとともに、あるいはＨＯ要求応答（Ａｃｋ）メッセージに含めて通知する。個別ＲＡＣＨ構成としては、プリアンブルＩＤ、ＰＲＡＣＨマスクＩＤとする。
【０３７７】
ステップＳＴ４１２８において、Ｃｏｍｐセル１は、ＵＥ１に、ＵＥに割当てられている個別ＲＡＣＨ構成を通知する。ここでは、ＨＯ指示（HO command）メッセージとともに、あるいはＨＯ指示メッセージに含めて通知する。
【０３７８】
ステップＳＴ４２０２において、Ｃｏｍｐセル２は、ＵＥ２に、ＵＥに割当てられている個別ＲＡＣＨ構成を通知する。ここでは、ＨＯ指示（HO command）メッセージとともに、あるいはＨＯ指示メッセージに含めて通知する。
【０３７９】
ステップＳＴ４１２８およびステップＳＴ４２０２において、ＵＥ１およびＵＥ２は、ＨＯ指示（HO command）メッセージを受信したので、ＥＳセルにアクセスを開始する。
【０３８０】
ステップＳＴ４１３０およびステップＳＴ４２０３において、ＵＥ１およびＵＥ２は、ＨＯ指示（HO command）メッセージとともに取得した個別ＲＡＣＨ構成を用いて、ＥＳセルに、ＰＲＡＣＨの送信を行う。したがって、衝突の生じない非衝突（non-contention）ベースのＰＲＡＣＨとなり、ＥＳセルは、他のＵＥと衝突をすることなく、ＵＥ１およびＵＥ２からのＰＲＡＣＨを受信することができる。
【０３８１】
ステップＳＴ４１３０およびステップＳＴ４２０３において、ＥＳセルは、個別ＲＡＣＨ構成を割当てたＵＥから、個別ＲＡＣＨ構成を用いて送信されたＰＲＡＣＨを受信する。
【０３８２】
ステップＳＴ４２０４において、ＥＳセルは、受信したＰＲＡＣＨの個別ＲＡＣＨ構成と、記憶している優先順位と個別ＲＡＣＨ構成との関連付けを用いて、ＵＥの優先順位を判定する。
【０３８３】
したがって、ＥＳセルは、どのＵＥを優先すればよいかを認識することが可能となる。ここでは、ＵＥ１の優先順位が１番で、ＵＥ２の優先順位が２番である、と判定できる。
【０３８４】
ステップＳＴ４１３２において、ＥＳセルは、優先順位が１番のＵＥ１に、ＲＡＲメッセージを、予め定める期間内で最も早期に送信する。
【０３８５】
次に、ステップＳＴ４２０５において、ＥＳセルは、優先順位が２番のＵＥ２に、ＲＡＲメッセージを、予め定める期間内の次の送信タイミングで送信する。
【０３８６】
ＵＥ１は、ステップＳＴ４１３２においてＲＡＲメッセージを受信すると直ちに、ステップＳＴ４１３３において、ＲＡ処理以降のＨＯ処理を行う。
【０３８７】
ＵＥ２は、ステップＳＴ４２０５においてＲＡＲメッセージを受信すると直ちに、ステップＳＴ４１３８において、ＲＡ処理以降のＨＯ処理を行う。
【０３８８】
ＵＥ１は、ＵＥ２よりもＲＡＲメッセージを早期に受信できるので、ＨＯ処理も早期に実行されることになる。したがって、優先順位の高いＵＥ１の方が、ＥＳセルにアクセスするときの遅延は小さくなる。
【０３８９】
図２０に示すシーケンスの例では、ＵＥ１とＵＥ２のどちらもＲＡＲメッセージを予め定める期間内に送信した場合について示した。しかし、例えば、ＵＥの数が多く、ＲＡＲメッセージを予め定める期間内に送信することができないような場合がある。この場合、ＥＳセルは、ＲＡＲメッセージを予め定める期間内で送信できないＵＥに関しては、ＵＥからのＰＲＡＣＨの再送を待つ。他方、ＲＡＲメッセージを予め定める期間内に受信できないＵＥは、次のＰＲＡＣＨの送信タイミングで、ＰＲＡＣＨの再送を行う。
【０３９０】
このような場合も、前述のように、ＥＳセルは、ＵＥに、ＵＥの優先順位の順にＲＡＲメッセージを送信する。これによって、ＲＡＲメッセージを予め定める期間内に送信できないＵＥを、優先順位の低いＵＥとすることが可能となる。換言すれば、ＵＥは、例えばＱｏＳ要求の低いＵＥ、高遅延を許容するＵＥということになる。したがって、高いＱｏＳ要求のＵＥに対しては低遅延で、低いＱｏＳ要求のＵＥに対しては高遅延でＨＯ処理を実行させることが可能となる。
【０３９１】
以上のようにすることによって、優先順位の高いＵＥから、可及的速やかにＨＯ処理を行うことが可能となる。したがって、ＣｏｍｐセルからＥＳセルにオフロードされるＵＥにおいて、優先順位の高いＵＥから、ＥＳセルへのアクセス時の遅延を少なくすることが可能となる。これによって、ユーザエクスペリエンスの劣化を低減させることができる。
【０３９２】
実施の形態３  変形例２．
実施の形態３では、ＵＥの優先順位に応じて、個別ＲＡＣＨ構成を割当てることによって、オフロード先へのアクセスを優先させる方法を開示した。個別ＲＡＣＨ構成を割当てられなかったＵＥは、ＨＯ先へのアクセスで、ＰＲＡＣＨが衝突する可能性がある。また、ＥＳセルでＲＡ処理が行われなかったＵＥは、ＰＲＡＣＨの再送から行うことになる。個別ＲＡＣＨ構成を割当てられないＵＥが多数存在する場合、その中でＰＲＡＣＨの再送に優先順位付けがなされないという問題が生じる。本変形例では、この問題を解決する方法を開示する。
【０３９３】
ＥＳセルは、ＨＯ要求を受信したＵＥの優先順位を決定するための指標に応じて、ＵＥの優先順位を決定し、ＵＥの優先順位に応じて、ＰＲＡＣＨの再送時のバックオフタイムを設定する。バックオフタイムを設定されたＵＥは、バックオフタイムの設定値に従って、ＰＲＡＣＨの再送を予め定める期間遅らせる。バックオフタイムの設定は、ＲＡＲの既存のパラメータ「Backoff Parameter values」を用いて設定してもよい（非特許文献１４参照）。ＵＥの優先順位ではなく、ＱｏＳ要求あるいは遅延時間要求値に応じて、バックオフタイムを設定してもよい。優先順位に応じて設定するよりも、ＵＥの許容遅延時間との関係をつけやすく、制御が容易になる。バックオフタイムとしては、０、すなわち遅延無しを設定してもよい。
【０３９４】
また、特に、個別ＲＡＣＨ構成を割当てないＵＥに対して、ＵＥの優先順位に応じて、ＲＡＲのパラメータ「Backoff Parameter values」を設定するようにしてもよい。したがって、個別ＲＡＣＨ構成を割当てたＵＥに対しては、ＲＡ処理失敗の場合、バックオフタイム無しにＰＲＡＣＨの再送を行わせることが可能となる。また、個別ＲＡＣＨ構成を割当てないＵＥに対しては、ＲＡ処理失敗の場合、設定したバックオフタイムによってＰＲＡＣＨの再送を遅らせることが可能となる。これによって、ＰＲＡＣＨの衝突を低減させるとともに、優先順位に応じた遅延時間とすることが可能になる。
【０３９５】
ＵＥは、バックオフタイムを認識する必要がある。ＵＥがバックオフタイムを認識する方法は、実施の形態１で開示した、個別ＲＡＣＨ構成を認識する方法と同様にするとよい。
【０３９６】
ＥＳセルは、Ｃｏｍｐセルを介して、ＵＥに、設定したバックオフタイム、すなわちバックオフタイム設定値を通知する。ＥＳセルは、先に受信したＨＯ要求メッセージに対するＨＯ要求応答メッセージとともに、あるいはＨＯ要求応答メッセージに含ませて、Ｃｏｍｐセルに通知するとよい。ＨＯ要求応答メッセージでバックオフタイム設定値を受信したＣｏｍｐセルは、ＵＥに、バックオフタイム設定値を、ＨＯ指示（HO command）メッセージとともに、あるいはＨＯ指示メッセージに含ませて通知するとよい。
【０３９７】
Ｃｏｍｐセルが、ＵＥに、バックオフタイム設定値を通知する他の方法として、ＵＥがＨＯのためのＰＲＡＣＨを送信する前に、Ｃｏｍｐセルは、ＵＥに、ＰＤＣＣＨにバックオフタイム設定値を含めて通知するようにしてもよい。
【０３９８】
バックオフタイム設定値を受信したＵＥは、ＲＡ処理失敗時のＰＲＡＣＨの再送時に、バックオフタイム設定値を用いて、ＥＳセルに、ＰＲＡＣＨを予め定める期間遅らせて送信することが可能となる。
【０３９９】
図２１は、本発明の実施の形態３の変形例２の通信システムにおけるＥＳ処理のシーケンスの一例を示す図である。図２１に示すシーケンスは、図１８〜図２０に示すシーケンスと類似しているので、図１８〜図２０に対応するステップについては、同一のステップ番号を付して、共通する説明を省略する。
【０４００】
ステップＳＴ４１００のＨＯプレパレーション処理におけるステップＳＴ４１２３において、タイマを終了したＥＳセルは、ステップＳＴ４１２４において、タイマ内の予め定める期間に受信したＨＯ要求、ＨＯ要求対象のＵＥ、ＵＥのＱｏＳについての情報を用いて、ＨＯ受入れの優先順位を決定する。例えば、高いＱｏＳを有するＵＥに対しては、優先順位を高くする。
【０４０１】
図２１に示す例では、ＵＥ１がＵＥ２よりも優先順位が高いこととする。ＵＥ１およびＵＥ２のどちらにも個別ＲＡＣＨ構成を割当てず、バックオフタイムを設定する。バックオフタイムの設定としては、ＲＡＲのバックオフパラメータ値（Backoff Parameter values）を用いて設定する。ＥＳセルは、優先順位が相対的に高いＵＥ１に、より小さい値のバックオフタイムを設定し、優先順位が相対的に低いＵＥ２に、より大きい値のバックオフタイムを設定する。
【０４０２】
ステップＳＴ４３０１およびステップＳＴ４３０２において、ＥＳセルは、Ｃｏｍｐセル１およびＣｏｍｐセル２に、ＵＥ１およびＵＥ２に設定したバックオフタイムであるバックオフパラメータ値とＵＥの識別子（ＵＥ−ＩＤ）とを通知する。ここでは、ＨＯ要求応答（Ａｃｋ）メッセージとともに、あるいはＨＯ要求応答（Ａｃｋ）メッセージに含めて通知する。
【０４０３】
ステップＳＴ４３０３およびステップＳＴ４３０４において、Ｃｏｍｐセル１およびＣｏｍｐセル２は、ＵＥ１およびＵＥ２に、各ＵＥに設定されたバックオフタイムであるバックオフパラメータ値を通知する。ここでは、ＨＯ指示（HO command）メッセージとともに、あるいはＨＯ指示メッセージに含めて通知する。
【０４０４】
ステップＳＴ４３０５およびステップＳＴ４３０６において、ＵＥ１およびＵＥ２は、共通ＰＲＡＣＨ構成を用いて、ＥＳセルに、ＰＲＡＣＨの送信を行う。したがって、衝突発生の可能性のある衝突（contention）ベースのＰＲＡＣＨとなる。
【０４０５】
ステップＳＴ４３０７およびステップＳＴ４３０８において、ＥＳセルは、ＵＥ１およびＵＥ２に、ＲＡＲメッセージを通知する。
【０４０６】
ＲＡＲメッセージを受信したＵＥ１およびＵＥ２は、ステップＳＴ４３０９およびステップＳＴ４３１０において、ＥＳセルに、ＲＡ処理のメッセージ３（Msg3）を通知する。
【０４０７】
本シーケンスでは、衝突の可能性のあるＲＡ処理であるので、どちらのＵＥもＥＳセルとのＲＡ処理を成功できなかった場合を示す。ステップＳＴ４３１１およびステップＳＴ４３１４において、ＵＥ１およびＵＥ２は、ＲＡ処理のメッセージ４（Msg4）を受信できない。この場合、ステップＳＴ４３１２において、ＵＥ１は、ステップＳＴ４３０３で受信したバックオフパラメータ値を用いて、予め定める期間、ＰＲＡＣＨの再送を遅らせる。
【０４０８】
ステップＳＴ４３１３において、ＵＥ１は、予め定める期間遅らせてＰＲＡＣＨを再送し、ＥＳセルとの間でＲＡ処理を行う。ＲＡ処理が成功した場合、ステップＳＴ４１３３において、ＲＡ処理以降のＨＯ処理が行われる。
【０４０９】
ステップＳＴ４３１４においてメッセージ４（Msg4）を受信できなかったＵＥ２は、ステップＳＴ４３１５において、ステップＳＴ４３０４で受信したバックオフパラメータ値を用いて、予め定める期間、ＰＲＡＣＨの再送を遅らせる。
【０４１０】
ステップＳＴ４１３７において、ＵＥ２は、予め定める期間遅らせてＰＲＡＣＨを再送し、ＥＳセルとの間でＲＡ処理を行う。ＲＡ処理が成功した場合、ステップＳＴ４１３８において、ＲＡ処理以降のＨＯ処理が行われる。
【０４１１】
以上のようにすることによって、個別ＲＡＣＨ構成を割当てられないＵＥが多数存在する場合でも、その中でＰＲＡＣＨの再送に優先順位付けがなされることになり、優先順位の高いＵＥから、可及的速やかにＨＯ処理を行うことが可能となる。したがって、ＣｏｍｐセルからＥＳセルにオフロードされるＵＥにおいて、優先順位の高いＵＥから、ＥＳセルへのアクセス時の遅延を少なくすることが可能となる。これによって、ユーザエクスペリエンスの劣化を低減させることができる。
【０４１２】
実施の形態３  変形例３．
実施の形態３の変形例２では、ＵＥの優先順位に応じて、ＰＲＡＣＨ再送時のバックオフタイムを設定することによって、オフロード先へのアクセスを優先させる方法を開示した。しかし、この場合、ＰＲＡＣＨの再送を行うＵＥが多くなるので、シグナリングの無駄、およびＵＥの消費電力の増大を引き起こす。本変形例では、この問題を解決するための方法を開示する。
【０４１３】
ＥＳセルは、ＨＯ要求メッセージを受信したＵＥの優先順位を決定するための指標に応じて、ＵＥの優先順位を決定し、ＵＥの優先順位に応じて、ＰＲＡＣＨ初送時のウエイトタイムを設定する。ウエイトタイムを設定されたＵＥは、ウエイトタイムの設定値に従って、ＰＲＡＣＨの初送を、予め定める期間遅らせる。ＵＥの優先順位ではなく、ＱｏＳ要求メッセージあるいは遅延時間要求値に応じて、ウエイトタイムを設定してもよい。優先順位に応じて設定するよりも、ＵＥの許容遅延時間との関係をつけやすく、制御が容易になる。ウエイトタイムとしては、０、すなわち遅延無しを設定してもよい。
【０４１４】
ＵＥは、ウエイトタイムを認識する必要がある。ＵＥがウエイトタイムを認識する方法は、実施の形態１で開示した、個別ＲＡＣＨ構成を認識する方法と同様にするとよい。
【０４１５】
ＥＳセルは、Ｃｏｍｐセルを介して、ＵＥに、設定したウエイトタイム、すなわちウエイトタイム設定値を通知する。ＥＳセルは、先に受信したＨＯ要求メッセージに対するＨＯ要求応答メッセージとともに、あるいはＨＯ要求応答メッセージに含ませて、Ｃｏｍｐセルに通知するとよい。ＨＯ要求応答メッセージでウエイトタイム設定値を受信したＣｏｍｐセルは、ＵＥに、ウエイトタイム設定値を、ＨＯ指示（HO command）メッセージとともに、あるいはＨＯ指示メッセージに含ませて該通知するとよい。
【０４１６】
Ｃｏｍｐセルが、ＵＥに、ウエイトタイム設定値を通知する他の方法として、ＵＥがＨＯのためのＰＲＡＣＨを送信する前に、Ｃｏｍｐセルは、ＵＥに、ＰＤＣＣＨにウエイトタイム設定値を含めて通知するようにしてもよい。
【０４１７】
ウエイトタイム設定値を受信したＵＥは、ＨＯ先へアクセスするためのＰＲＡＣＨの初送時に、ウエイトタイム設定値を用いて、ＥＳセルに、ＰＲＡＣＨを予め定める期間遅らせて送信することが可能となる。
【０４１８】
図２２は、本発明の実施の形態３の変形例３の通信システムにおけるＥＳ処理のシーケンスの一例を示す図である。図２２に示すシーケンスは、図１８〜図２１に示すシーケンスと類似しているので、図１８〜図２１に対応するステップについては、同一のステップ番号を付して、共通する説明を省略する。
【０４１９】
ステップＳＴ４１００のＨＯプレパレーション処理におけるステップＳＴ４１２３において、タイマを終了したＥＳセルは、ステップＳＴ４１２４において、タイマ内の予め定める期間に受信したＨＯ要求、ＨＯ要求対象のＵＥ、ＵＥのＱｏＳについての情報を用いて、ＨＯ受入れの優先順位を決定する。例えば、高いＱｏＳを有するＵＥに対しては、優先順位を高くする。
【０４２０】
図２２に示す例では、ＵＥ１の優先順位を１番、ＵＥ２の優先順位を２番とする。ＵＥ１およびＵＥ２のどちらにも個別ＲＡＣＨ構成を割当てず、ウエイトタイムを設定する。ＥＳセルは、優先順位が相対的に高いＵＥ１に、より小さい値のウエイトタイムを設定し、優先順位が相対的に低いＵＥ２に、より大きい値のウエイトタイムを設定する。
【０４２１】
ステップＳＴ４４０１およびステップＳＴ４４０２において、ＥＳセルは、Ｃｏｍｐセル１、Ｃｏｍｐセル２に、ＵＥ１およびＵＥ２に設定したウエイトタイムであるウエイトタイマ値とＵＥの識別子（ＵＥ−ＩＤ）とを通知する。ここでは、ＨＯ要求応答（Ａｃｋ）メッセージとともに、あるいはＨＯ要求応答（Ａｃｋ）メッセージに含めて通知する。
【０４２２】
ステップＳＴ４４０３およびステップＳＴ４４０４において、Ｃｏｍｐセル１およびＣｏｍｐセル２は、ＵＥ１およびＵＥ２に、各ＵＥに設定されたウエイトタイムであるウエイトタイマ値を通知する。ここでは、ＨＯ指示（HO command）メッセージとともに、あるいはＨＯ指示メッセージに含めて通知する。
【０４２３】
ステップＳＴ４４０３およびステップＳＴ４４０４においてウエイトタイムを受信したＵＥは、ステップＳＴ４４０５およびステップＳＴ４４０６において、それぞれのウエイトタイマ値に従って、予め定める期間、ＰＲＡＣＨの送信を遅らせる。ここでは、ＵＥ１の優先順位は、ＵＥ２の優先順位よりも高いので、ＵＥ１のウエイトタイマ値は、ＵＥ２のウエイトタイマ値よりも小さく設定される。
【０４２４】
したがって、ステップＳＴ４３０５において、まずＵＥ１からのＰＲＡＣＨが送信される。ＰＲＡＣＨは、共通ＰＲＡＣＨ構成を用いた衝突（contention）ベースのＰＲＡＣＨである。本方法は、共通ＲＡＣＨ構成を用いたＰＲＡＣＨに限らず、個別ＲＡＣＨ構成が割当てられたＰＲＡＣＨの場合にも適用できる。
【０４２５】
ＥＳセルは、個別ＲＡＣＨ構成を割当てたＵＥに、ウエイトタイマ値を設定することによって、さらに優先順位をつけて、ＰＲＡＣＨを送信させることが可能となる。これによって、多数のＵＥが個別ＲＡＣＨ構成を割当てられた場合に生じる、予め定める期間にＲＡＲ受信をできない場合のＰＲＡＣＨの再送を低減することが可能となる。
【０４２６】
ＥＳセルによるウエイトタイマ値の設定によって、各ＵＥのＰＲＡＣＨの送信に時間差を与えることが可能となるので、衝突（contention）ベースのＰＲＡＣＨでも、複数のＵＥのＰＲＡＣＨが衝突する可能性は低い。したがって、ＥＳセルは、ステップＳＴ４３０５のＰＲＡＣＨを受信できる可能性が高い。
【０４２７】
ステップＳＴ４３０５においてＰＲＡＣＨをＵＥ１から受信したＥＳセルは、ステップＳＴ４３０７、ステップＳＴ４３０９、ステップＳＴ４４０７において、ＵＥ１との間でＲＡ処理を行う。具体的には、ステップＳＴ４３０７において、ＥＳセルは、ＵＥ１に、ＲＡＲメッセージを通知する。ステップＳＴ４３０９において、ＵＥ１は、ＥＳセルに、ＲＡ処理のメッセージ３（Msg3）を通知する。ステップＳＴ４４０７において、ＥＳセルは、ＵＥ１に、ＲＡ処理のメッセージ４（Msg4）を通知する。ステップＳＴ４１３３において、ＵＥ１は、ＲＡ処理以降のＨＯ処理を行う。
【０４２８】
ステップＳＴ４４０６において、ＵＥ２は、ウエイトタイマ値に従って、予め定める期間、ＰＲＡＣＨの送信を遅らせる。ＵＥ２は、ＵＥ１よりもウエイトタイマ値が大きく設定されているので、ＵＥ１がＰＲＡＣＨを送信するタイミングよりも遅れて、ＰＲＡＣＨを送信する。
【０４２９】
ステップＳＴ４３０６において、ＵＥ２は、ＥＳセルに、ＰＲＡＣＨを送信する。ＵＥ１の場合と同様に、ＥＳセルは、ステップＳＴ４３０６においてＰＲＡＣＨを受信できる可能性が高い。
【０４３０】
ステップＳＴ４３０６においてＰＲＡＣＨをＵＥ２から受信したＥＳセルは、ステップＳＴ４３０８、ステップＳＴ４３１０、ステップＳＴ４４０８において、ＵＥ２との間でＲＡ処理を行う。具体的には、ステップＳＴ４３０８において、ＥＳセルは、ＵＥ２に、ＲＡＲメッセージを通知する。ステップＳＴ４３１０において、ＵＥ２は、ＥＳセルに、ＲＡ処理のメッセージ３（Msg3）を通知する。ステップＳＴ４４０８において、ＥＳセルは、ＵＥ２に、ＲＡ処理のメッセージ４（Msg4）を通知する。ステップＳＴ４１３８において、ＵＥ２は、ＲＡ処理以降のＨＯ処理を行う。
【０４３１】
以上のようにすることによって、ＵＥの優先順位に応じて、ＰＲＡＣＨ初送時の送信タイミングを遅らせることが可能となる。オフロードされるＵＥが多数存在する場合でも、ＰＲＡＣＨの送信タイミングを異ならせることができ、さらに、ＰＲＡＣＨの送信に優先順位付けがなされることになり、優先順位の高いＵＥから、可及的速やかにＨＯ処理を行うことが可能となる。したがって、ＣｏｍｐセルからＥＳセルにオフロードされるＵＥにおいて、優先順位の高いＵＥから、ＥＳセルへのアクセス時の遅延を少なくすることが可能となる。これによって、ユーザエクスペリエンスの劣化を低減させることができる。
【０４３２】
本変形例で開示したウエイトタイマ値を、ＰＲＡＣＨの初送だけでなく、ＲＡ処理失敗時のＰＲＡＣＨの再送に用いてもよい。ＰＲＡＣＨの再送時も、ＵＥのＰＲＡＣＨの送信タイミングを異ならせることができ、さらにＰＲＡＣＨの再送に優先順位付けがなされることになり、優先順位の高いＵＥから、可及的速やかにＨＯ処理を行うことが可能となる。
【０４３３】
実施の形態３  変形例４．
実施の形態３の変形例２では、ＵＥの優先順位に応じて、ＰＲＡＣＨの再送時のバックオフタイムを設定し、実施の形態３の変形例３では、ＵＥの優先順位に応じて、ＰＲＡＣＨの初送時のウエイトタイムを設定することによって、オフロード先へのアクセスを優先させる方法を開示した。本変形例では、オフロード先へのアクセスを優先させる他の方法を開示する。
【０４３４】
ＥＳセルは、ＨＯ要求メッセージを受信したＵＥの優先順位を決定するための指標に応じて、ＵＥの優先順位を決定し、ＵＥの優先順位に応じて、ＥＳセルへのＲＲＣメッセージを送信するためのウエイトタイムを設定する。このウエイトタイムを、「ＲＲＣウエイトタイム」という場合がある。
【０４３５】
ＲＲＣウエイトタイムを設定されたＵＥは、ＲＲＣウエイトタイムの設定値に従って、ＥＳセルへのＲＲＣメッセージの送信を、予め定める期間遅らせる。ＵＥの優先順位ではなく、ＱｏＳ要求メッセージあるいは遅延時間要求値に応じて、ＲＲＣウエイトタイムを設定してもよい。優先順位に応じて設定するよりも、ＵＥの許容遅延時間との関係をつけやすく、制御が容易になる。ＲＲＣウエイトタイムとしては、０、すなわち遅延無しを設定してもよい。
【０４３６】
ＲＲＣウエイトタイムは、例えば、ＵＥがＲＬＦあるいはＨＯＦを生じた場合の、ＲＲＣ接続再設立要求メッセージに用いてもよい。
【０４３７】
オフロード先のセルに通知するＲＲＣメッセージに対して、ＲＲＣウエイトタイムを適宜用いることによって、ＵＥの優先順位に応じて、ＲＲＣメッセージの送信タイミングを異ならせることができる。さらに、ＲＲＣメッセージの送信に優先順位付けがなされることになり、優先順位の高いＵＥから、可及的速やかにオフロード先セルと接続することが可能となる。
【０４３８】
ＵＥがＲＲＣウエイトタイムを認識する方法は、実施の形態３の変形例３で開示したウエイトタイムを用いる方法と同様に行えばよい。
【０４３９】
本変形例のようにすることによって、ＵＥの優先順位に応じて、オフロード先セルへのＲＲＣメッセージの送信タイミングを遅らせることが可能となる。オフロードされるＵＥが多数存在する場合でも、ＲＲＣメッセージの送信タイミングを異ならせることができる。さらに、ＲＲＣメッセージの送信に優先順位付けがなされることになり、優先順位の高いＵＥから、可及的速やかにオフロード先セルとＲＲＣ接続を行うための処理を行うことが可能となる。
【０４４０】
したがって、ＣｏｍｐセルからＥＳセルにオフロードされるＵＥにおいて、優先順位の高いＵＥから、ＥＳセルへのアクセス時の遅延を少なくすることが可能となる。これによって、ユーザエクスペリエンスの劣化を低減させることができる。
【０４４１】
実施の形態３および実施の形態３の変形例１〜変形例３では、ＥＳセルのスイッチオンとＣｏｍｐセルのカバレッジ減の遷移時について説明した。これらで開示した方法は、ＥＳセルのスイッチオフとＣｏｍｐセルのカバレッジ増の遷移時に、ＥＳセルからＣｏｍｐセルへオフロードされるＵＥに対しても、適用可能である。ＥＳセルのスイッチオフ遷移時については、ＥＳセルの負荷を低減するためにスイッチオフを行うことになるので、ＥＳセルのスイッチオンの場合に比べて、ＵＥの数は少数と考えられる。しかし、少数であるが、ＣｏｍｐセルへのＵＥのアクセスが衝突するような場合が生じる可能性がある。このような場合に、実施の形態３、実施の形態３の変形例１〜変形例３と同様の効果を得ることができる。
【０４４２】
実施の形態４．
実施の形態１において送信電力を徐々に増減させるＥＳセルまたはＣｏｍｐセルにおけるＲＳ（Reference Signal）送信電力の通知方法と、ＥＳセルまたはＣｏｍｐセルにアクセスするＵＥの上り送信電力の決定方法について以下に開示する。
【０４４３】
複数の段階を経て送信電力を増減させるセルは、増減完了後のＲＳ送信電力ではなく、増減の都度、ＵＥに、ＲＳ送信電力を通知する。
【０４４４】
ＵＥは、通知された各段階のＲＳ送信電力を用いて、各段階のパスロスを評価する。ＵＥは、評価した各段階のパスロスを用いて、各段階の送信電力を決定する。
【０４４５】
このようにすることによって、増減の都度、ＲＳ送信電力の通知を更新することになるので、ＵＥ側におけるパスロスの評価に誤差が生じる時間帯を少なくすることができる。したがって、ＵＥは、各段階において誤差の少ない適切な送信電力を決定することが可能となる。
【０４４６】
送信電力を徐々に増減させるＥＳセルまたはＣｏｍｐセルにおける各段階の送信電力の設定タイミングと、該セルにアクセスするＵＥが通知される各段階のＲＳ送信電力の受信タイミングとが異なる場合が生じる。このことを考慮した方法として、以下の（１），（２）の２つを開示する。
【０４４７】
（１）ＵＥによる与干渉低減を重視する場合
図２３および図２４は、本発明の実施の形態４におけるＵＥの送信電力を決定する手順の一例を示す図である。図２３（ａ）および図２４（ｂ）の縦軸は、ｅＮＢのＲＳ送信電力ＲＳ−ＴＰ（ｅＮＢ）を示し、図２３（ｂ）および図２４（ａ）の縦軸は、ｅＮＢからのＲＳ通知電力ＲＳ−ＲＰ（ｅＮＢ）を示し、図２３（ｃ）および図２４（ｃ）の縦軸は、ＵＥで算出するパスロスＰＬ（ＵＥ）を示し、図２３（ｄ）および図２４（ｄ）の縦軸は、ＵＥの送信電力ＴＰ（ＵＥ）を示す。図２３（ａ）〜図２３（ｄ）および図２４（ａ）〜図２４（ｄ）の横軸は、時間を示す。図２３と図２４とを用いて、ＵＥによる与干渉低減を重視する場合のＵＥの送信電力を決定する手順の一例を説明する。
【０４４８】
複数の段階を経て送信電力を増減させるセルは、増減完了後のＲＳ送信電力ではなく、増減の都度、ＵＥに、ＲＳ送信電力を通知する。セルが送信電力を増すときは、送信電力を上げてから、ＵＥにＲＳ送信電力を通知する。セルが送信電力を減らすときは、ＵＥにＲＳ送信電力を通知してから、送信電力を下げる。
【０４４９】
ＲＳ送信電力（ＲＳ−ＴＰ（ｅＮＢ））の変更可能周期を、セルからＵＥへのＲＳ送信電力の通知（ＲＳ通知電力ＲＳ−ＲＰ（ｅＮＢ））可能な周期以上とすればよい。これによって、ＲＳ送信電力の増減の都度、ＵＥにＲＳ送信電力を通知することが可能となる。
【０４５０】
ＲＳ送信電力の通知は、非特許文献１０によれば、ＲＲＣシグナルによって通知される。具体的には、「referenceSignalPower」とのパラメータを用いて通知される。「referenceSignalPower」は、「pdsch-ConfigCommon」メッセージにマッピングされる。「pdsch-ConfigCommon」は、「radioResourceConfiguCommon」メッセージにマッピングされる。「radioResourceConfiguCommon」は、システム情報のＳＩＢ２にマッピングされることによって、傘下の全てのＵＥに通知される。システム情報は、システム情報の変更周期である「modification period」で変更される。
【０４５１】
したがって、本実施の形態では、ＲＳ送信電力（ＲＳ−ＴＰ（ｅＮＢ））の変更可能周期を「modification period」以上とすることを開示する。これによって、ＲＳ送信電力（ＲＳ−ＴＰ（ｅＮＢ））の変更可能周期が、セルからＵＥへのＲＳ送信電力の通知（ＲＳ通知電力ＲＳ−ＲＰ（ｅＮＢ））可能な周期以上となり、ＲＳ送信電力の増減の都度、ＵＥにＲＳ送信電力を通知することが可能となる。
【０４５２】
このような方法によって、増減の都度、ＲＳ送信電力の通知を更新するので、ＵＥ側におけるパスロスの評価に誤差を生じる時間帯を少なくすることができる。また、ＵＥがパスロスを過大に推定する可能性が減るので、ＵＥが、ｅＮＢ側において必要な電力以上の電力を送信する確率が減り、送信電力を徐々に増減させているときのＵＥによる与干渉を抑制することができる。
【０４５３】
（２）ＵＥの通信品質を重視する場合
図２５および図２６は、本発明の実施の形態４におけるＵＥの送信電力を決定する手順の一例を示す図である。図２５（ａ）および図２６（ｂ）の縦軸は、ｅＮＢからのＲＳ通知電力ＲＳ−ＲＰ（ｅＮＢ）を示し、図２５（ｂ）および図２６（ａ）の縦軸は、ｅＮＢのＲＳ送信電力ＲＳ−ＴＰ（ｅＮＢ）を示し、図２５（ｃ）および図２６（ｃ）の縦軸は、ＵＥで算出するパスロスＰＬ（ＵＥ）を示し、図２５（ｄ）および図２６（ｄ）の縦軸は、ＵＥの送信電力ＴＰ（ＵＥ）を示す。図２５（ａ）〜図２５（ｄ）および図２６（ａ）〜図２６（ｄ）の横軸は、時間を示す。図２５と図２６とを用いて、ＵＥの通信品質を重視する場合のＵＥの送信電力を決定する手順の一例を説明する。
【０４５４】
複数の段階を経て送信電力を増減させるセルは、増減完了後のＲＳ送信電力ではなく、増減の都度、ＵＥに、ＲＳ送信電力を通知する。セルが送信電力を増すときは、ＵＥにＲＳ送信電力を通知してから、送信電力を上げる。セルが送信電力を減らすときは、送信電力を下げてから、ＵＥにＲＳ送信電力を通知する。
【０４５５】
このような方法によって、増減の都度、ＲＳ送信電力の通知を更新するので、ＵＥ側におけるパスロスの評価に誤差を生じる時間帯を少なくできる。また、ＵＥがパスロスを過少に推定する可能性が減るので、ＵＥの送信電力がｅＮＢ側において不足する確率が減り、送信電力を徐々に増減させているときのＵＥの通信品質を向上することができる。
【０４５６】
実施の形態５．
ＥＳセルがスイッチオフにしている場合に、ＣｏｍｐセルをサービングセルとするＥＳセルのアンテナの近傍のＵＥは、大きな上り送信電力で送信している。ＥＳセルがスイッチオンを開始し、スイッチオン状態に遷移している場合、ＥＳセルのカバレッジ内の、ＣｏｍｐセルをサービングセルとするＵＥは、ＥＳセルにアクセスを行う。ＣｏｍｐセルをサービングセルとするＵＥが複数存在する場合、それぞれのＵＥがＥＳセルにアクセスするタイミングは異なってしまう。この場合、ＥＳセルにアクセスを行うＵＥの上りリンクに対して、ＣｏｍｐセルをサービングセルとするＥＳセルのアンテナの近傍のＵＥの上りリンクが干渉してしまう場合がある。したがって、ＥＳセルにアクセスを行っているＵＥあるいはＥＳセルにアクセスしようとしているＵＥの処理が正常に行うことができなくなるという問題がある。本実施の形態では、この問題を解決する方法を開示する。
【０４５７】
ＣｏｍｐセルからＥＳセルにオフロードされるＵＥが、ＥＳセルにアクセスするときの上り送信電力は固定とする。上り送信電力の固定値の決定主体およびＵＥへの通知方法の具体例として、以下の（１）〜（３）の３つを開示する。
（１）Ｃｏｍｐセルが設定し、予めＣｏｍｐセルからＵＥに通知する。
（２）ＥＳセルが設定し、予めＣｏｍｐセルを介してＵＥに通知する。
（３）Ｏ＆Ｍが設定し、予めＣｏｍｐセルを介してＵＥに通知する。
【０４５８】
実施の形態４では、複数の段階を経て送信電力を増減させるセルが、増減完了後のＲＳ送信電力ではなく、増減の都度、ＵＥに、ＲＳ送信電力を通知することを開示した。
【０４５９】
この場合、ＵＥがＥＳセルにアクセスを開始する場合の送信電力は、ＵＥがＥＳセルからのパスロスを導出し、このパスロスを用いて送信電力を決定することによって求められる。このため、ＥＳセルの近傍のＵＥは送信電力が小さい。したがって、Ｃｏｍｐセルをサービングセルとしている、ＥＳセルのアンテナの近傍のＵＥは、大きな上り送信電力で送信しているので、ＥＳセルにアクセスするＵＥに干渉を与えてしまう。
【０４６０】
ＵＥがＥＳセルにアクセスするときの上り送信電力を固定値にすることによって、ＥＳセルの近傍のＵＥの送信電力が小さくなることを回避することができる。これによって、ＣｏｍｐセルをサービングセルとするＵＥからの干渉の影響を低減することが可能となる。
【０４６１】
ＣｏｍｐセルからＵＥに前記固定値を通知する方法を開示する。前記固定値は、個別シグナリングを用いて通知する。例えば、前記固定値は、ＣｏｍｐセルがＥＳセルにＵＥをオフロードさせるために通知するＨＯ指示（HO command）メッセージとともに、あるいはＨＯ指示（HO command）メッセージに含めて通知してもよい。Ｃｏｍｐセルは、ＵＥをＥＳセルにＨＯさせることを認識している。したがって、ＥＳセルへのアクセスに用いるための固定値を設定することは可能である。
【０４６２】
ＥＳセルからＵＥに、Ｃｏｍｐセルを介して前記固定値を通知する方法を開示する。ＥＳセルからＣｏｍｐセルへは、Ｘ２シグナリングを用いて前記固定値を通知する。例えば、前記固定値は、ＵＥがオフロードのときに、ＥＳセルがＣｏｍｐセルへ通知するＨＯ要求応答メッセージとともに、あるいはＨＯ要求応答メッセージに含めて通知してもよい。前記固定値を受信したＣｏｍｐセルは、前記固定値を、ＣｏｍｐセルがＥＳセルにＵＥをオフロードさせるために通知するＨＯ指示（HO command）メッセージとともに、あるいはＨＯ指示（HO command）メッセージに含めてＵＥに通知してもよい。ＥＳセルは、ＵＥが自セルにＨＯしてくることを認識している。したがって、ＥＳセルへのアクセスに用いるための固定値を設定することは可能である。
【０４６３】
Ｏ＆Ｍから、Ｃｏｍｐセルを介してＵＥに前記固定値を通知する方法を開示する。Ｏ＆Ｍから、ＭＭＥを介してＣｏｍｐセルに前記固定値を通知する。ＭＭＥからＣｏｍｐセルへの通知には、Ｓ１シグナリングを用いるとよい。Ｏ＆Ｍは、Ｃｏｍｐセルのセットアップのとき、あるいはＣｏｍｐセル構成のアップデートのときに、Ｃｏｍｐセルに前記固定値を通知してもよい。あるいは、ＣｏｍｐセルがＥＳセルのカバレッジの補償終了を決定したとき、あるいはカバレッジの補償終了開始指示を受信したときに、Ｏ＆Ｍから前記固定値を取得するようにしてもよい。Ｃｏｍｐセルは、ＥＳセルにＨＯさせるＵＥに対して、前記固定値を設定する。前記固定値を受信したＣｏｍｐセルは、前記固定値を、ＣｏｍｐセルがＥＳセルにＵＥをオフロードさせるために通知するＨＯ指示（HO command）メッセージとともに、あるいはＨＯ指示（HO command）メッセージに含めてＵＥに通知してもよい。
【０４６４】
ＵＥがＥＳセルにアクセスするための上り送信電力として前記固定値を用いる期間の具体例について、以下の（１）〜（４）の４つを開示する。
【０４６５】
（１）ＣｏｍｐセルがＥＳセルのカバレッジの補償を終了するまで。換言すると、Ｃｏｍｐセルが通常状態に戻るまで。
【０４６６】
Ｃｏｍｐセルは、ＥＳセルを介してＵＥに、通常状態に戻ったことを通知するとよい。ＣｏｍｐセルからＥＳセルへの通知には、Ｘ２シグナリングを用いるとよい。セルがカバレッジの補償状態か通常状態かを示す状態情報を、Ｘ２メッセージに設ける。Ｃｏｍｐセルは、前記状態情報をＸ２メッセージに設定し、ＥＳセルに通知するとよい。ＥＳセルは、ＵＥに、受信したＣｏｍｐセルの状態情報を通知する。
【０４６７】
Ｃｏｍｐセルがカバレッジの補償を終了して通常状態である場合、ＥＳセルのアンテナの近傍でＣｏｍｐセルに接続しているＵＥは存在しない。したがって、Ｃｏｍｐセルの傘下のＵＥからの上り干渉は無くなる。
【０４６８】
（２）予め定める期間が経過するまで。予め定める期間は、タイマとして設定されてもよい。
【０４６９】
ＵＥは、固定値を受信した後、予め定める期間が経過するまで、上り送信電力を固定値に設定して送信する。予め定める期間が経過した後は、通常の上り送信電力の決定方法によって導出した上り送信電力で送信する。
【０４７０】
予め定める期間は、固定値とともにＵＥに通知されるようにするとよい。予め定める期間の決定主体およびＵＥへの通知方法は、上り送信電力の固定値の決定主体およびＵＥへの通知方法の具体例で開示した方法を適用することができる。
【０４７１】
予め定める期間の経過によって、Ｃｏｍｐセルが通常状態への移行を進ませることで、ＥＳセルのアンテナの近傍でＣｏｍｐセルに接続しているＵＥが存在しなくなる。したがって、Ｃｏｍｐセルの傘下のＵＥからの上り干渉は無くなる。この方法では、シグナリング量を削減することができる。
【０４７２】
（３）ＵＥのメジャメントによるＣｏｍｐセルの受信電力あるいは受信品質が予め定める閾値より小さくなるまで。
【０４７３】
ＵＥは、自身がメジャメントを決定してメジャメントを行う。予め定める閾値の決定主体およびＵＥへの通知方法は、前記上り送信電力の固定値の決定主体およびＵＥへの通知方法の具体例で開示した方法を適用することができる。
【０４７４】
対象となるＵＥは、Ｃｏｍｐセルがカバレッジの補償を終了して通常状態に戻ったかどうか、あるいはＣｏｍｐセルからの干渉が問題にならないかどうかを直接測定して認識することが可能となる。Ｃｏｍｐセルのカバレッジの補償終了までの時間に、ばらつきがある場合における、ＵＥのＥＳセルへのアクセスの成功確率を向上させることが可能となる。
【０４７５】
（４）ＥＳセルが、ＵＥに、通常の上り送信電力の設定に戻すことを通知するまで。
【０４７６】
ＥＳセルが、ＵＥが通常の上り送信電力の設定に戻すことを判断する方法を開示する。ＥＳセルは、ＵＥに、Ｃｏｍｐセルを設定したメジャメントを通知して、イベント発生時に報告させる。ＥＳセルは、メジャメント報告を用いて、ＵＥが通常の上り送信電力の設定に戻すことを判断する。イベント発生のための閾値は、ＥＳセルが決定し、メジャメントのためのメッセージでＵＥに通知するとよい。ＵＥが直接測定した結果を、ＥＳセルが利用することができる。これによって、前記具体例（３）と同様の効果を得ることができる。
【０４７７】
ＥＳセルが、ＵＥが通常の上り送信電力の設定に戻すことを判断する他の方法を開示する。ＥＳセルが、上り干渉を測定して、上り干渉が予め定める値よりも小さくなった場合、ＵＥが通常の上り送信電力の設定に戻すことを判断する。これによって、ＵＥの測定を必要とせず、ＥＳセルが、Ｃｏｍｐセルがカバレッジの補償を終了して通常状態に戻ったかどうか、あるいはＣｏｍｐセルからの干渉が問題にならないかどうかを直接測定して、認識することが可能となる。
【０４７８】
本実施の形態で開示した方法を用いることによって、ＣｏｍｐセルをサービングセルとするＥＳセルのアンテナの近傍のＵＥが存在したとしても、ＥＳセルにアクセスを行うＵＥへの干渉の影響を低減することが可能となる。ＥＳセルにアクセスを行っているＵＥあるいはＥＳセルにアクセスしようとしているＵＥの処理を正常に実行することが可能となる。これによって、ＲＲＣ接続を継続させることが可能となり、ユーザエクスペリエンスの劣化を低減させることができる。
【０４７９】
以上に述べた方法は、ＵＥがＥＳセルに対してＲＲＣ接続再設立を行う場合にも適用することができ、前記具体例（４）と同様の効果を得ることができる。
【０４８０】
また、ＲＲＣ＿Ｉｄｌｅ状態のＵＥがＥＳセルに接続する場合にも適用することができる。これによって、ＥＳ動作時におけるＲＲＣ＿Ｉｄｌｅ状態のＵＥのセルとの接続確立性能を劣化させることなく、ＥＳ動作を行うことが可能となる。
【０４８１】
実施の形態６．
実施の形態６で解決する課題について、以下に説明する。実施の形態１において、図８を用いて説明したように、補償ｅＮＢ配置（compensating eNB(s) deployment）シナリオでは、いずれのセルのカバレッジにも属さないカバレッジホール（coverage holes）が発生するおそれがある。
【０４８２】
カバレッジホールが発生すると、以下のような問題が生じる。ＥＳセルが動作している場合には、ＥＳセルにおいてサービスを受けることが可能であったＵＥを考える。ＵＥが移動していないにも関わらず、ＥＳセルがスイッチをオフにすることによって、ＵＥが存在する場所が、いずれのセルのカバレッジにも属さなくなる。つまり、ＵＥが、サービス可能なセルに存在しないこととなり、ＵＥはサービスを受けることが不可能となる。通信システムにおいては、カバレッジホールを早期に発見し、カバレッジホールが発生しないネットワークの構築を進める必要がある。
【０４８３】
３ＧＰＰでは、測定記録（Logged Measurement）について議論されている（非特許文献１２参照）。測定記録では、待受け状態のＵＥが、下り参照信号の信号強度の測定結果を記録する。測定記録では、周期的に測定結果を記録する。測定記録の周期は、設定可能である。測定記録エリアは、設定可能である。Ｅ−ＵＴＲＡＮからＵＥに通知される測定記録設定（Logged Measurement configuration）メッセージによって、測定記録エリアが設定されると、その測定記録エリアに存在するＵＥは、測定記録を行う。
【０４８４】
測定記録エリアとは、（１）３２種類までのＧＣＩ（Global Cell Identity）、（２）８種類までのＴＡ（Tracking Areas）、（３）８種類までのＬＡ（Location Areas）および（４）８種類までのＲＡ（Routing Areas）である。
【０４８５】
また、ＵＥは、ＵＥ内の最小運転テスト（Minimization of Drive Tests：ＭＤＴ）用のメモリに保存される情報量が、メモリの最大記憶容量に達するまで、測定記録設定メッセージに従って、測定記録を継続する。測定記録は、測定結果、タイムスタンプ、位置情報（location information）によって構成される。
【０４８６】
記録される近隣のセル、すなわち周辺セルの数の上限の数は規定されている。具体的には、（１）同周波数周辺セルの固定上限は、「６」、（２）異周波数周辺セルの固定上限は、「３」、（３）ＧＥＲＡＮ（GSM（登録商標）/EDGE Radio Access Network）周辺セルの固定上限は、「３」、（４）ＵＴＲＡＮ（non-serving）周辺セルの固定上限は、「３」、（５）Ｅ−ＵＴＲＡＮ（non-serving）周辺セルの固定上限は、「３」、および（６）ＣＤＭＡ２０００（non-serving）周辺セルの固定上限は、「３」である。
【０４８７】
測定記録は、ＵＥ内の最小運転テスト用のメモリに保存される情報量が、メモリの最大記憶容量に達するまでの期間のみ実行される。したがって、何の工夫もなく測定記録を実行すれば、カバレッジホールが存在する可能性のあるエリアにＵＥが到達したときに、メモリの最大記憶容量に達しており、測定記録が実行されないことも考えられる。その場合、Ｅ−ＵＴＲＡＮは、カバレッジホール周辺の測定記録を取得することができないという問題がある。
【０４８８】
実施の形態６における前述の問題の解決策を以下に示す。Ｅ−ＵＴＲＡＮは、ＵＥに、測定記録エリアとしてエナジーセービングエリア（Energy Saving Area）を設定する。測定記録エリアを受信したＵＥは、設定された測定記録エリアにおける測定記録を実行する。つまり、エナジーセービングエリアにおける測定記録を実行する。エナジーセービングエリアにおける測定記録を取得したＥ−ＵＴＲＡＮは、カバレッジホールの有無を判断し、カバレッジホールが有る場合は、カバレッジホールを無くすように調整する。
【０４８９】
エナジーセービングエリアの具体例として、以下の（１）〜（４）の４つを開示する。
（１）ＥＳセル、Ｃｏｍｐセルが属するＴＡ、ＥＳセル、Ｃｏｍｐセルが属するＬＡ、ＥＳセル、Ｃｏｍｐセルが属するＲＡ。
（２）エナジーセービング（Energy Saving）セット（セル）リスト。ＥＳセルのＰＣＩ、あるいはＣＧＩのリスト。
【０４９０】
（３）補償（Compensation）セット（セル）リスト。ＣｏｍｐセルのＰＣＩ、あるいはＣＧＩのリスト。ＥＳセルがスイッチオフ状態に移行し、Ｃｏｍｐセルが該ＥＳセルのカバレッジを補償する場合に、カバレッジホールが発生し易いと考えられる。したがって、ＥＳセルがスイッチオフ状態に移行し、該ＥＳセルのカバレッジを補償するＣｏｍｐセルのリストとしてもよい。また、Ｃｏｍｐ前とＣｏｍｐ後でＰＣＩが変更される場合、Ｃｏｍｐ後のＰＣＩのリストとしてもよい。
（４）前記（１）〜（３）の組合せ。
【０４９１】
例えば、測定記録エリアとして、エナジーセービングエリアが設定された場合を考える。エナジーセービングエリアとして、エナジーセービング（Energy Saving）セットリストと補償（Compensation）セットリストとの組合せが設定された場合のＵＥの動作について、図２７を用いて説明する。
【０４９２】
図２７は、エナジーセービングエリアとして、エナジーセービング（Energy Saving）セットリストと補償（Compensation）セットリストとの組合せが設定された場合のＵＥの動作を説明するための図である。
【０４９３】
図２７では、通常のマクロセルのカバレッジを、参照符号「７２０１」、「７２０２」で示している。また、ＥＳセルのカバレッジを、参照符号「７２０３」、「７２０４」、「７２０５」、「７２０６」、「７２０８」、「７２０９」、「７２１０」、「７２１１」、「７２１３」、「７２１４」、「７２１５」、「７２１６」、「７２１７」、「７２１９」、「７２２０」で示している。また、Ｃｏｍｐセルのカバレッジを、参照符号「７２０７」、「７２１２」、「７２１８」で示している。図２７では、参照符号「７２２１」で示す破線部分が、概ねエナジーセービングエリアとなる。
【０４９４】
ＵＥが、まず、参照符号「７２０１」で示すカバレッジを有するマクロセルをサービングセルとしているとする。このマクロセルは、測定記録エリアに含まれない。このマクロセルは、エナジーセービングエリアに属さない。このマクロセルのＰＣＩなどは、測定記録エリアとして設定されたＰＣＩと一致しない。したがって、ＵＥは、測定記録を実行しない。
【０４９５】
次に、ＵＥが、参照符号「７２０３」で示すカバレッジを有するＥＳセルにセル再選択した場合を考える。このＥＳセルは、測定記録エリアに含まれる。このＥＳセルは、エナジーセービングエリアに属する。このＥＳセルのＰＣＩなどは、測定記録エリアとして設定されたＰＣＩと一致する。したがって、ＵＥは、測定記録を実行する。換言すれば、ＵＥは、測定記録を開始する。
【０４９６】
次に、ＵＥが、参照符号「７２０２」で示すカバレッジを有するマクロセルにセル再選択した場合を考える。このマクロセルは、測定記録エリアに含まれない。このマクロセルは、エナジーセービングエリアに属さない。このマクロセルのＰＣＩなどは、測定記録エリアとして設定されたＰＣＩと一致しない。したがって、ＵＥは、測定記録を実行しない。換言すれば、ＵＥは、測定記録を停止する。
【０４９７】
カバレッジホールの有無の判断の具体例として、以下を開示する。測定記録中のあるタイムスタンプ、あるいはある測定場所において、予め定める閾値以下の参照信号強度のセルしか存在しない場合、この測定場所をカバレッジホールと判断する。測定記録中のあるタイムスタンプ、あるいはある測定場所において、サービングセルおよび周辺セルのいずれも、参照信号強度が予め定める閾値以下であった場合、この測定場所をカバレッジホールと判断するとしてもよい。
【０４９８】
カバレッジホールの有無判断の主体の具体例として、以下の（１），（２）の２つを開示する。
（１）ｅＮＢ（セル）。ＵＥから測定記録を受信したｅＮＢ。
（２）Ｏ＆Ｍ（Operation and Maintenance）。ＵＥから測定記録を受信したｅＮＢは、Ｏ＆Ｍに測定記録を送信する。
【０４９９】
カバレッジホールを無くすように調整する方法の具体例として、以下の（１），（２）の２つを開示する。
（１）カバレッジホールと判断された測定場所をカバーするはずのセル（Ｃｏｍｐセル）の送信電力を上げる。
（２）カバレッジホールと判断された測定場所に最も近いセルの送信電力を上げる。
【０５００】
前記方法の具体例（１），（２）ともに、カバレッジホールが有ると判断して、直ぐに送信電力を上げてもよいし、次にＥＳセルがスイッチオフして、ＣｏｍｐセルがＥＳセルのカバレッジを補償するときに、送信電力を上げてもよい。
【０５０１】
図２８は、本発明の実施の形態６の通信システムにおけるＥＳ処理のシーケンスの一例を示す図である。
【０５０２】
ステップＳＴ７３０１において、ＵＥは、ＭＤＴ測定設定（MDT Measurement configuration）中の測定記録エリアとして、エナジーセービングエリアを受信する。
【０５０３】
ステップＳＴ７３０２において、ＵＥは、測定記録エリアに入ったか否かを判断する。つまり、ＵＥは、エナジーセービングエリアに入ったか否かを判断する。エナジーセービングエリアに入ったと判断された場合は、ステップＳＴ７３０３に移行し、エナジーセービングエリアに入っていないと判断された場合は、ステップＳＴ７３０６に移行する。
【０５０４】
エナジーセービングエリアに入ったか否かは、例えば、サービングセルのＰＣＩが、測定記録エリアとして設定されたＰＣＩと一致するか否かによって判断する。あるいは、ＴＡが、測定記録エリアとして設定されたＴＡと一致するか否かによって判断する。サービングセルのＰＣＩが、測定記録エリアとして設定されたＰＣＩと一致する場合は、測定記録エリアに入ったと判断し、サービングセルのＰＣＩが、測定記録エリアとして設定されたＰＣＩと一致しない場合は、測定記録エリアに入っていないと判断する。
【０５０５】
ステップＳＴ７３０３において、ＵＥは、測定記録を実行する。ＵＥは、例えば、タイムスタンプ、位置情報、サービングセルと周辺セルとの下り参照信号強度の測定結果を記録する。
【０５０６】
ステップＳＴ７３０４において、ＵＥは、測定記録エリアから出たか否かを判断する。つまり、ＵＥは、エナジーセービングエリアから出たか否かを判断する。エナジーセービングエリアから出たと判断された場合は、ステップＳＴ７３０５に移行し、エナジーセービングエリアから出ていないと判断された場合は、ステップＳＴ７３０３に戻る。エナジーセービングエリアから出たか否かは、例えば、サービングセルのＰＣＩが、測定記録エリアとして設定されたＰＣＩと一致するか否かによって判断する。サービングセルのＰＣＩが、測定記録エリアとして設定されたＰＣＩと一致する場合は、測定記録エリアから出ていないと判断し、サービングセルのＰＣＩが、測定記録エリアとして設定されたＰＣＩと一致しない場合は、測定記録エリアから出たと判断する。
【０５０７】
ステップＳＴ７３０５において、ＵＥは、測定記録を停止する。本来は、ステップＳＴ７３０５の処理を終了した後は、ステップＳＴ７３０２に戻り、前述の処理を繰り返すが、理解を容易にするために、図示および説明を省略する。
【０５０８】
ステップＳＴ７３０６において、ＵＥは、サービングセルから送信される測定記録報告要求（Logged Measurement report request）メッセージを受信する。サービングセルの具体例としては、Ｃｏｍｐセルとする。測定記録報告要求メッセージは、前述のタイミングで実行されなくてもよく、いつ実行されてもよい。
【０５０９】
ステップＳＴ７３０７において、ＵＥは、測定記録報告要求メッセージの送信元であるＣｏｍｐセルに、測定記録報告（Logged Measurement report）メッセージを通知する。
【０５１０】
ステップＳＴ７３０８において、Ｃｏｍｐセルは、ＵＥの測定記録の中でカバレッジホールが有るか否かを判断する。例えば、自セルがカバーするはずの測定場所（測定位置）でカバレッジホールが有るか否かを判断する。自セルがカバーするはずの測定場所でカバレッジホールが有ると判断された場合は、ステップＳＴ７３０９に移行し、自セルがカバーするはずの測定場所でカバレッジホールが無いと判断された場合は、ステップＳＴ７３１１に移行する。
【０５１１】
ステップＳＴ７３０９において、Ｃｏｍｐセルは、送信電力を上げ、カバレッジホールを無くすように調整する。
【０５１２】
ステップＳＴ７３１０において、Ｃｏｍｐセルは、Ｏ＆Ｍに、ステップＳＴ７３０９において送信電力を上げたことを通知する。
【０５１３】
ステップＳＴ７３１１において、Ｃｏｍｐセルは、Ｏ＆Ｍに、ステップＳＴ７３０７で受信した測定記録報告メッセージを通知する。Ｃｏｍｐセルは、測定記録報告メッセージと併せて、ステップＳＴ７３０８で処理したＵＥの測定記録の中でカバレッジホールの有無を判断結果として通知してもよい。
【０５１４】
ステップＳＴ７３１２において、Ｏ＆Ｍは、ＵＥの測定記録の中でカバレッジホールが有るか否かを判断する。カバレッジホールが有ると判断された場合は、ステップＳＴ７３１３に移行し、カバレッジホールが無いと判断された場合は、処理を終了する。
【０５１５】
ステップＳＴ７３１３において、Ｏ＆Ｍは、カバレッジホールの測定場所をカバーするはずのセルに、送信電力を上げることを指示する。
【０５１６】
図２９は、本発明の実施の形態６の通信システムにおけるＥＳ処理のシーケンスの一例を示す図である。図２９に示すシーケンスは、図２８に示すシーケンスと類似しているので、図２８に対応するステップについては、同一のステップ番号を付して、共通する説明を省略する。
【０５１７】
ステップＳＴ７４０１において、Ｃｏｍｐセルは、Ｏ＆Ｍに、ステップＳＴ７３０７で受信した測定記録報告メッセージを通知する。
【０５１８】
ステップＳＴ７４０２において、Ｏ＆Ｍは、ＵＥの測定記録の中でカバレッジホールが有るか否かを判断する。カバレッジホールが有ると判断された場合は、ステップＳＴ７４０３に移行し、カバレッジホールが無いと判断された場合は、処理を終了する。
【０５１９】
ステップＳＴ７４０３において、Ｏ＆Ｍは、カバレッジホールの測定場所をカバーするはずのセルに、送信電力を上げることを指示する。
【０５２０】
実施の形態６によって、以下の効果を得ることができる。ＵＥ内の最小運転テスト用のメモリが最大記憶容量に達し、カバレッジホールが存在する可能性のあるエリアで、測定記録が実行されないという不都合を解消することができる。カバレッジホールが存在する可能性のあるエリアで測定記録が実行されるので、測定記録から、カバレッジホールが存在するか否かを判断することができる。これによって、カバレッジホールを早期に発見し、カバレッジホールが発生しないネットワークの構築が可能となる。
【０５２１】
実施の形態６  変形例１．
実施の形態６の変形例１で解決する課題について、以下に説明する。カバレッジホールの部分は、比較的小さいことが考えられる。したがって、従来どおりの１種類での測定周期では、以下の課題が発生する。
【０５２２】
カバレッジホールの部分に合わせた比較的短い測定周期を設定した場合、ＭＤＴ用のメモリに保存される情報量が、短時間でメモリの最大記憶容量に達することが考えられる。したがって、ネットワーク側が、予定するＵＥの測定記録（Logged Measurement）を取得することが不可能となるおそれがある。ネットワーク側が、ＵＥの測定記録を通信システムの構築に用いる場合、効率的な通信システムの構築が不可能となるという課題が発生する。
【０５２３】
他方、カバレッジホール以外の部分に合わせた測定周期を設定した場合、カバレッジホールの部分で測定が実行されず、ＭＤＴを用いてカバレッジホールを発見できないという課題が発生する。
【０５２４】
実施の形態６の変形例１における解決策を以下に示す。本変形例では、前述の実施の形態６の解決策のうち、本変形例の特徴部分のみを説明する。測定記録において、複数の測定記録エリアを設け、測定記録エリア毎の測定周期とする。
【０５２５】
複数の測定記録エリアの具体例を、以下に開示する。複数の測定記録エリアのうち、１つの測定記録エリアをエナジーセービングエリアとする。エナジーセービングエリアの具体例は、実施の形態６と同様であるので、説明を省略する。
【０５２６】
また、複数の測定記録エリアを設ける代わりに、測定記録エリアで指定したエリアと、それ以外のエリアとしてもよい。その場合、測定記録エリアで指定したエリアとしては、エナジーセービングエリアとすればよい。
【０５２７】
測定記録エリア毎の測定周期の具体例を、以下に開示する。エナジーセービングエリア用周期と、それ以外のエリア用周期とを設ける。エナジーセービングエリア用周期は、それ以外のエリア用周期よりも短く設定すればよい。
【０５２８】
図３０は、本発明の実施の形態６の変形例１の通信システムにおけるＥＳ処理のシーケンスの一例を示す図である。図３０に示すシーケンスは、図２８に示すシーケンスと類似しているので、図２８に対応するステップについては、同一のステップ番号を付して、共通する説明を省略する。また、図３０では、本変形例の特徴部分のみを示すために、図２８のステップＳＴ７３０８以降の図示を省略しているが、本変形例においても、図２８のステップＳＴ７３０８以降の処理が同様に実行される。
【０５２９】
ステップＳＴ７５０１において、ＵＥは、ＭＤＴ測定設定（MDT Measurement configuration）中の測定記録エリアとして、測定記録エリア１と、測定記録エリア２とを受信する。測定記録エリア２としては、エナジーセービングエリアを受信する。
【０５３０】
ステップＳＴ７５０２において、ＵＥは、ＭＤＴ測定設定中の測定周期として、測定記録エリア１用周期と、測定記録エリア２用周期とを受信する。測定記録エリア２用周期としては、エナジーセービングエリア用周期として受信してもよい。
【０５３１】
ステップＳＴ７５０３において、ＵＥは、測定記録エリア２に入ったか否かを判断する。つまり、ＵＥは、エナジーセービングエリアに入ったか否かを判断する。エナジーセービングエリアに入ったと判断された場合は、ステップＳＴ７５０４に移行し、エナジーセービングエリアに入っていないと判断された場合は、ステップＳＴ７５０７に移行する。エナジーセービングエリアに入ったか否かは、サービングセルのＰＣＩが、測定記録エリア２として設定されたＰＣＩと一致するか否かによって判断する。サービングセルのＰＣＩが、測定記録エリア２として設定されたＰＣＩと一致する場合は、測定記録エリア２に入ったと判断し、サービングセルのＰＣＩが、測定記録エリア２として設定されたＰＣＩと一致しない場合は、測定記録エリア２に入っていないと判断する。
【０５３２】
ステップＳＴ７５０４において、ＵＥは、測定記録エリア２用周期を適用する。ステップＳＴ７５０５において、ＵＥは、測定記録を実行する。ＵＥは、測定記録エリア２用周期において、例えば、タイムスタンプ、位置情報、サービングセルと周辺セルとの下り参照信号強度の測定結果を記録する。
【０５３３】
ステップＳＴ７５０６において、ＵＥは、測定記録エリア２から出たか否かを判断する。つまり、ＵＥは、エナジーセービングエリアから出たか否かを判断する。エナジーセービングエリアから出たと判断された場合は、ステップＳＴ７５０７に移行し、エナジーセービングエリアから出ていないと判断された場合は、ステップＳＴ７５０５に戻る。エナジーセービングエリアから出たか否かは、サービングセルのＰＣＩが、測定記録エリア２として設定されたＰＣＩと一致するか否かによって判断する。サービングセルのＰＣＩが、測定記録エリア２として設定されたＰＣＩと一致する場合は、測定記録エリア２から出ていないと判断し、サービングセルのＰＣＩが、測定記録エリア２として設定されたＰＣＩと一致しない場合は、測定記録エリア２から出たと判断する。
【０５３４】
ステップＳＴ７５０７において、ＵＥは、測定記録エリア１用周期を適用する。ステップＳＴ７５０８において、ＵＥは、測定記録を実行する。ＵＥは、測定記録エリア１用周期において、例えば、タイムスタンプ、位置情報、サービングセルと周辺セルとの下り参照信号強度の測定結果を記録する。本来は、ステップＳＴ７５０８の処理を終了した後は、ステップＳＴ７５０３に戻り、前述の処理を繰り返すが、理解を容易にするために、図示および説明を省略する。
【０５３５】
実施の形態６の変形例１によって、以下の効果を得ることができる。測定周期を複数設けることによって、短い測定周期で測定記録が必要と考えられるエナジーセービングエリアでは短い周期で、それ以外のエリアでは通常の周期で測定記録を実行することが可能となる。ＵＥ内の最小運転テスト用のメモリが最大記憶容量に達し、カバレッジホールが存在する可能性のあるエリアで測定記録が実行されないという不都合を解消することができる。カバレッジホールが存在する可能性のあるエリアで測定記録が実行されるので、測定記録から、カバレッジホールが存在するか否かを判断することができる。これによって、カバレッジホールを早期に発見し、カバレッジホールが発生しないネットワークの構築が可能となる。
【０５３６】
実施の形態６  変形例２．
実施の形態６の変形例２では、実施の形態６の変形例１と同様の課題を解決する。実施の形態６の変形例２における解決策を以下に示す。本変形例では、前述の実施の形態６および実施の形態６の変形例１の解決策のうち、本変形例の特徴部分のみを説明する。ＵＥは、カバレッジホールの有無を判断し、カバレッジホールが有ると判断した場合は、カバレッジホール用の測定周期で測定記録を実行する。
【０５３７】
カバレッジホールの有無の判断は、実施の形態６と同様であるので、説明を省略する。ただし、カバレッジホールの有無の判断に用いる閾値は、サービングセルからＵＥに通知されるものとする。通知方法の具体例として、以下の（１），（２）の２つを開示する。
【０５３８】
（１）サービングセルから、ＵＥに、カバレッジホールの有無の判断に用いる閾値として、測定記録設定によって通知する。
【０５３９】
（２）サービングセルからＵＥにセル再選択開始の受信電力値あるいは測定開始の受信電力値として通知された値を、ＵＥはカバレッジホールの有無の判断に用いる閾値として流用する。本具体例（２）は、通知方法の具体例（１）と比較して、新たなパラメータを通知する必要がなく、無線リソースを有効活用することができるという点で有効である。
【０５４０】
カバレッジホール用の測定周期の具体例を、以下に開示する。カバレッジホール用周期は、それ以外のエリア用周期よりも短く設定すればよい。カバレッジホール用周期、およびそれ以外のエリア用周期は、ともに、Ｅ−ＵＴＲＡＮから設定されるとしてもよい。また、カバレッジホール用周期は、Ｅ−ＵＴＲＡＮから設定されるのではなく、予め決められていてもよい。
【０５４１】
図３１は、本発明の実施の形態６の変形例２の通信システムにおけるＥＳ処理のシーケンスの一例を示す図である。図３１に示すシーケンスは、図２８に示すシーケンスと類似しているので、図２８に対応するステップについては、同一のステップ番号を付して、共通する説明を省略する。また、図３１では、本変形例の特徴部分のみを示すために、図２８のステップＳＴ７３０８以降の図示を省略しているが、本変形例においても、図２８のステップＳＴ７３０８以降の処理が同様に実行される。
【０５４２】
ステップＳＴ７６０１において、ＵＥは、ＭＤＴ測定設定（MDT Measurement configuration）中の測定周期として、カバレッジホール用周期と、それ以外のエリア用の周期（測定記録エリア１用周期）とを受信する。
【０５４３】
ステップＳＴ７６０２において、ＵＥは、測定記録エリア１用周期を適用する。ステップＳＴ７６０３において、ＵＥは、測定記録を実行する。ＵＥは、測定記録エリア１用周期において、例えば、タイムスタンプ、位置情報、サービングセルと周辺セルとの下り参照信号強度の測定結果を記録する。
【０５４４】
ステップＳＴ７６０４において、ＵＥは、測定記録の中でカバレッジホールが有るか否かを判断する。カバレッジホールが有ると判断された場合は、ステップＳＴ７６０５に移行し、カバレッジホールが無いと判断された場合は、ステップＳＴ７６０８に移行する。
【０５４５】
ステップＳＴ７６０５において、ＵＥは、カバレッジホール用周期を適用する。ステップＳＴ７６０６において、ＵＥは、測定記録を実行する。ＵＥは、カバレッジホール用周期において、例えば、タイムスタンプ、位置情報、サービングセルと周辺セルとの下り参照信号強度の測定結果を記録する。
【０５４６】
ステップＳＴ７６０７において、ＵＥは、カバレッジホールから出たか否か判断する。カバレッジホールから出たか否かは、測定記録の中でカバレッジホールが有るか否かによって判断する。カバレッジホールが有る場合は、ＵＥがカバレッジホールを出ていないと判断して、ステップＳＴ７６０６に戻る。カバレッジホールが無い場合は、ＵＥがカバレッジホールを出たと判断して、ステップＳＴ７６０８に移行する。
【０５４７】
ステップＳＴ７６０８において、ＵＥは、測定記録エリア１用周期を適用する。ステップＳＴ７６０９において、ＵＥは、測定記録を実行する。ＵＥは、測定記録エリア１用周期において、タイムスタンプ、位置情報、サービングセルと周辺セルとの下り参照信号強度の測定結果を記録する。本来は、ステップＳＴ７６０９の処理を終了した後は、ステップＳＴ７６０４に戻り、前述の処理を繰り返すが、理解を容易にするために、図示および説明を省略する。
【０５４８】
実施の形態６の変形例２によって、実施の形態６の変形例１と同様の効果を得ることができる。
【０５４９】
実施の形態７．
実施の形態７で解決する課題は、実施の形態６と同じであり、ＥＳセルがスイッチオフすることによって、カバレッジホールが発生するおそれがある。本実施の形態では、ネットワーク側が、カバレッジホールの発生を検出する方法を開示する。
【０５５０】
図３２および図３３は、本発明の実施の形態７の通信システムにおけるＥＳ処理のシーケンスの一例を示す図である。図３２と図３３とは、境界線ＢＬ２の位置で、つながっている。図３２および図３３では、図１７に基づいて、ＥＳセルがスイッチオフしたときに、カバレッジホールが生じているか否かを識別する手順を示している。
【０５５１】
カバレッジホールが生じているか否かを識別する方法の具体例として、以下の（１）〜（３）の３つを開示する。
【０５５２】
（１）ＥＳ開始前のセルにおいてアクティブ（Active）状態または待受け（Idle）状態のＵＥが、ＥＳ開始後にデタッチ（Detach）状態になったことを、ネットワーク側が統計的に判断して、カバレッジホールの発生を推定する。
【０５５３】
（２）前記方法（１）の統計的な判断材料として、ＵＥからの位置登録要求（ＴＡＵ）の欠落を追加する。
【０５５４】
（３）前記方法（２）のＴＡＵについて、通常のＴＡＵ周期よりも短いＴＡＵ周期を設定することによって、さらに推定精度を向上させる。ここで、ＴＡＵは、「Periodic Tracking Area Update」（３ＧＰＰ  ＴＳ２４．３０１  ８．２.２６．２  Ｔ３４１２  ｖａｌｕｅ、または、５．３．５章参照）である。また、通常のＴＡＵ周期とは、通常（ノーマル）状態、すなわちスイッチオン状態におけるＴＡＵの周期として、予め定められる周期をいう。
【０５５５】
ＥＳセルが存在する地域の周期的ＴＡＵ（Periodic Tracking Area Update）について、通常のＴＡＵ周期よりも短い周期に設定するとしてもよい。
【０５５６】
また、基地局において省電力（ＥＳ）を実行する地域の周期的ＴＡＵについて、通常のＴＡＵ周期よりも短い周期に設定するとしてもよい。
【０５５７】
また、周期的ＴＡＵの周期を２種類用意してもよい。例えば、通常のＴＡＵ周期と、省電力（ＥＳ）時のＴＡＵ周期との２種類を用いてもよい。ここで、省電力（ＥＳ）時のＴＡＵ周期とは、ＥＳを実行するときのＴＡＵの周期として、予め定められる周期をいう。ＵＥは、ネットワーク側から省電力（ＥＳ）実行の通知がある場合には、ＥＳ時のＴＡＵ周期を用い、ネットワーク側から省電力実行の通知がない場合には、通常のＴＡＵ周期を用いるようにすればよい。
【０５５８】
図３２および図３３では、前記カバレッジホールの識別を目的とした、統計情報を得るためのシーケンスを示している。図３２および図３３では、１つのＥＳセル、２つのＣｏｍｐセル、およびＥＳセルと通信接続中の７つのＵＥがある場合について示している。
【０５５９】
ＥＳセルに対して、ＵＥ１〜ＵＥ７は、それぞれ、アクティブ状態もしくは待受け状態である。具体的には、ステップＳＴ８１０１において、ＵＥ４は、ＥＳセルに対して、アクティブ状態もしくは待受け状態である。ステップＳＴ８１０２において、ＵＥ５は、ＥＳセルに対して、アクティブ状態もしくは待受け状態である。
【０５６０】
ステップＳＴ８１０３において、ＵＥ３は、ＥＳセルに対して、アクティブ状態もしくは待受け状態である。ステップＳＴ８１０４において、ＵＥ６は、ＥＳセルに対して、アクティブ状態もしくは待受け状態である。ステップＳＴ８１０５において、ＵＥ２は、ＥＳセルに対して、アクティブ状態もしくは待受け状態である。ステップＳＴ８１０６において、ＵＥ７は、ＥＳセルに対して、アクティブ状態もしくは待受け状態である。ステップＳＴ８１０７において、ＵＥ１は、ＥＳセルに対して、アクティブ状態もしくは待受け状態である。
【０５６１】
ステップＳＴ８１０８において、ＥＳセルは、スイッチオフすることを決定する。その後、ＥＳセルは、ＵＥ１〜ＵＥ７に対して、ＴＡＵ周期の変更を行い、ＵＥ１〜ＵＥ７からのＴＡＵの報告周期を短くする。具体的には、ステップＳＴ８１０９において、ＥＳセルは、ＵＥ４に、ＴＡＵ周期の変更を行う。ステップＳＴ８１１０において、ＥＳセルは、ＵＥ５に、ＴＡＵ周期の変更を行う。
【０５６２】
ステップＳＴ８１１１において、ＥＳセルは、ＵＥ３に、ＴＡＵ周期の変更を行う。ステップＳＴ８１１２において、ＥＳセルは、ＵＥ６に、ＴＡＵ周期の変更を行う。ステップＳＴ８１１３において、ＥＳセルは、ＵＥ２に、ＴＡＵ周期の変更を行う。ステップＳＴ８１１４において、ＥＳセルは、ＵＥ７に、ＴＡＵ周期の変更を行う。ステップＳＴ８１１５において、ＥＳセルは、ＵＥ１に、ＴＡＵ周期の変更を行う。
【０５６３】
ＵＥ１〜ＵＥ７は、サービングセル（ＥＳセル）を介して、ＴＡＵを周期的にＭＭＥに通知する。具体的には、ＵＥ４は、ステップＳＴ８１１６において、ＥＳセルを介して、ＭＭＥに、ＴＡＵを周期的に通知する。ＵＥ５は、ステップＳＴ８１１７において、ＥＳセルを介して、ＭＭＥに、ＴＡＵを周期的に通知する。ＵＥ３は、ステップＳＴ８１１８において、ＥＳセルを介して、ＭＭＥに、ＴＡＵを周期的に通知する。
【０５６４】
ＵＥ６は、ステップＳＴ８１１９において、ＥＳセルを介して、ＭＭＥに、ＴＡＵを周期的に通知する。ＵＥ２は、ステップＳＴ８１２０において、ＥＳセルを介して、ＭＭＥに、ＴＡＵを周期的に通知する。ＵＥ７は、ステップＳＴ８１２１において、ＥＳセルを介して、ＭＭＥに、ＴＡＵを周期的に通知する。ＵＥ１は、ステップＳＴ８１２２において、ＥＳセルを介して、ＭＭＥに、ＴＡＵを周期的に通知する。
【０５６５】
ステップＳＴ８１２３において、ＥＳセルは、報知情報内の「cellBarred」パラメータを「barred」に変更する。これによって、ＥＳセルは、エナジーセービング状態となる。ＵＥ１〜ＵＥ７は、ハンドオーバまたはセル再選択によって、それぞれ、Ｃｏｍｐセル１、または、Ｃｏｍｐセル２との通信接続状態に移行する。すなわち、ＵＥ１〜ＵＥ７は、Ｃｏｍｐセル１、または、Ｃｏｍｐセル２にサービングセルを変更する。
【０５６６】
具体的には、図３３のステップＳＴ８１２５において、ＵＥ５は、ハンドオーバまたはセル再選択によって、Ｃｏｍｐセル１との通信接続状態に移行する、すなわちＣｏｍｐセル１にサービングセルを変更する。ステップＳＴ８１２６において、ＵＥ４は、ハンドオーバまたはセル再選択によって、Ｃｏｍｐセル２との通信接続状態に移行する、すなわちＣｏｍｐセル２にサービングセルを変更する。
【０５６７】
ステップＳＴ８１２７において、ＵＥ３は、ハンドオーバまたはセル再選択によって、Ｃｏｍｐセル１との通信接続状態に移行する、すなわちＣｏｍｐセル１にサービングセルを変更する。ステップＳＴ８１２８において、ＵＥ１は、ハンドオーバまたはセル再選択によって、Ｃｏｍｐセル２との通信接続状態に移行する、すなわちＣｏｍｐセル２にサービングセルを変更する。
【０５６８】
ステップＳＴ８１２９において、ＵＥ７は、ハンドオーバまたはセル再選択によって、Ｃｏｍｐセル２との通信接続状態に移行する、すなわちＣｏｍｐセル２にサービングセルを変更する。ステップＳＴ８１３０において、ＵＥ６は、ハンドオーバまたはセル再選択によって、Ｃｏｍｐセル２との通信接続状態に移行する、すなわちＣｏｍｐセル２にサービングセルを変更する。ステップＳＴ８１３１において、ＵＥ２は、ハンドオーバまたはセル再選択によって、Ｃｏｍｐセル１との通信接続状態に移行する、すなわちＣｏｍｐセル１にサービングセルを変更する。
【０５６９】
ここで、ステップＳＴ８１３２およびステップＳＴ８１３３において、ＵＥ２およびＵＥ６が、デタッチ状態または在圏しない状態となる。
【０５７０】
また、ステップＳＴ８１３４において、ＵＥ４は、Ｃｏｍｐセル２を介してＭＭＥに、ＴＡＵを通知する。ステップＳＴ８１３５において、ＵＥ３は、Ｃｏｍｐセル１を介してＭＭＥに、ＴＡＵを通知する。ステップＳＴ８１３６において、ＵＥ１は、Ｃｏｍｐセル２を介してＭＭＥに、ＴＡＵを通知する。ステップＳＴ８１３７において、ＵＥ５は、Ｃｏｍｐセル１を介してＭＭＥに、ＴＡＵを通知する。ステップＳＴ８１３８において、ＵＥ７は、Ｃｏｍｐセル２を介してＭＭＥに、ＴＡＵを通知する。
【０５７１】
このように、ステップＳＴ８１３４〜ステップＳＴ８１３８において、ＴＡＵが、ＵＥ１、ＵＥ３、ＵＥ４、ＵＥ５、ＵＥ７から、Ｃｏｍｐセル１またはＣｏｍｐセル２を介してＭＭＥに通知されるが、ＵＥ２およびＵＥ６から、Ｃｏｍｐセル１またはＣｏｍｐセル２を介してＭＭＥにはＴＡＵが通知されていない。これによって、ＵＥ２およびＵＥ６の位置は、カバレッジホールが生じていると推定する。
【０５７２】
ＴＡＵは、ＵＥからの送信周期毎に、ＵＥ２またはＵＥ６から検出することができることもあるが、検出できないこともある。したがって、どのセルにおいても、ＴＡＵを検出できない割合が高い場合には、カバレッジホールが生じていると判断することができる。この位置登録要求（ＴＡＵ）の周期が短いほど、ＴＡＵを検出できない回数と、ＴＡＵ送信周期の回数との合計を短い時間で高くすることができるので、ＴＡＵを検出できない割合の精度を向上することができる。すなわち、カバレッジホールの識別の精度を高めることができる。
【０５７３】
サービングセルにのみＴＡＵを送信する場合、他のＣｏｍｐセルにＴＡＵを送信している場合があり、その場合、カバレッジホールが生じているかどうかわからない場合がある。
【０５７４】
そこで、ＭＭＥ、あるいは、ＯＡＭなどのＯ＆Ｍなどの集中制御（管理）ノードにおいて、カバレッジホールの発生の判断を実行することもできる。
【０５７５】
ＭＭＥは、ＴＡＵがＥＳ前後のどちらかであることを認識する必要があるので、サービングセル（ＥＳセル）が「barred」に変更直後、「Energy Saving通知メッセージ」（Ｓ１シグナリング）をＭＭＥに通知する。
【０５７６】
これによって、ＭＭＥは、ＴＡＵがＥＳ前後のどちらかであることを認識できるので、サービングセルの変更時に、ＴＡＵ周期が変更されることがあっても、そのことを認識することができる。したがって、カバレッジホールが生じているかを正確に判断することができる。
【０５７７】
実施の形態８．
３ＧＰＰでは、ドーマント状態のＥＳセルがディスカバリーシグナル（Discovery Signal：ＤＳ）を送信することが検討されている（非特許文献１５参照）。ＵＥがＤＳを受信することによって、該ＤＳを送信するセルとの同期、および該セルからの受信電力あるいは受信品質の測定を可能とすることが提案されている。ドーマント状態のセルがＤＳを送信することによって、ＵＥは、ドーマント状態のセルを検出することが可能となる。
【０５７８】
しかし、通常、ＲＲＣ＿Ｉｄｌｅ状態のＵＥがセル再選択処理を行う場合、ＵＥは、セルが送信するＣＲＳを測定して再選択するセルを検出する。したがって、ＵＥは、ＤＳしか送信していないドーマント状態のＥＳセルを検出することができない。また、ＲＲＣ＿Ｉｄｌｅ状態のＵＥがドーマント状態のＥＳセルを検出することを可能とするために、ＣＲＳだけでなく、ＤＳの測定も行うようにした場合、ＵＥは、常にＣＲＳおよびＤＳの両方の測定を行わなければならない。したがって、測定時間の長期化および、それに伴うＵＥの消費電力の増大という問題が発生する。
【０５７９】
また、ＤＳのみを送信するドーマント状態では、ＲＲＣ＿Ｉｄｌｅ状態のＵＥは、ＳＩＢを受信することができない、およびページングを受信することができないなどの問題がある。
【０５８０】
したがって、ドーマント状態でＤＳのみを送信するＥＳセルは、ＲＲＣ＿Ｉｄｌｅ状態のＵＥをサポートしないことが提案されている。これは、該ＥＳセルを重層化シナリオなどで他の通常動作のセルと重層化して運用することが必要となる。
【０５８１】
他方、重層化していないセル（以下「非重層化セル」という場合がある）は、ＲＲＣ＿Ｃｏｎｎｅｃｔｅｄ状態およびＲＲＣ＿Ｉｄｌｅ状態のＵＥをサポートしなければならないので、常に通常状態で動作させることが必要となり、消費電力が削減されないことになる。
【０５８２】
しかし、多数のスモールセルが運用されるような場合、例えば、ビル内およびカバレッジホール対策などで、非重層化セルが多数配置されることが考えられる。したがって、非重層化セルについても、消費電力の低減が求められる。
【０５８３】
本実施の形態では、この課題を解決する方法を開示する。まず、ＵＥの消費電力の増大を抑えつつ、ドーマント状態のＥＳセルを検出および測定する方法を開示する。
【０５８４】
ＵＥは、圏外にいる場合、ＤＳの検出および測定を行う。圏外にいるか否かの判断は、ＵＥがＣＲＳの測定によってセルを検出できたか否かで判断するとよい。ＵＥがＣＲＳの測定によってセルを検出できない状態を、圏外であると判断するとよい。ＤＳの検出および測定を起動する具体的な方法として、ＵＥが、ＣＲＳ測定によってセルを検出できなかった場合に、ＤＳの検出および測定を開始するとよい。
【０５８５】
このようにすることによって、ＵＥは、常にＣＲＳとＤＳの両方の測定を行う必要は無く、ＣＲＳの測定でセルを検出できなかった場合にのみＤＳの測定を行えばよくなる。したがって、ＵＥにおける測定時間の長期化および、それに伴うＵＥの消費電力の増大を抑制することが可能となる。
【０５８６】
また、ＵＥは、セル選択処理を行う場合、ＤＳの検出および測定を行う、としてもよい。例えば、ＵＥの電源オン時、ＲＲＣ再選択に失敗した場合、ＲＲＣ＿Ｃｏｎｎｅｃｔｅｄ状態から離れる場合、ＲＬＦあるいはＨＯＦの場合などに、ＵＥは、ＤＳの検出とメジャメント（測定）を行う、としてもよい。このように、予め定める処理を行う場合に、ＤＳの検出およびメジャメント（測定）を起動することによって、圏外か否かの判断を不要にすることができ、ＵＥの制御を簡易にすることができる。
【０５８７】
また、前述の方法を組み合わせてもよい。例えば、ＵＥは、セル選択処理を行う場合で、ＣＲＳの測定によってセルを検出できなかった場合に、ＤＳの検出および測定を開始する。これによって、ＤＳを検出および測定する場合を限定できるので、ＵＥの消費電力の増大をさらに抑えることが可能となる。
【０５８８】
次に、ＲＲＣ_Ｉｄｌｅ状態のＵＥがＥＳセルをサービングセルにするための方法を開示する。
【０５８９】
前述したように、ＥＳセルがＤＳのみを送信するドーマント状態では、ＲＲＣ＿Ｉｄｌｅ状態のＵＥは、ＳＩＢを受信することができない、また、ページングを受信することができない。この問題を解決する方法を開示する。
【０５９０】
ＵＥは、ＤＳの検出および測定によってＥＳセルを検出した場合、ウェイクアップ（wake up）信号をＥＳセルに送信する。
【０５９１】
ＥＳセルは、ドーマント状態でウェイクアップ信号を受信する機能を備える。ＵＥからウェイクアップ信号を受信したＥＳセルは、スイッチオンをして通常動作に移行する。
【０５９２】
ＵＥは、ＤＳの受信電力あるいは受信品質が、予め定める閾値以上あるいは前記閾値よりも大きくなった場合に、ＥＳセルを検出したと判断すればよい。ＥＳセルを複数検出した場合は、最も受信電力が高いセルあるいは最も受信品質が高いセルに対して、ウェイクアップ信号を送信するようにしてもよい。
【０５９３】
ウェイクアップ信号の周期、シーケンスなどの構成は、予め決めておくとよい。これによって、関連するセルから、ＥＳセルのウェイクアップ信号の構成をＵＥに通知する必要が無くなる。したがって、ＥＳセルが非重層化セルである場合に有効である。
【０５９４】
ウェイクアップ信号の構成は、規格で定義して全てのＵＥで共通とするとよい。あるいは、ＳＩＭ（Subscriber Identity Module）に記憶させてもよい。これによって、オペレータ毎にすることが可能となる。
【０５９５】
また、ウェイクアップ信号の構成は、セル毎にするとよい。各セルが自セルに送信されたか否かを判断することができる。セル毎にする方法として、ウェイクアップ信号の構成を、セル識別子を用いて導出できるようにしておくとよい。
【０５９６】
セル毎でなく、セルクラスタ毎であってもよい。セルクラスタ識別子を用いて導出できるようにしておくとよい。
【０５９７】
ＵＥがウェイクアップ信号を送信可能なタイミングとして、ＤＳ受信のタイミングから予め定める期間経過後、としてもよい。ＤＳ受信のタイミングおよび予め定める期間の単位としては、サブフレーム、無線フレームなどとするとよい。
【０５９８】
ＵＥからウェイクアップ信号を受信したドーマント状態のＥＳセルは、スイッチオンをして通常動作に移行することが可能となる。通常動作に移行したＥＳセルは、傘下のＵＥに、ＳＩＢの送信、およびページング信号の送信を行うことが可能となる。これによって、ＲＲＣ＿Ｉｄｌｅ状態のＵＥが、ＥＳセルをサービングセルにすることが可能となる。
【０５９９】
また、ＥＳセルが非重層化セルの場合は、傘下にＲＲＣ_Ｉｄｌｅ状態のＵＥが存在する場合、通常動作を行う、とするとよい。
【０６００】
ＲＲＣ＿Ｃｏｎｎｅｃｔｅｄ状態のＵＥのみをサポートするＥＳセルは、通常、傘下にＲＲＣ＿Ｃｏｎｎｅｃｔｅｄ状態のＵＥが存在しなくなった場合、ドーマント状態に移行する。本実施の形態では、たとえ非重層化セルであるＥＳセルの傘下のＵＥがＲＲＣ＿Ｉｄｌｅ状態だけになったとしても、該セルがドーマント状態に移行しないようにすることで、該セルの傘下のＲＲＣ＿Ｉｄｌｅ状態のＵＥが該セルをサービングセルとすることができる。すなわち、該セルは、ＲＲＣ＿Ｉｄｌｅ状態のＵＥをサポートすることが可能となる。
【０６０１】
セルが、傘下にＲＲＣ＿Ｉｄｌｅ状態のＵＥが存在するか否かを識別するための具体的な方法を開示する。
【０６０２】
セルは、ＵＥに対して存在確認を行う。存在確認の方法の具体例を開示する。
存在確認の方法として、周期的ＴＡＵを用いる。ＲＲＣ＿Ｉｄｌｅ状態のＵＥに、周期的ＴＡＵを送信させる。周期的ＴＡＵの送信設定は、予め傘下のＵＥにシステム情報として報知するとよい。または、ＴＡＣ（Tracking Area Code）が異なる場合に行われるＴＡＵ処理の際に設定して、個別シグナリングでＵＥに通知してもよい。ＭＭＥが、非重層化セルであるＥＳセルの傘下のＵＥに該周期的ＴＡＵの送信設定を行い、周期的ＴＡＵを送信させてもよい。あるいは、非重層化セルであるＥＳセルが、傘下のＵＥに該周期的ＴＡＵの送信設定を行い、周期的ＴＡＵを送信させてもよい。
【０６０３】
また、セルは、自セルがＥＳセルであること、および非重層化セルであることの少なくともいずれか一方を傘下のＵＥに通知するとよい。これによって、ＵＥが周期的ＴＡＵを送信するか否かを、サービングセルがＥＳセルか否かおよび非重層化セルか否かの少なくともいずれか一方に応じて判断することが可能となる。自セルがＥＳセルであること、および非重層化セルであることの通知方法は、前述の周期的ＴＡＵの送信設定に用いた方法を適用するとよい。
【０６０４】
セルが、ＲＲＣ＿Ｉｄｌｅ状態のＵＥが存在するか否かを認識する方法を開示する。
非重層化セルであるＥＳセルは、ＵＥからのＲＲＣ接続設立要求を受信したか否かによって、ＲＲＣ＿Ｉｄｌｅ状態のＵＥが存在するか否かを認識する。ＵＥからのＲＲＣ接続設立要求は、周期的ＴＡＵを送信する処理で実行される。非重層化セルであるＥＳセルは、予め定める期間内に、ＵＥからのＲＲＣ接続設立要求を受信した場合に、ＲＲＣ＿Ｉｄｌｅ状態のＵＥが存在すると判断する。非重層化セルであるＥＳセルは、予め定める期間内に、ＵＥからのＲＲＣ接続設立要求を受信しなかった場合に、ＲＲＣ＿Ｉｄｌｅ状態のＵＥが存在しないと判断する。予め定める期間として、周期的ＴＡＵの周期としてもよいし、該周期が複数含まれる期間としてもよい。
【０６０５】
また、ＭＭＥが、ＵＥからの周期的ＴＡＵを受信したか否かによって、ＵＥが存在するか否かを判断するようにしてもよい。ＭＭＥは、予め定める期間内に、ＵＥからのＴＡＵを受信した場合に、ＲＲＣ＿Ｉｄｌｅ状態のＵＥが存在すると判断する。ＭＭＥは、予め定める期間内に、ＵＥからのＴＡＵを受信しなかった場合に、ＲＲＣ＿Ｉｄｌｅ状態のＵＥが存在しないと判断する。予め定める期間として、周期的ＴＡＵの周期としてもよいし、該周期が複数含まれる期間としてもよい。ＭＭＥは、ＵＥからのＴＡＵを通知してきたセルに対して、ＲＲＣ＿Ｉｄｌｅ状態のＵＥが存在することを通知するとよい。
【０６０６】
ここでは、周期的ＴＡＵを用いた方法を開示したが、これに限らず、セルが傘下のＲＲＣ＿Ｉｄｌｅ状態のＵＥに、上り送信を実行させるような機能を設けるようにすればよい。例えば、セルは、システム情報（ＳＩ）修正メッセージに、ＲＲＣ＿Ｉｄｌｅ状態のＵＥにＰＲＡＣＨ送信を実行させるようなインジケータを設けて、報知するとよい。セルは、ＵＥからのＰＲＡＣＨを一つでも受信した場合は、ＲＲＣ＿Ｉｄｌｅ状態のＵＥが存在すると判断することができる。
【０６０７】
以上のようにすることによって、非重層化セルであるＥＳセルは、傘下にＲＲＣ_Ｉｄｌｅ状態のＵＥが存在するか否かを判断することができ、存在する場合は、通常動作を行うようにすることが可能となる。また、これによってＵＥは、ＳＩＢおよびページングを受信することが可能となり、非重層化セルであるＥＳセルにおいてＲＲＣ_Ｉｄｌｅ状態を保つことが可能となる。
【０６０８】
本実施の形態で開示した方法によって、ＵＥがＤＳのみを送信している非重層化セルであるＥＳセルを検出および測定することが可能となる。
【０６０９】
また、ＵＥは、ＤＳの検出と測定によってＥＳセルを検出した場合、ウェイクアップ信号をＥＳセルに送信するようにする。これによって、ドーマント状態のＥＳセルがウェイクアップ信号を受信した場合、スイッチオンをして通常動作に移行することが可能である。
【０６１０】
また、スイッチオンをして通常動作になった非重層化セルであるＥＳセルは、傘下にＲＲＣ_Ｉｄｌｅ状態のＵＥが存在する場合、通常動作を行うことによって、ＲＲＣ＿Ｉｄｌｅ状態のＵＥが該セルからＳＩＢおよびページングを受信可能となり、該セルの傘下でＲＲＣ＿Ｉｄｌｅ状態を維持することが可能となる。
【０６１１】
また、このように、ＥＳセルがドーマント状態から通常動作状態に移行するメカニズムを設けたことによって、ＥＳセルは、傘下にＲＲＣ＿Ｉｄｌｅ状態のＵＥが存在しない場合に、ドーマント状態に移行することが可能となる。したがって、ＥＳセルの消費電力の削減が可能となる。
【０６１２】
図３４および図３５は、本発明の実施の形態８の通信システムにおけるＥＳ処理のシーケンスの一例を示す図である。図３４と図３５とは、境界線ＢＬ３の位置で、つながっている。ＥＳセル１およびＥＳセル２は、重層化されていないセル、いわゆる非重層化セルである。本実施の形態で開示した方法は、ＥＳセル１とＥＳセル２とが、重層化されていないクラスタ内のセルであるとしてもよい。重層化していないクラスタ内のセルにも適用することが可能である。
【０６１３】
ＥＳセル２は、ステップＳＴ９１０１において通常動作状態とし、ＥＳセル１は、ステップＳＴ９１０３において通常動作状態とする。ＵＥ１は、ステップＳＴ９１０２において、ＥＳセル１とＲＲＣ＿Ｃｏｎｎｅｃｔｅｄ状態である。
【０６１４】
ステップＳＴ９１０４において、ＵＥ１は、ＥＳセル１と通信を行い、通信が終了した場合、ステップＳＴ９１０５において、ＲＲＣ＿Ｉｄｌｅ状態に移行する。
【０６１５】
ステップＳＴ９１０６において、ＵＥ１は、ページングのための間欠受信を行う。ＥＳセル１は、ＲＲＣ＿Ｉｄｌｅ状態のＵＥが存在するか否かを認識するために、ステップＳＴ９１０７において、ＵＥ１に対して存在確認を行う。例えば、ＵＥ１がＥＳセルに周期的ＴＡＵを送信する。ＴＡＵを実行したＵＥは、ＲＲＣ接続の必要がない場合、ステップＳＴ９１０８において、ＲＲＣ＿Ｉｄｌｅ状態になる。
【０６１６】
ステップＳＴ９１０９において、ＵＥ１は、ＥＳセル１からＥＳセル２に移動する。ステップＳＴ９１１０において、ＵＥ１は、ＣＲＳに基づく測定を行う。この場合、ＥＳセル１およびＥＳセル２のＣＲＳを測定する。ステップＳＴ９１１１において、ＵＥ１は、ステップＳＴ９１１０におけるＣＲＳの測定結果に基づいて、セルの再選択処理を行い、ＥＳセル２を再選択する。
【０６１７】
ステップＳＴ９１１２において、ＵＥ１は、ＥＳセル２のＳＩＢを受信する。ステップＳＴ９１１３において、ＵＥ１は、間欠受信状態となる。ここで、ＳＩＢ上のＴＡＣは、ＥＳセル１とＥＳセル２とで同じとする。すなわち、ＥＳセル１とＥＳセル２とは、同じＴＡ内に存在する。
【０６１８】
ステップＳＴ９１１４において、ＥＳセル２は、ＲＲＣ＿Ｉｄｌｅ状態のＵＥが傘下に存在するか否かを判断するために、ＵＥ１に対して存在確認を行う。例えば、ＵＥ１がＥＳセルに周期的ＴＡＵを送信する。ＴＡＵを実行したＵＥは、ステップＳＴ９１１５において、ＲＲＣ＿Ｉｄｌｅ状態に戻る。
【０６１９】
他方、ＥＳセル１は、ステップＳＴ９１１６において、傘下にＲＲＣ＿Ｃｏｎｎｅｃｔｅｄ状態のＵＥが存在するか否かを判断する。ＲＲＣ＿Ｃｏｎｎｅｃｔｅｄ状態のＵＥが存在すると判断された場合は、通常動作状態を維持して、再度ステップＳＴ９１１６の判断処理を行う。ＲＲＣ＿Ｃｏｎｎｅｃｔｅｄ状態のＵＥが存在しないと判断された場合は、ステップＳＴ９１１７に移行する。
【０６２０】
ステップＳＴ９１１７において、ＥＳセル１は、傘下にＲＲＣ＿Ｉｄｌｅ状態のＵＥが存在するか否かを判断する。この判断は、ＵＥから周期的ＴＡＵを受信したか否かによって判断する。周期的ＴＡＵを受信した場合は、ＲＲＣ＿Ｉｄｌｅ状態のＵＥが存在すると判断し、通常動作状態を維持して、再度ステップＳＴ９１１７の判断処理を行う。周期的ＴＡＵを受信しない場合は、ＲＲＣ＿Ｉｄｌｅ状態のＵＥが存在しないと判断して、ステップＳＴ９１１８に移行する。
【０６２１】
ステップＳＴ９１１８において、ＥＳセル１は、スイッチオフを行う。スイッチオフを行ったＥＳセル１は、ステップＳＴ９１１９において、ドーマント状態に移行する。ドーマント状態に移行したＥＳセル１は、ＤＳのみを送信する。また、ウェイクアップ信号の受信を行う。
【０６２２】
図３５のステップＳＴ９１２０において、ＵＥ１は、ＥＳセル２からＥＳセル１に移動する。ステップＳＴ９１２１において、ＵＥ１は、ＣＲＳに基づく測定を行う。しかし、ここでは、ＥＳセル１はドーマント状態であり、ＤＳしか送信していないので、ＣＲＳを測定してもＥＳセル１を検出することは不可能である。したがって、ステップＳＴ９１２２において、ＵＥ１はセル不検出となり、ステップＳＴ９１２３において、ＵＥ１は圏外となる。
【０６２３】
ＣＲＳに基づく測定によってセルを検出できずに圏外となったＵＥ１は、ステップＳＴ９１２４において、ＤＳに基づくセルの検出および測定を行う。ＥＳセル１はＤＳを送信しているので、ＵＥ１は、ＥＳセル１を検出して測定することが可能となる。
【０６２４】
ステップＳＴ９１２５において、ＵＥ１は、セル選択の基準に適したセルとして、ＥＳセル１を検出して選択するとする。
【０６２５】
ステップＳＴ９１２６において、ＵＥ１は、ＥＳセル１にウェイクアップ信号を送信する。
【０６２６】
ステップＳＴ９１２６において自セルに送信されたウェイクアップ信号を受信したＥＳセル１は、ステップＳＴ９１２７において、スイッチオンを実行する。スイッチオンを実行したＥＳセル１は、ステップＳＴ９１２８において、通常動作状態に移行する。通常動作状態に移行したＥＳセル１は、傘下のＵＥに、予め定めるサブフレームでＣＲＳを送信し、システム情報を報知し、ページングを可能にする。
【０６２７】
ステップＳＴ９１２９において、ＵＥ１は、ＥＳセル１のＳＩＢを受信することが可能となり、ＵＥ１はＥＳセル１のシステム情報を取得することができる。
【０６２８】
ステップＳＴ９１３０において、ＵＥ１は、ＥＳセル１からページングを受信することが可能となるので、間欠受信を行う。
【０６２９】
ステップＳＴ９１３１において、ＵＥ１は、ＥＳセル１との間で存在確認を行う。例えば、ＵＥ１がＥＳセルに周期的ＴＡＵを送信する。ＴＡＵ処理が終了したＵＥ１は、ステップＳＴ９１３２において、ＲＲＣ＿Ｉｄｌｅ状態に戻り、再度ステップＳＴ９１２９、ステップＳＴ９１３０、およびステップＳＴ９１３１の処理を行う。
【０６３０】
以上のようにすることによって、ＲＲＣ＿Ｉｄｌｅ状態であるＵＥ１は、非重層化セルであるＥＳセル１を検出することが可能となり、さらにＥＳセル１をドーマント状態から起動させて通常動作状態にすることが可能となる。したがって、ＲＲＣ＿Ｉｄｌｅ状態であるＵＥ１は、非重層化セルであるＥＳセル１をサービングセルとすることが可能となる。
【０６３１】
本実施の形態で開示した方法によって、非重層化セルであるＥＳセルが存在する場合でも、ＵＥの消費電力の増大を抑制しつつ、ＲＲＣ_Ｉｄｌｅ状態のＵＥをサポートすることが可能となる。また、非重層化セルであるＥＳセルの傘下に、ＲＲＣ＿Ｃｏｎｎｅｃｔｅｄ状態およびＲＲＣ＿Ｉｄｌｅ状態のＵＥが存在しない場合は、該セルをドーマント状態に移行することが可能となるので、該セルの消費電力削減が可能となる。
【０６３２】
実施の形態８  変形例１．
重層化セルであるＥＳセルと非重層化セルであるＥＳセルとで動作を異ならせることを可能にする方法の具体例として、以下の（１）〜（３）の３つを開示する。
【０６３３】
（１）Ｏ＆ＭがＥＳセルに、該セルが重層化セルか非重層化セルかを通知する。ＭＭＥを介して通知してもよい。
（２）ＭＭＥがＥＳセルに、該セルが重層化セルか非重層化セルかを通知する。
（３）ＥＳセルは、自セルが重層化セルか非重層化セルかを判断する。判断方法の具体例としては、自セルは周辺セルサーチを行い、自セルにおいてセル選択あるいはセル再選択可能なセルが存在するか否かを判断するとよい。存在する場合は、重層化セルであると判断し、存在しない場合は非重層化セルであると判断する。
【０６３４】
ＥＳセルは、自セルが重層化セルであるか非重層化セルかを判断し、自セルが重層化セルであると判断した場合は、重層化セルとしての動作を行う。ＥＳセルは、自セルが非重層化セルであると判断した場合は、非重層化セルとしての動作を行う。このような方法とすることによって、ＥＳセルは、自セルの状態に応じた動作を行うことが可能となる。
【０６３５】
例えば、重層化セルであるＥＳセルは、ＲＲＣ＿Ｃｏｎｎｅｃｔｅｄ状態のＵＥのみをサポートし、ＲＲＣ＿Ｉｄｌｅ状態のＵＥをサポートしない。ＲＲＣ＿Ｃｏｎｎｅｃｔｅｄ状態のＵＥが傘下に存在しなくなった場合、ドーマント状態に移行する動作とする。非重層化セルであるＥＳセルは、ＲＲＣ＿Ｃｏｎｎｅｃｔｅｄ状態のＵＥとＲＲＣ＿Ｉｄｌｅ状態のＵＥのどちらもサポートする。ＲＲＣ＿Ｃｏｎｎｅｃｔｅｄ状態のＵＥとＲＲＣ＿Ｉｄｌｅ状態のＵＥのどちらもが傘下に存在しなくなった場合、ドーマント状態に移行する動作とする。
【０６３６】
このようにすることによって、ＥＳセルは、自セルの状態に応じて適したＥＳ処理を行うことが可能となる。
【０６３７】
前述の各実施の形態およびその変形例は、本発明の例示に過ぎず、本発明の範囲内において、各実施の形態およびその変形例を自由に組合せることができる。また、各実施の形態およびその変形例の任意の構成要素を適宜、変更または省略することができる。
【０６３８】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０６３９】
１１０１  第１のカバレッジ、１１０２  第２のカバレッジ、１１０３  第１のｅＮＢ、１１０４  第２のｅＮＢ、１１０５  第３のｅＮＢ、１１０６  第４のｅＮＢ、１１０７  第５のｅＮＢ、１１０８  第６のｅＮＢ、１１０９  第７のｅＮＢ、１１１０  第３のカバレッジ、１１１１  第４のカバレッジ、１１１２  第５のカバレッジ、１１１３  第６のカバレッジ、１１１４  第７のカバレッジ、１２０１〜１２０３，１２０５〜１２０７  カバレッジ、１２０４  第１のマクロｅＮＢ、１２０８  第２のマクロｅＮＢ、１２０９  第３のマクロｅＮＢ、１２１０  第４のマクロｅＮＢ、７２０１，７２０２  マクロセルのカバレッジ、７２０３〜７２０６，７２０８〜７２１１，７２１３〜７２１７，７２１９，７２２０  ＥＳセルのカバレッジ、７２０７，７２１２，７２１８  Ｃｏｍｐセルのカバレッジ。
【図１】
2018207549.tif 000003
【図２】
2018207549.tif 000004
【図３】
2018207549.tif 000005
【図４】
2018207549.tif 000006
【図５】
2018207549.tif 000007
【図６】
2018207549.tif 000008
【図７】
2018207549.tif 000009
【図８】
2018207549.tif 000010
【図９】
2018207549.tif 000011
【図１０】
2018207549.tif 000012
【図１１】
2018207549.tif 000013
【図１２】
2018207549.tif 000014
【図１３】
2018207549.tif 000015
【図１４】
2018207549.tif 000016
【図１５】
2018207549.tif 000017
【図１６】
2018207549.tif 000018
【図１７】
2018207549.tif 000019
【図１８】
2018207549.tif 000020
【図１９】
2018207549.tif 000021
【図２０】
2018207549.tif 000022
【図２１】
2018207549.tif 000023
【図２２】
2018207549.tif 000024
【図２３】
2018207549.tif 000025
【図２４】
2018207549.tif 000026
【図２５】
2018207549.tif 000027
【図２６】
2018207549.tif 000028
【図２７】
2018207549.tif 000029
【図２８】
2018207549.tif 000030
【図２９】
2018207549.tif 000031
【図３０】
2018207549.tif 000032
【図３１】
2018207549.tif 000033
【図３２】
2018207549.tif 000034
【図３３】
2018207549.tif 000035
【図３４】
2018207549.tif 000036
【図３５】
2018207549.tif 000037
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
基地局装置と、前記基地局装置と無線通信可能な通信端末装置とを備える通信システムであって、
前記基地局装置は、
通常動作状態と、前記通常動作状態よりも消費電力が低い省電力状態とを切替え可能な省電力セルを構成する省電力基地局装置と、
前記省電力セルが前記省電力状態であるときに、前記省電力セルの通信可能な範囲であるカバレッジを補償する補償セルを構成する補償基地局装置と
を含み、
前記省電力セルが前記通常動作状態と前記省電力状態とを切替える際に、前記省電力セルと前記補償セルのうちの少なくとも一方のセルは、下り送信電力を徐々に増減させ、
前記少なくとも一方のセルは、前記下り送信電力を増減させる都度、下り参照信号の送信電力の大きさを、前記通信端末装置に通知する、
ことを特徴とする通信システム。
【請求項２】
前記通信端末装置は、前記下り参照信号の送信電力について通知された大きさに基づいて、前記下り送信電力の増減の各段階における上り送信電力を決定することを特徴とする請求項１に記載の通信システム。
【請求項３】
前記少なくとも一方のセルは、
前記下り送信電力を増加させる場合、前記下り送信電力を増加させてから、前記下り参照信号の送信電力の大きさを前記通信端末装置に通知し、
前記下り送信電力を減少させる場合、前記下り参照信号の送信電力の大きさを前記通信端末装置に通知してから、前記下り送信電力を減少させる、
ことを特徴とする請求項１または請求項２に記載の通信システム。
【請求項４】
前記少なくとも一方のセルは、
前記下り送信電力を増加させる場合、前記下り参照信号の送信電力の大きさを前記通信端末装置に通知してから、前記下り送信電力を増加させ、
前記下り送信電力を減少させる場合、前記下り送信電力を減少させてから、前記下り参照信号の送信電力の大きさを前記通信端末装置に通知する、
ことを特徴とする請求項１または請求項２に記載の通信システム。
【請求項５】
通信端末装置と無線通信可能な基地局装置であって、
前記基地局装置は、
通常動作状態と、前記通常動作状態よりも消費電力が低い省電力状態とを切替え可能な省電力セルと、
前記省電力セルが前記省電力状態であるときに、前記省電力セルの通信可能な範囲であるカバレッジを補償する補償セルと
のうちのいずれかを構成し、
前記省電力セルが前記通常動作状態と前記省電力状態とを切替える際に、前記基地局装置は、下り送信電力を徐々に増減させ、
前記基地局装置は、前記下り送信電力を増減させる都度、下り参照信号の送信電力の大きさを、前記通信端末装置に通知する、
ことを特徴とする基地局装置。
【請求項６】
基地局装置と無線通信可能な通信端末装置であって、
前記基地局装置は、
通常動作状態と、前記通常動作状態よりも消費電力が低い省電力状態とを切替え可能な省電力セルを構成する省電力基地局装置と、
前記省電力セルが前記省電力状態であるときに、前記省電力セルの通信可能な範囲であるカバレッジを補償する補償セルを構成する補償基地局装置と
を含み、
前記省電力セルが前記通常動作状態と前記省電力状態とを切替える際に、前記省電力セルと前記補償セルのうちの少なくとも一方のセルは、下り送信電力を徐々に増減させ、
前記少なくとも一方のセルは、前記下り送信電力を増減させる都度、下り参照信号の送信電力の大きさを、前記通信端末装置に通知し、
前記通信端末装置は、前記下り参照信号の送信電力について通知された大きさに基づいて、前記下り送信電力の増減の各段階における上り送信電力を決定する、
ことを特徴とする通信端末装置。
【手続補正３】
【補正対象書類名】明細書
【補正対象項目名】０００１
【補正方法】変更
【補正の内容】
【０００１】
本発明は通信システム等に関する。
【手続補正４】
【補正対象書類名】明細書
【補正対象項目名】００６２
【補正方法】変更
【補正の内容】
【００６２】
本発明の目的は、省電力セルが通常動作状態と省電力状態とを切替える場合に発生しうる上記の各種問題を解決することが可能な通信システムを提供することである。
【手続補正５】
【補正対象書類名】明細書
【補正対象項目名】００６３
【補正方法】変更
【補正の内容】
【００６３】
本発明の通信システムは、基地局装置と、前記基地局装置と無線通信可能な通信端末装置とを備える通信システムであって、前記基地局装置は、通常動作状態と、前記通常動作状態よりも消費電力が低い省電力状態とを切替え可能な省電力セルを構成する省電力基地局装置と、前記省電力セルが前記省電力状態であるときに、前記省電力セルの通信可能な範囲であるカバレッジを補償する補償セルを構成する補償基地局装置とを含み、前記省電力セルが前記通常動作状態と前記省電力状態とを切替える際に、前記省電力セルと前記補償セルのうちの少なくとも一方のセルは、下り送信電力を徐々に増減させ、前記少なくとも一方のセルは、前記下り送信電力を増減させる都度、下り参照信号の送信電力の大きさを、前記通信端末装置に通知する、ことを特徴とする。
また、本発明の基地局装置は、通信端末装置と無線通信可能な基地局装置であって、前記基地局装置は、通常動作状態と、前記通常動作状態よりも消費電力が低い省電力状態とを切替え可能な省電力セルと、前記省電力セルが前記省電力状態であるときに、前記省電力セルの通信可能な範囲であるカバレッジを補償する補償セルとのうちのいずれかを構成し、前記省電力セルが前記通常動作状態と前記省電力状態とを切替える際に、前記基地局装置は、下り送信電力を徐々に増減させ、前記基地局装置は、前記下り送信電力を増減させる都度、下り参照信号の送信電力の大きさを、前記通信端末装置に通知する、ことを特徴とする。
また、本発明の通信端末装置は、基地局装置と無線通信可能な通信端末装置であって、前記基地局装置は、通常動作状態と、前記通常動作状態よりも消費電力が低い省電力状態とを切替え可能な省電力セルを構成する省電力基地局装置と、前記省電力セルが前記省電力状態であるときに、前記省電力セルの通信可能な範囲であるカバレッジを補償する補償セルを構成する補償基地局装置とを含み、前記省電力セルが前記通常動作状態と前記省電力状態とを切替える際に、前記省電力セルと前記補償セルのうちの少なくとも一方のセルは、下り送信電力を徐々に増減させ、前記少なくとも一方のセルは、前記下り送信電力を増減させる都度、下り参照信号の送信電力の大きさを、前記通信端末装置に通知し、前記通信端末装置は、前記下り参照信号の送信電力について通知された大きさに基づいて、前記下り送信電力の増減の各段階における上り送信電力を決定する、ことを特徴とする。
【手続補正６】
【補正対象書類名】明細書
【補正対象項目名】００６４
【補正方法】変更
【補正の内容】
【００６４】
本発明によれば、省電力セルが通常動作状態と省電力状態とを切替える場合に発生しうる問題を解決することができる。